(57)【要約】  １６Ｄおよび６６Ａ〜９２Ｄは、テキスタイルケーシング内に単体プラスチックコアを備える呼吸装置と組み合わせて使用されるヘッドギアを形成する多種多様の方法を開示する。いくつかの構成では、プラスチックコア材料は、ストラップのテキスタイルケーシングを貫通するかまたは突き破る。いくつかの構成は、オーバーモールド部、位置合せポスト、Ｔ字形接合部及び射出開口部を備える接合ハウジングを含む。図１７〜図６５及び図９３Ａ〜図９４Ｃは、頂部ストラップ、前部ストラップ、後部ストラップ、およびマスクから耳の上方かつ後方に延在して耳の後部で一緒になるストラップの対を含む、多種多様の異なるヘッドギア構成を開示する。図９５〜図１２１Ｂは、ヘッドギアアセンブリをマスクアセンブリに接続する多種多様のコネクタを開示し、ヘッドギア、マスクおよびコネクタは閉ループを形成、コネクタはマスクアセンブリから分離される。
2019509128.tif 000002
【特許請求の範囲】
【請求項１】
第１ストラップおよび第２ストラップを接続し、前記ストラップの各々がテキスタイルケーシング内に単体プラスチックコアを備える、ストラップコネクタアセンブリであって、
前記第１ストラップの端部に配置された第１コネクタ部と、
前記第２ストラップの端部の間に配置された第２コネクタ部であって、前記第２ストラップの前記テキスタイルケーシングを通って突出する前記単体プラスチックコアの突起を備え、前記第１ストラップおよび前記第２ストラップの接続を容易にするように前記第１コネクタ部と整列するように構成されている第２コネクタ部と、
を備えるストラップコネクタアセンブリ。
【請求項２】
前記第１コネクタ部の厚さが、前記第２コネクタ部の厚さに等しい、請求項１に記載のストラップコネクタアセンブリ。
【請求項３】
前記第１コネクタ部および前記第２コネクタ部が、前記第１ストラップおよび前記第２ストラップの接続を容易にするように位置合せされているとき、それらの間に配置された隙間を有するように構成されている、請求項１または２に記載のストラップコネクタアセンブリ。
【請求項４】
前記第１コネクタ部に配置された位置合せ凹部であって、成形金型の内面に配置された突起と係合して、前記成形金型に対して前記第１コネクタ部の位置を維持するように構成されている位置合せ凹部をさらに備える、請求項１〜３のいずれか一項に記載のストラップコネクタアセンブリ。
【請求項５】
前記第１コネクタ部および前記第２コネクタ部の上にオーバーモールドされるオーバーモールド継手をさらに備える、請求項１〜４のいずれか一項に記載のストラップコネクタアセンブリ。
【請求項６】
前記オーバーモールド継手の厚さが、前記第１コネクタ部の厚さおよび前記第２コネクタ部の厚さに等しい、請求項５に記載のストラップコネクタアセンブリ。
【請求項７】
前記オーバーモールド継手が、前記第１ストラップおよび前記第２ストラップの前記テキスタイルケーシングと接触する、請求項５に記載のストラップコネクタアセンブリ。
【請求項８】
前記第１コネクタ部および前記第２コネクタ部が、互いに相互嵌合するような形状である、請求項１〜７のいずれか一項に記載のストラップコネクタアセンブリ。
【請求項９】
前記第１コネクタ部が、前記テキスタイルケーシングを越える前記単体プラスチックコアの延長部を備える、請求項１〜８のいずれか一項に記載のストラップコネクタアセンブリ。
【請求項１０】
前記第１コネクタ部が、前記テキスタイルケーシングの端部を越えて延在する、請求項９に記載のストラップコネクタアセンブリ。
【請求項１１】
前記第１コネクタ部および前記第２コネクタ部が、それぞれオスコネクタ部およびメスコネクタ部である、請求項１〜１０のいずれか一項に記載のストラップコネクタアセンブリ。
【請求項１２】
前記第１コネクタ部および／または前記第２コネクタ部の各々がタブを備える、請求項１〜１０のいずれか一項に記載のストラップコネクタアセンブリ。
【請求項１３】
前記第１コネクタ部および／または前記第２コネクタ部が、それぞれの第１ストラップおよび第２ストラップの前記単体プラスチックコアの幅に等しい幅を有する、請求項１〜１０および１２のいずれか一項に記載のストラップコネクタアセンブリ。
【請求項１４】
第１ストラップ部および第２ストラップ部を接続し、前記ストラップ部の各々がテキスタイルケーシング内に単体プラスチックコアを備える、ストラップコネクタアセンブリであって、
前記ストラップのうちの１つの前記単体プラスチックコアの一部を備え、前記第１ストラップ部および前記第２ストラップ部を接続するように構成されている接合タブと、
前記接合タブの表面から突出する位置合せポストと、
前記接合タブの上にオーバーモールドされているオーバーモールド継手と、
を備えるストラップコネクタアセンブリ。
【請求項１５】
前記位置合せポストの厚さが、前記接合タブの厚さより大きい、請求項１４に記載のストラップコネクタアセンブリ。
【請求項１６】
前記位置合せポストの厚さが、前記オーバーモールド継手の厚さに等しい、請求項１４または１５に記載のストラップコネクタアセンブリ。
【請求項１７】
前記オーバーモールド継手が、エラストマー材料から形成されている、請求項１４〜１６のいずれか一項に記載のストラップコネクタアセンブリ。
【請求項１８】
前記オーバーモールド継手の表面内に形成されたラベルをさらに備える、請求項１４〜１７のいずれか一項に記載のストラップコネクタアセンブリ。
【請求項１９】
第１ストラップ部および第２ストラップ部を接続し、前記ストラップ部がテキスタイルケーシング内に単体プラスチックコアを備える、ストラップコネクタであって、
ハウジングであって、前記ハウジングの端部に配置されかつ前記第１ストラップ部および前記第２ストラップ部の端部を受け入れるように構成された外部空洞を有する、ハウジングと、
前記外部空洞の間に配置された内部空洞と、
前記内部空洞と前記外部空洞との間に延在する射出開口部であって、前記ストラップ部の前記単体プラスチックコアが前記射出開口部を通って延在する、射出開口部と、
を備えるストラップコネクタ。
【請求項２０】
前記外部空洞の高さが前記内部空洞の高さより大きい、請求項１９に記載のストラップコネクタアセンブリ。
【請求項２１】
前記内部空洞の高さが、前記テキスタイルケーシング内の前記単体プラスチックコアの厚さに等しい、請求項１９または２０に記載のストラップコネクタアセンブリ。
【請求項２２】
ヘッドギア用のストラップアセンブリであって、
使用者から離れる方向に面する外面と、前記使用者の方に面する内面と、前記外面と前記内面との間に配置された空洞とを含むテキスタイルケーシングと、
前記テキスタイルケーシングの前記空洞内に配置されたプラスチックコア材料と、
を備え、
前記テキスタイルケーシングの前記外面が凸形状を有する、ストラップアセンブリ。
【請求項２３】
前記テキスタイルケーシングの前記内面が実質的に平面形状を有する、請求項２２に記載のストラップアセンブリ。
【請求項２４】
前記テキスタイルケーシングの前記内面が凹形状を有する、請求項２２に記載のストラップアセンブリ。
【請求項２５】
ヘッドギア用のストラップアセンブリであって、
使用者の耳の上方に位置決めされるように構成された耳アーチ領域を含むテキスタイルケーシングと、
前記テキスタイル管状ケーシングの空洞内に配置されたプラスチックコアと、
を備え、
前記耳アーチ領域における前記プラスチックコアと前記テキスタイルケーシングの縁との間の距離が、前記ストラップアセンブリの残りの部分における距離より方が大きい、ストラップアセンブリ。
【請求項２６】
使用者の頭部の頂部および後部を受け入れるように構成されたヘッドギアループストラップであって、
テキスタイルケーシングと一体的に形成された単体プラスチックコアと、
前記単体プラスチックコアから形成され、前記ヘッドギアループストラップの端部の間で前記テキスタイルケーシングを通って突出するコネクタタブ部と、
を備えるヘッドギアループストラップと、
前部ストラップと、
前記ヘッドギアループストラップの前記コネクタタブ部と前記前部ストラップの端部との上に配置されたコネクタと、
を備えるヘッドギアアセンブリ。
【請求項２７】
前記コネクタが、前記ヘッドギアループストラップおよび前記前部ストラップの前記端部の上にオーバーモールドされている、請求項２６に記載のヘッドギアアセンブリ。
【請求項２８】
前記コネクタの厚さが、前記コネクタタブ部の厚さに等しい、請求項２６または２７に記載のヘッドギアアセンブリ。
【請求項２９】
前記コネクタの厚さが、前記ヘッドギアループストラップの厚さに等しい、請求項２６〜２８のいずれか一項に記載のヘッドギアアセンブリ。
【請求項３０】
前記ヘッドギアループストラップが、
前記ヘッドギアループストラップの端部から延在する位置合せタブであって、前記ヘッドギアループストラップの前記単体プラスチックコアの一部を備える位置合せタブと、
前記接合タブの表面から突出する位置合せポストと、
をさらに備える、請求項２６〜２９のいずれか一項に記載のヘッドギアアセンブリ。
【請求項３１】
第１ストラップ部および第２ストラップ部を接続し、前記ストラップ部の各々がテキスタイルケーシング内に単体プラスチックコアを備える、ストラップコネクタアセンブリであって、
前記第１ストラップの端部に配置された第１コネクタ部と、
前記第２ストラップの端部の間に配置され、前記第２ストラップの前記テキスタイルケーシングを通って突出する第２コネクタ部と、
前記第１コネクタ部および前記第２コネクタ部の上にオーバーモールドされているオーバーモールド継手と、
を備えるストラップコネクタアセンブリ。
【請求項３２】
前記第１コネクタ部および前記第２コネクタ部のうちの少なくとも一方が、前記第１ストラップの表面から突出する位置合せポストをさらに備え、前記オーバーモールド継手が前記位置合せポストを包囲している、請求項３１に記載のストラップコネクタアセンブリ。
【請求項３３】
前記第１コネクタ部および前記第２コネクタ部のうちの少なくとも一方が、前記第１ストラップの表面内に凹状に形成されたくぼみ領域をさらに備え、前記くぼみ領域が、前記オーバーモールド継手のオーバーモールド材料を受け入れる、請求項３１または３２に記載のストラップコネクタアセンブリ。
【請求項３４】
前記第１ストラップおよび前記第２ストラップのうちの少なくとも一方の表面内に凹状に形成されている位置合せ凹部をさらに備え、前記位置合せ凹部が、成形金型の内面に配置された突起と係合して、前記成形金型に対して前記第１ストラップおよび前記第２ストラップのうちの少なくとも一方の位置を維持するように構成されている、請求項３１〜３３のいずれか一項に記載のストラップコネクタアセンブリ。
【請求項３５】
頂部ストラップと、
底部ストラップであって、前記底部ストラップの端部の間の位置で前記頂部ストラップに接続されている底部ストラップと、
を備え、
単体プラスチックコア材料が、前記頂部ストラップおよび前記底部ストラップ両方のテキスタイルケーシング内に一体的に形成されている、ヘッドギア。
【請求項３６】
前記単体プラスチックコア材料が、前記頂部ストラップおよび前記底部ストラップの前記テキスタイルケーシングのうちの少なくとも一方を通って延在している、請求項３５に記載のヘッドギア。
【請求項３７】
前記テキスタイルケーシングが継目なし管状形状を有する、請求項３５に記載のヘッドギア。
【請求項３８】
前記テキスタイルケーシングが、編まれ、織られ、編み組まれまたはかぎ針編みされている、請求項３５に記載のヘッドギア。
【請求項３９】
前記頂部ストラップの前記テキスタイルケーシングの端部が、前記底部ストラップの前記テキスタイルケーシングと当接している、請求項３５に記載のヘッドギア。
【請求項４０】
前記頂部ストラップの前記テキスタイルケーシングが、前記頂部ストラップの前記端部に向かう方向において前記頂部の長さに沿って半径方向外向きに拡張している、請求項３９に記載のヘッドギア。
【請求項４１】
前記頂部ストラップの前記テキスタイルケーシングの端部が封止部を有し、前記封止部が、ホットナイフを用いて切断することによって形成されている、請求項３９に記載のヘッドギア。
【請求項４２】
前記底部ストラップ内の前記単体プラスチックコア材料に結合されたフィラメントコアをさらに備える、請求項３５に記載のヘッドギア。
【請求項４３】
請前記頂部ストラップおよび前記底部ストラップのうちの少なくとも一方の外面に配置されたストラップコネクタであって、前記単体プラスチックコア材料から形成されているストラップコネクタをさらに備える、請求項３５に記載のヘッドギア。
【請求項４４】
成形金型内でヘッドギアを形成する方法であって、
前記成形金型のキャビティ内に第１管状テキスタイルケーシングおよび第２管状テキスタイルケーシングを配置するステップと、
溶融プラスチック材料を前記成形金型内にかつ前記第１管状テキスタイルケーシング内に導入するステップと、
前記溶融プラスチック材料を、前記第１管状テキスタイルケーシングを通して前記第２管状テキスタイルケーシング内に押し込むステップと、
前記溶融プラスチック材料を、前記第１テキスタイルケーシングおよび前記第２テキスタイルケーシング内で凝固させて、一体化プラスチックコアを形成するステップと、
を含む、ヘッドギアを形成する方法。
【請求項４５】
前記溶融プラスチック材料を、前記第１管状テキスタイルケーシングを通して前記第２管状テキスタイルケーシング内に押し込むステップが、前記第１管状テキスタイルケーシングの糸を変位させて、前記第１管状テキスタイルケーシングの壁に、前記溶融プラスチック材料が前記第２管状テキスタイルケーシング内に流れ込む間隙を形成することをさらに含む、請求項４４に記載のヘッドギアを形成する方法。
【請求項４６】
前記溶融プラスチック材料を、前記第１管状テキスタイルケーシングを通して前記第２管状テキスタイルケーシング内に押し込むステップが、前記第１管状テキスタイルケーシングの糸を引き裂いて、前記第１管状テキスタイルケーシングの壁に、前記溶融プラスチック材料が前記第２管状テキスタイルケーシング内に流れ込む穴を形成することをさらに含む、請求項４４に記載のヘッドギアを形成する方法。
【請求項４７】
前記成形金型のキャビティ内に第１管状テキスタイルケーシングおよび第２管状テキスタイルケーシングを配置するステップが、前記第１管状テキスタイルケーシングを前記第２管状テキスタイルケーシングと接触するように位置決めすることをさらに含む、請求項４４に記載のヘッドギアを形成する方法。
【請求項４８】
前記第１管状テキスタイルケーシングの開放端部が、前記第２管状テキスタイルケーシングの端部の間の位置で前記第２管状テキスタイルケーシングと当接する、請求項４７に記載のヘッドギアを形成する方法。
【請求項４９】
前記第１管状テキスタイルケーシングおよび前記第２管状テキスタイルケーシングが、それらの端部の間の位置で互いに接触する、請求項４７に記載のヘッドギアを形成する方法。
【請求項５０】
前記キャビティの外縁が、前記キャビティの中心部分に対して狭くなり、それにより、前記第１管状テキスタイルケーシングおよび前記第２管状テキスタイルケーシングの外縁が締め付けられて、溶融プラスチック材料が前記第１管状テキスタイルケーシングおよび前記第２管状テキスタイルケーシングの前記外縁の間に流れるのを防止する、請求項４４に記載のヘッドギアを形成する方法。
【請求項５１】
前記キャビティの中心部分が、前記第１管状テキスタイルケーシングおよび前記第２管状テキスタイルケーシングのうちの少なくとも一方の表面を押し下げる突起を含み、それにより、前記第１管状テキスタイルケーシングおよび前記第２管状テキスタイルケーシングのうちの少なくとも一方の前記表面にくぼみが一体的に形成される、請求項４４に記載のヘッドギアを形成する方法。
【請求項５２】
成形金型内でヘッドギアを形成する方法であって、
第１成形金型のキャビティ内に第１管状テキスタイルケーシングを配置するステップと、
前記第１管状テキスタイルケーシングの一部を、コネクタ部の形状を有する隣接するキャビティと接触するように位置決めするステップと、
溶融プラスチック材料を前記第１成形金型内にかつ前記第１管状テキスタイルケーシング内に導入するステップと、
前記溶融プラスチック材料を、前記第１管状テキスタイルケーシングを通して前記隣接するキャビティ内に押し込むステップと、
前記溶融プラスチック材料を、前記第１管状テキスタイルケーシング内で凝固させて、単体プラスチックコアから形成された内部コアおよびコネクタ部を有する第１ストラップ部を形成するステップと、
を含む、
ヘッドギアを形成する方法。
【請求項５３】
第２成形金型内に前記第１ストラップ部を配置するステップと、
第２管状テキスタイルケーシングの端部を、前記コネクタ部の上に、かつ前記第１ストラップ部の前記第１管状テキスタイルケーシングと接触するように位置決めするステップと、
溶融プラスチック材料を前記第２成形金型内にかつ前記第２管状テキスタイルケーシング内に導入するステップと、
前記溶融プラスチック材料を、前記第２管状テキスタイルケーシング内で凝固させて、前記第１ストラップ部の前記コネクタ部に接続される単体プラスチック材料から形成された内部コアを有する第２ストラップ部を形成するステップと、
をさらに含む、請求項５２に記載のヘッドギアを形成する方法。
【請求項５４】
頂部ストラップと、
前記頂部ストラップに接続された上部サイドストラップと、
前記上部サイドストラップに接続された下部サイドストラップと、
を備え、
前記上部サイドストラップおよび前記下部サイドストラップが、一体構造として単体で形成されている、ヘッドギアアセンブリ。
【請求項５５】
前記上部サイドストラップおよび前記下部サイドストラップが、閉ループ構造として形成されている、請求項５４に記載のヘッドギアアセンブリ。
【請求項５６】
前記頂部ストラップ、前記上部サイドストラップおよび前記下部サイドストラップが、一体構造として単体で形成されている、請求項５４に記載のヘッドギアアセンブリ。
【請求項５７】
前記頂部ストラップ、前記上部サイドストラップおよび前記下部サイドストラップが、閉ループ構造として形成されている、請求項５６に記載のヘッドギアアセンブリ。
【請求項５８】
前記上部サイドストラップおよび前記下部サイドストラップが型内成形ウェブによって接合されている、請求項５４に記載のヘッドギアアセンブリ。
【請求項５９】
前記頂部ストラップおよび前記下部サイドストラップのうちの少なくとも一方に取り付けられたネックパネルをさらに備える、請求項５４に記載のヘッドギアアセンブリ。
【請求項６０】
前記頂部ストラップおよび前記ネックパネルのうちの少なくとも一方が、通気性吸湿性材料を含む、請求項５９に記載のヘッドギアアセンブリ。
【請求項６１】
前記頂部ストラップがキルトテキスタイル材料を含む、請求項５４に記載のヘッドギアアセンブリ。
【請求項６２】
単体プラスチックコア材料が、前記上部サイドストラップおよび前記下部サイドストラップ内に一体的に形成されている、請求項５４に記載のヘッドギアアセンブリ。
【請求項６３】
単体プラスチックコア材料が、前記頂部ストラップ、前記上部サイドストラップおよび前記下部サイドストラップ内に一体的に形成されている、請求項５４に記載のヘッドギアアセンブリ。
【請求項６４】
第１ストラップの端部を第２ストラップの側壁に取り付ける管状コネクタであって、
前記第１ストラップの前記端部の形状に対応する形状を有する第１端部であって、前記第１ストラップの前記端部と接触する第１端部と、
前記第１端部の反対側に配置されかつ前記第２ストラップの前記側壁に対応する形状を有する第２端部であって、前記第２ストラップの前記側壁と接触する第２端部と、
前記第１端部と前記第２端部との間に配置された空洞と、
前記空洞内に配置されたプラスチックコア材料と、
を備え、
前記プラスチックコア材料ユニットが、前記第１ストラップおよび前記第２ストラップを結合して一体構造を形成している、コネクタ。
【請求項６５】
前記第１端部が前記第１ストラップの前記端部とオーバーラップしている、請求項６４に記載のコネクタ。
【請求項６６】
前記第１ストラップの前記端部が前記第２ストラップと当接している、請求項６５に記載のコネクタ。
【請求項６７】
前記第２端部が前記第２ストラップの前記側壁とオーバーラップしている、請求項６５または６６に記載のコネクタ。
【請求項６８】
成形金型内で第１ストラップの端部を第２ストラップの側壁に接合する方法であって、
第１管状テキスタイルケーシングの端部を管状コネクタの空洞内に、かつ、第２管状テキスタイルケーシングの側壁の一部を管状コネクタの空洞に隣接してまたはその中に位置決めするステップと、
前記第１管状テキスタイルケーシングおよび前記第２管状テキスタイルケーシングと前記管状コネクタとを成形管型のキャビティ内に配置するステップと、
溶融プラスチック材料を前記成形金型内にかつ前記第１管状テキスタイルケーシング内に導入するステップと、
前記第１管状テキスタイルケーシングおよび前記管状コネクタを通して前記溶融プラスチック材料を前記第２管状テキスタイルケーシング内に射出するステップと、
前記溶融プラスチック材料を、前記第１管状テキスタイルケーシングおよび前記第２管状テキスタイルケーシングならびに前記管状コネクタ内で凝固させて、前記第１管状テキスタイルケーシングおよび前記第２管状テキスタイルケーシングならびに前記管状コネクタ内で前記プラスチック材料から単体内部コアを形成するステップと、
を含む方法。
【請求項６９】
前記位置決めするステップが、前記第１管状テキスタイルケーシングの前記端部を前記第２管状テキスタイルケーシングに当接させることを含む、請求項６８に記載の方法。
【請求項７０】
患者インタフェース用のヘッドギアアセンブリであって、
ヘッドピースであって、
頂部ストラップと、
前方ストラップと、
後部ストラップと、
を備えるヘッドピースと、
少なくとも１つのコネクタであって、
マスクアセンブリから使用者の耳の上方および後方に延在するように構成された第１ストラップと、
前記マスクアセンブリから前記使用者の耳の下方および後方に延在するように構成された第２ストラップと、
を備えるコネクタと、
を備え、
前記第１ストラップが、前記少なくとも１つのコネクタの後部コネクタ部において前記第２ストラップと一緒になり、前記コネクタが、前記ヘッドピースと接続するように構成された少なくとも１つのヘッドピース接続面を含み、前記ヘッドピースが、前記コネクタの前記少なくとも１つのヘッドピース接続面と接続するように構成された少なくとも１つのコネクタ接続面を含む、ヘッドギアアセンブリ。
【請求項７１】
前記ヘッドピースの前記頂部ストラップ、前記後部ストラップおよび前記前方ストラップのうちの１つまたは複数が、各々が自由端部を有する別個の左部分および右部分を備え、前記左部分および前記右部分の前記自由端部が、互いに調整可能に接続されている、請求項７０に記載のヘッドギアアセンブリ。
【請求項７２】
前記頂部ストラップおよび前記前方ストラップが接合部で集まっている、請求項７０または７１に記載のヘッドギアアセンブリ。
【請求項７３】
前記接合部が耳ループの一部を形成している、請求項７２に記載のヘッドギアアセンブリ。
【請求項７４】
前記後部ストラップが耳ループの一部を形成している、請求項７０に記載のヘッドギアアセンブリ。
【請求項７５】
前記少なくとも１つの耳ループが、前記使用者の耳を前記耳と接触することなく包囲するように構成されている、請求項７３または７４に記載のヘッドギアアセンブリ。
【請求項７６】
前記少なくとも１つのコネクタ接続面が、前記使用者の耳の上方から下方に延在する、Ｃ字形接続領域に沿って、前記少なくとも１つのヘッドピース接続面に接続するように構成されている、請求項７０〜７５のいずれか一項に記載のヘッドギアアセンブリ。
【請求項７７】
前記少なくとも１つのコネクタ接続面が、前記使用者の耳の後方から上方にかつ下方に延在する接続線に沿って、前記少なくとも１つヘッドピース接続面に接続するように構成されており、前記接続線の全体が、前記使用者の耳の最下限界の上方に位置するように構成されている、請求項７０〜７３のいずれか一項に記載のヘッドギアアセンブリ。
【請求項７８】
マスクアセンブリと、
請求項７０〜７７のいずれか一項に記載のヘッドギアアセンブリと、
を備える患者インタフェース。
【請求項７９】
ヘッドギアアセンブリと、
マスクアセンブリと、
前記ヘッドギアアセンブリを前記マスクアセンブリに接続するコネクタ部と、
を備え、
前記ヘッドギアアセンブリ、前記マスクアセンブリおよび前記コネクタ部が、前記コネクタが前記マスクアセンブリから分離するときに閉ループを形成する、患者インタフェース。
【請求項８０】
前記閉ループの有効長が、前記コネクタ部が前記マスクアセンブリから分離しているとき、前記コネクタ部が前記マスクアセンブリと係合しているときの前記閉ループの有効長と比較して増大する、請求項７９に記載の患者インタフェース。
【請求項８１】
前記コネクタ部がヒンジ部によって前記マスクアセンブリに取り付けられている、請求項７９または８０に記載の患者インタフェース。
【請求項８２】
前記コネクタ部がテザーによって前記マスクアセンブリに取り付けられている、請求項７９または８１に記載の患者インタフェース。
【請求項８３】
前記ヒンジ部がリビングヒンジである、請求項８２に記載の患者インタフェース。
【請求項８４】
前記ヒンジ部がシリコーンから形成されている、請求項８２に記載の患者インタフェース。
【請求項８５】
前記リビングヒンジが布地から形成されている、請求項８３に記載の患者インタフェース。
【請求項８６】
フックが前記マスクアセンブリの上に配置されており、
ポストが前記接続部の上に配置されており、
前記フックが前記フックを受け入れて前記ポストを受け入れて、前記マスクアセンブリと係合する、請求項７９〜８５のいずれか一項に記載の患者インタフェース。
【請求項８７】
前記コネクタ部が、スナップフィットまたは締まり嵌めを介して前記マスクアセンブリと係合する、請求項７９〜８５のいずれか一項に記載の患者インタフェース。
【請求項８８】
前記ヘッドギアアセンブリが、内部に一体的に形成された単体プラスチックコア材料を有するテキスタイルケーシングから形成されたストラップを有する、請求項７９〜８７のいずれか一項に記載の患者インタフェース。
【請求項８９】
前記コネクタ部が前記マスクアセンブリから分離しているときの前記閉ループの前記有効長と、前記コネクタ部が前記マスクアセンブリと係合しているときの前記閉ループの前記有効長との差が、少なくとも４０ミリメートルである、請求項８０〜８２および８６〜８８のいずれか一項に記載の患者インタフェース。
【発明の詳細な説明】
【技術分野】
【０００１】
あらゆる優先権出願に対する参照による援用
本出願は、米国仮特許出願第６２／３０９，４００号明細書、米国仮特許出願第６２／３２３，４５９号明細書、米国仮特許出願第６２／３６４，７６７号明細書、米国仮特許出願第６２／４０１，４６２号明細書、米国仮特許出願第６２／４６８，９１５号明細書、米国仮特許出願第６２／３２３，４８９号明細書および米国仮特許出願第６２／３２７，９４２号明細書に関連し、かつそれらに対する優先権を主張し、それら出願の全体が、参照により本明細書に援用され、本開示の一部とされる。
【０００２】
本開示は、概して、呼吸装置と組み合わせて使用されるヘッドギアに関する。より詳細には、本開示は、３次元ヘッドギアの形成、３次元ヘッドギアの一部、およびこうしたヘッドギアを成形するプロセスに関する。成形プロセスのさらなる応用も開示する。本開示はまた、概して、閉ループヘッドギアと患者インタフェースのさまざまな構成要素とを有するフルフェイス鼻下患者インタフェースに関する。
【背景技術】
【０００３】
患者インタフェースは、多数の呼吸器疾患または呼吸状態のうちのいずれかを患っている人の気道に呼吸療法を提供するために使用される。こうした療法としては、限定されないが、持続気道陽圧（ＣＰＡＰ）療法および非侵襲的換気（ＮＩＶ）療法を挙げることができる。
【０００４】
ＣＰＡＰ療法は、閉塞性睡眠時無呼吸（ＯＳＡ）を治療するために使用することができ、ＯＳＡは、睡眠中に患者の気道が断続的につぶれ、患者がある期間呼吸するのが阻止される状態である。呼吸の停止、すなわち無呼吸により、患者は覚醒することになる。繰り返される頻繁の無呼吸により、患者は、十分かつ疲労回復の夜間の睡眠をめったに達成しないことになる可能性がある。
【０００５】
ＣＰＡＰ療法は、患者インタフェースを介して患者の気道に持続陽圧の供給を送達することを含む。持続陽圧は、患者の気道内で添え木として作用し、患者の呼吸および睡眠が妨げられないように気道を開放位置で固定する。
【０００６】
患者インタフェースは、通常、マスクアセンブリとヘッドギアアセンブリとを備え、マスクアセンブリは、患者の鼻および／または口の中または周囲に実質的気密シールを形成するシールまたはクッションを介して、患者の気道に持続気道陽圧の供給を送達するように構成されている。マスクアセンブリは、鼻および／または口と実質的気密シールを生成する、フルフェイスマスク、鼻マスク、直接鼻マスクおよび口マスクを含む、広範囲のスタイルで入手可能である。シールまたはクッションは、ヘッドギアアセンブリにより患者の顔面において適所に保持される。実質的気密シールを維持するために、ヘッドギアアセンブリは、マスクアセンブリが、使用中、患者の顔面に対して安定位置で保持されるように、マスクアセンブリに支持を提供するべきである。こうした患者インタフェースはまた、ＮＩＶおよび他の療法を送達するためにも使用することができる。
【０００７】
患者インタフェースは、少なくとも、使用者の鼻および／または口の上または周囲に実質的な「シール」を生成し、一方、カニューレは、シールを提供しないが、補給の呼吸ガス送達のための送達経路を提供する。この「シール」を生成する結果、呼吸装置の密閉領域とその内圧との組合せにより、呼吸装置を顔面から押しのけようとする結果としての力が生成される。この力を打ち消すために、通常、使用者の頭部の後部および／または頂部の周りを通る一続きのストラップを備えたヘッドギアを使用する。
【発明の概要】
【発明が解決しようとする課題】
【０００８】
調整可能なヘッドギア、すなわち鼻下タイプのマスクと左側接続部および右側接続部を形成する必要があるヘッドギアでの共通の問題は、使用者がヘッドギアの一方の側を締め付けすぎる可能性があり、それによりマスクが中心から外れて引っ張られる、ということである。他の場合では、使用者が、単に、最初にマスクの一方の側を接続する結果として、マスクを中心から外れるように引っ張る可能性がある。鼻梁上マスクはマスクシールの頂端により中心に合わせるが、鼻下型マスクは、鼻部分がつぶれる可能性があるため、鼻梁の上を通るマスクより中心から外れて引っ張られやすい可能性がある。したがって、ヘッドギアを着脱するときに患者インタフェースシールが使用者の顔面の中心にあり続けるのを確実にする、マスクアセンブリとの接続機構を有する閉ループヘッドギア設計を形成することが望ましい。
【課題を解決するための手段】
【０００９】
本明細書に記載するシステム、方法および装置は、革新的な態様を有し、それらのいずれも必須ではなく、それらの望ましい属性を単独で担うものでもない。ここで、請求項の範囲を限定することなく、有利な特徴のうちのいくつかについて概説する。
【００１０】
本明細書に開示する実施形態のうちの少なくとも１つによれば、ヘッドギアが提供される。ヘッドギアは、頂部ストラップおよび底部ストラップを含み、底部ストラップは、底部ストラップの端部の間の位置で頂部ストラップに接続されている。単体プラスチックコア材料が、頂部ストラップおよび底部ストラップ両方のテキスタイルケーシング内に一体的に形成されている。
【００１１】
さらなる態様によれば、単体プラスチックコア材料は、頂部ストラップおよび底部ストラップのテキスタイルケーシングのうちの少なくとも一方を通って延在している。
【００１２】
さらなる態様によれば、テキスタイルケーシングは継目なし管状形状を有する。
【００１３】
さらなる態様によれば、テキスタイルケーシングは、編まれ、織られ、編み組まれまたはかぎ針編みされている。
【００１４】
さらなる態様によれば、頂部ストラップのテキスタイルケーシングの端部は、底部ストラップのテキスタイルケーシングと当接している。
【００１５】
さらなる態様によれば、頂部ストラップのテキスタイルケーシングは、頂部ストラップの端部に向かう方向において頂部の長さに沿って半径方向外向きに拡張している。
【００１６】
さらなる態様によれば、頂部ストラップのテキスタイルケーシングの端部は封止部を有し、封止部は、ホットナイフを用いて切断することによって形成されている。
【００１７】
さらなる態様によれば、ヘッドギアは、底部ストラップ内の単体プラスチックコア材料に結合されたフィラメントコアをさらに含む。
【００１８】
さらなる態様によれば、ヘッドギアは、頂部ストラップおよび底部ストラップのうちの少なくとも一方の外面に配置されたストラップコネクタをさらに含み、ストラップコネクタは、単体プラスチックコア材料から形成されている。
【００１９】
本明細書に開示する実施形態のうちの少なくとも１つによれば、成形金型内でヘッドギアを形成する方法が提供される。本方法は、成形金型のキャビティ内に第１管状テキスタイルケーシングおよび第２管状テキスタイルケーシングを配置するステップと、溶融プラスチック材料を成形金型内にかつ第１管状テキスタイルケーシング内に導入するステップと、溶融プラスチック材料を、第１管状テキスタイルケーシングを通して第２管状テキスタイルケーシング内に押し込むステップと、溶融プラスチック材料を、第１テキスタイルケーシングおよび第２テキスタイルケーシング内で凝固させて、一体化プラスチックコアを形成するステップとを含む。
【００２０】
さらなる態様によれば、溶融プラスチック材料を、第１管状テキスタイルケーシングを通して第２管状テキスタイルケーシング内に押し込むステップは、第１管状テキスタイルケーシングの糸を変位させて、第１管状テキスタイルケーシングに、溶融プラスチック材料が第２管状テキスタイルケーシング内に流れ込む間隙を形成することをさらに含む。
【００２１】
さらなる態様によれば、溶融プラスチック材料を、第１管状テキスタイルケーシングを通して第２管状テキスタイルケーシング内に押し込むステップは、第１管状テキスタイルケーシングの糸を引き裂いて、第１管状テキスタイルケーシングに、溶融プラスチック材料が第２管状テキスタイルケーシング内に流れ込む穴を形成することをさらに含む。
【００２２】
さらなる態様によれば、成形金型のキャビティ内に第１管状テキスタイルケーシングおよび第２管状テキスタイルケーシングを配置するステップは、第１管状テキスタイルケーシングを第２管状テキスタイルケーシングと接触するように位置決めすることをさらに含む。
【００２３】
さらなる態様によれば、第１管状テキスタイルケーシングの開放端部が、第２管状テキスタイルケーシングの端部の間の位置で第２管状テキスタイルケーシングと当接する。
【００２４】
さらなる態様によれば、第１管状テキスタイルケーシングおよび第２管状テキスタイルケーシングは、それらの端部の間の位置で互いに接触する。
【００２５】
さらなる態様によれば、キャビティの外縁は、キャビティの中心部分に対して狭くなり、それにより、第１管状テキスタイルケーシングおよび第２管状テキスタイルケーシングの外縁が締め付けられて、溶融プラスチック材料が第１管状テキスタイルケーシングおよび第２管状テキスタイルケーシングの外縁の間に流れるのを防止する。
【００２６】
さらなる態様によれば、キャビティの中心部分は、第１管状テキスタイルケーシングおよび第２管状テキスタイルケーシングのうちの少なくとも一方の表面を押し下げる突起を含み、それにより、第１管状テキスタイルケーシングおよび第２管状テキスタイルケーシングのうちの少なくとも一方の表面にくぼみが一体的に形成される。
【００２７】
本明細書に開示する実施形態のうちの少なくとも１つによれば、成形金型内でヘッドギアを形成する方法が提供される。本方法は、第１成形金型のキャビティ内に第１管状テキスタイルケーシングを配置するステップと、第１管状テキスタイルケーシングの一部を、コネクタ部の形状を有する隣接するキャビティと接触するように位置決めするステップと、溶融プラスチック材料を成形金型内にかつ第１管状テキスタイルケーシング内に導入するステップと、溶融プラスチック材料を、第１管状テキスタイルケーシングを通して隣接するキャビティ内に押し込むステップと、溶融プラスチック材料を、第１管状テキスタイルケーシング内で凝固させて、単体プラスチックコアから形成された内部コアおよびコネクタ部を有する第１ストラップ部を形成するステップとを含む。
【００２８】
さらなる態様によれば、本方法は、第２成形金型内に第１ストラップ部を配置するステップと、第２管状テキスタイルケーシングの端部を、コネクタ部の上に、かつ第１ストラップ部の第１管状テキスタイルケーシングと接触するように位置決めするステップと、溶融プラスチック材料を第２成形金型内にかつ第２管状テキスタイルケーシング内に導入するステップと、溶融プラスチック材料を、第２テキスタイルケーシング内で凝固させて、第１ストラップ部のコネクタ部に接続される単体プラスチック材料から形成された内部コアを有する第２ストラップ部を形成するステップとをさらに含む。
【００２９】
本明細書に開示する実施形態のうちの少なくとも１つによれば、ヘッドギアアセンブリが提供される。ヘッドギアアセンブリは、頂部ストラップと、頂部ストラップに接続された上部サイドストラップと、上部サイドストラップに接続された下部サイドストラップとを備える。上部サイドストラップおよび下部サイドストラップは、一体構造として単体で形成されている。
【００３０】
さらなる態様によれば、上部サイドストラップおよび下部サイドストラップは、閉ループ構造として形成されている。
【００３１】
さらなる態様によれば、頂部ストラップ、上部サイドストラップおよび下部サイドストラップは、一体構造として単体で形成されている。
【００３２】
さらなる態様によれば、頂部ストラップ、上部サイドストラップおよび下部サイドストラップは、閉ループ構造として形成されている。
【００３３】
さらなる態様によれば、上部サイドストラップおよび下部サイドストラップは型内成形（ｉｎｔｒａ−ｍｏｕｌｄｅｄ）ウェブによって接合されている。
【００３４】
さらなる態様によれば、ヘッドギアアセンブリは、頂部ストラップおよび下部サイドストラップのうちの少なくとも一方に取り付けられたネックパネルをさらに含む。
【００３５】
さらなる態様によれば、頂部ストラップおよびネックパネルのうちの少なくとも一方は、通気性吸湿性材料を含む。
【００３６】
さらなる態様によれば、頂部ストラップはキルトテキスタイル材料を含む。
【００３７】
さらなる態様によれば、単体プラスチックコア材料が、上部サイドストラップおよび下部サイドストラップ内に一体的に形成されている。
【００３８】
さらなる態様によれば、単体プラスチックコア材料が、頂部ストラップ、上部サイドストラップおよび下部サイドストラップ内に一体的に形成されている。
【００３９】
本明細書に開示する実施形態のうちの少なくとも１つによれば、第１ストラップの端部を第２ストラップの側壁に取り付ける管状コネクタが提供される。コネクタは、第１ストラップの端部の形状に対応する形状を有する第１端部であって、第１ストラップの端部と接触する第１端部と、第１端部の反対側に配置されかつ第２ストラップの側壁に対応する形状を有する第２端部であって、第２ストラップの側壁と接触する第２端部と、第１端部と第２端部との間に配置された空洞と、空洞内に配置されたプラスチックコア材料とを含み、プラスチックコア材料ユニットは、第１ストラップおよび第２ストラップを単体で結合して一体構造を形成している。
【００４０】
さらなる態様によれば、第１端部は第１ストラップの端部とオーバーラップしている。
【００４１】
さらなる態様によれば、第１ストラップの端部は第２ストラップと当接している。
【００４２】
さらなる態様によれば、第２端部は第２ストラップの側壁とオーバーラップしている。
【００４３】
本明細書に開示する実施形態のうちの少なくとも１つによれば、成形金型内で第１ストラップの端部を第２ストラップの側壁に接合する方法が提供される。本方法は、第１管状テキスタイルケーシングの端部を管状コネクタの空洞内に、かつ、第２管状テキスタイルケーシングの側壁の一部を管状コネクタの空洞に隣接してまたはその中に位置決めするステップと、第１管状テキスタイルケーシングおよび第２管状テキスタイルケーシングと管状コネクタとを成形管型のキャビティ内に配置するステップと、溶融プラスチック材料を成形金型内にかつ第１管状テキスタイルケーシング内に導入するステップと、第１管状テキスタイルケーシングおよび管状コネクタを通して溶融プラスチック材料を第２管状テキスタイルケーシング内に射出するステップと、溶融プラスチック材料を、第１管状テキスタイルケーシングおよび第２管状テキスタイルケーシングならびに管状コネクタ内で凝固させて、第１管状テキスタイルケーシングおよび第２管状テキスタイルケーシングならびに管状コネクタ内でプラスチック材料から単体内部コアを形成するステップとを含む。
【００４４】
さらなる態様によれば、位置決めするステップは、第１管状テキスタイルケーシングの端部を第２管状テキスタイルケーシングに当接させることを含む。
【００４５】
本明細書に開示する実施形態のうちの少なくとも１つによれば、第１ストラップおよび第２ストラップを接続し、ストラップの各々がテキスタイルケーシング内に単体プラスチックコアを備える、ストラップコネクタアセンブリであって、第１ストラップの端部に配置された第１コネクタ部と、第２ストラップの端部の間に配置された第２コネクタ部であって、第２ストラップのテキスタイルケーシングを通って突出する単体プラスチックコアの突起を備え、第１ストラップおよび第２ストラップの接続を容易にするように第１コネクタ部と整列するように構成されている第２コネクタ部とを備えるストラップコネクタアセンブリが開示される。さらなる態様によれば、第１コネクタ部の厚さは、第２コネクタ部の厚さに等しい。さらなる態様によれば、第１コネクタ部および第２コネクタ部は、第１ストラップおよび第２ストラップの接続を容易にするように位置合せされているとき、それらの間に配置された隙間を有するように構成されている。さらなる態様によれば、ストラップコネクタアセンブリは、第１コネクタ部に配置された位置合せ凹部であって、成形金型の内面に配置された突起と係合して、成形金型に対して第１コネクタ部の位置を維持するように構成されている位置合せ凹部をさらに備える。さらなる態様によれば、ストラップコネクタアセンブリは、第１コネクタ部および第２コネクタ部の上にオーバーモールドされるオーバーモールド継手をさらに備える。さらなる態様によれば、オーバーモールド継手の厚さは、第１コネクタ部の厚さおよび第２コネクタ部の厚さに等しい。さらなる態様によれば、オーバーモールド継手は、第１ストラップおよび第２ストラップのテキスタイルケーシングと接触する。さらなる態様によれば、第１コネクタ部および第２コネクタ部は、互いに相互嵌合するような形状である。さらなる態様によれば、第１コネクタ部は、テキスタイルケーシングを越える単体プラスチックコアの延長部を備える。さらなる態様によれば、第１コネクタ部は、テキスタイルケーシングの端部を越えて延在する。さらなる態様によれば、第１コネクタ部および第２コネクタ部は、それぞれオスコネクタ部およびメスコネクタ部である。さらなる態様によれば、第１コネクタ部および／または第２コネクタ部の各々がタブを備える。さらなる態様によれば、第１コネクタ部および／または第２コネクタ部は、それぞれの第１ストラップおよび第２ストラップの単体プラスチックコアの幅に等しい幅を有する。
【００４６】
本明細書に開示する実施形態のうちの少なくとも１つによれば、第１ストラップ部および第２ストラップ部を接続し、ストラップ部の各々がテキスタイルケーシング内に単体プラスチックコアを備える、ストラップコネクタアセンブリであって、ストラップのうちの１つの単体プラスチックコアの一部を備え、第１ストラップ部および第２ストラップ部を接続するように構成されている接合タブと、接合タブの表面から突出する位置合せポストと、上記接合タブの上にオーバーモールドされているオーバーモールド継手とを備えるストラップコネクタアセンブリが開示される。さらなる態様によれば、位置合せポストの厚さは、接合タブの厚さより大きい。さらなる態様によれば、位置合せポストの厚さは、オーバーモールド継手の厚さに等しい。さらなる態様によれば、オーバーモールド継手は、エラストマー材料から形成されている。さらなる態様によれば、ストラップコネクタアセンブリは、オーバーモールド継手の表面内に形成されたラベルをさらに備える。
【００４７】
本明細書に開示する実施形態のうちの少なくとも１つによれば、第１ストラップ部および第２ストラップ部を接続し、ストラップ部がテキスタイルケーシング内に単体プラスチックコアを備える、ストラップコネクタであって、ハウジングであって、ハウジングの端部に配置されかつ第１ストラップ部および第２ストラップ部の端部を受け入れるように構成された外部空洞を有する、ハウジングと、外部空洞の間に配置された内部空洞と、内部空洞と外部空洞との間に延在する射出開口部であって、ストラップ部の単体プラスチックコアが射出開口部を通って延在する、射出開口部とを備えるストラップコネクタが開示される。さらなる態様によれば、外部空洞の高さは内部空洞の高さより大きい。さらなる態様によれば、内部空洞の高さは、テキスタイルケーシング内の単体プラスチックコアの厚さに等しい。
【００４８】
本明細書に開示する実施形態のうちの少なくとも１つによれば、ヘッドギア用のストラップアセンブリであって、使用者から離れる方向に面する外面と、使用者の方に面する内面と、外面と内面との間に配置された空洞とを含むテキスタイルケーシングと、テキスタイルケーシングの空洞内に配置されたプラスチックコア材料とを備え、テキスタイルケーシングの外面が凸形状を有する、ストラップアセンブリが開示される。さらなる態様によれば、テキスタイルケーシングの内面は実質的に平面形状を有する。さらなる態様によれば、テキスタイルケーシングの内面は凹形状を有する。
【００４９】
本明細書に開示する実施形態のうちの少なくとも１つによれば、ヘッドギア用のストラップアセンブリであって、使用者の耳の上方に位置決めされるように構成された耳アーチ領域を含むテキスタイルケーシングと、テキスタイル管状ケーシングの空洞内に配置されたプラスチックコアとを備え、耳アーチ領域におけるプラスチックコアとテキスタイルケーシングの縁との間の距離が、ストラップアセンブリの残りの部分における距離より方が大きい、ストラップアセンブリが開示される。
【００５０】
本明細書に開示する実施形態のうちの少なくとも１つによれば、使用者の頭部の頂部および後部を受け入れるように構成されたヘッドギアループストラップであって、テキスタイルケーシングと一体的に形成された単体プラスチックコアと、単体プラスチックコアから形成され、ヘッドギアループストラップの端部の間でテキスタイルケーシングを通って突出するコネクタタブ部とを備えるヘッドギアループストラップと、前部ストラップと、ヘッドギアループストラップのコネクタタブ部と前部ストラップの端部との上に配置されたコネクタとを備えるヘッドギアアセンブリが開示される。さらなる態様によれば、コネクタは、ヘッドギアループストラップおよび前部ストラップの端部の上にオーバーモールドされている。さらなる態様によれば、コネクタの厚さは、コネクタタブ部の厚さに等しい。さらなる態様によれば、コネクタの厚さは、ヘッドギアループストラップの厚さに等しい。さらなる態様によれば、ヘッドギアループストラップは、ヘッドギアループストラップの端部から延在する位置合せタブであって、ヘッドギアループストラップの単体プラスチックコアの一部を備える位置合せタブと、接合タブの表面から突出する位置合せポストとをさらに備える。
【００５１】
本明細書に開示する実施形態のうちの少なくとも１つによれば、第１ストラップ部および第２ストラップ部を接続し、ストラップ部の各々がテキスタイルケーシング内に単体プラスチックコアを備える、ストラップコネクタアセンブリであって、第１ストラップの端部に配置された第１コネクタ部と、第２ストラップの端部の間に配置され、第２ストラップのテキスタイルケーシングを通って突出する第２コネクタ部と、第１コネクタ部および第２コネクタ部の上にオーバーモールドされているオーバーモールド継手とを備えるストラップコネクタアセンブリが開示される。さらなる態様によれば、第１コネクタ部および第２コネクタ部のうちの少なくとも一方は、第１ストラップの表面から突出する位置合せポストをさらに備え、オーバーモールド継手は、位置合せポストを包囲している。さらなる態様によれば、第１コネクタ部および第２コネクタ部のうちの少なくとも一方は、第１ストラップの表面内に凹状に形成されたくぼみ領域をさらに備え、くぼみ領域は、オーバーモールド継手のオーバーモールド材料を受け入れる。さらなる態様によれば、ストラップコネクタアセンブリは、第１ストラップおよび第２ストラップのうちの少なくとも一方の表面内に凹状に形成されている位置合せ凹部をさらに備え、位置合せ凹部は、成形金型の内面に配置された突起と係合して、成形金型に対して第１ストラップおよび第２ストラップのうちの少なくとも一方の位置を維持するように構成されている。
【００５２】
本明細書に開示する実施形態のうちの少なくとも１つによれば、成形金型内で第１ストラップおよび第２ストラップを接続するストラップコネクタアセンブリが提供される。ストラップは、管状テキスタイルケーシング内に射出される単体プラスチックコアから形成されている。ストラップコネクタアセンブリは、第１ストラップの端部に配置されたオスコネクタ部と、第２ストラップの端部の間に配置されたメスコネクタ部であって、第２ストラップのテキスタイルケーシングを通って突出するメスコネクタ部とを含む。メスコネクタ部、第１ストラップおよび第２ストラップが接続されるようにオスコネクタ部と係合するように構成されている。オスコネクタ部およびメスコネクタ部は、溶融単体プラスチックコア材料から形成されている。さらなる態様によれば、オスコネクタ部の厚さは、メスコネクタ部の厚さに等しい。さらなる態様によれば、ストラップコネクタアセンブリは、オスコネクタ部とメスコネクタ部との間にさらに隙間を含む。さらなる態様によれば、ストラップコネクタアセンブリは、オスコネクタ部に配置された位置合せ凹部であって、成形金型の内面に配置された突起と係合して、成形金型に対してオスコネクタ部の位置を維持するように構成されている位置合せ凹部をさらに含む。さらなる態様によれば、ストラップコネクタアセンブリは、オスコネクタ部およびメスコネクタ部の上にオーバーモールドされるオーバーモールド継手をさらに含む。さらなる態様によれば、オーバーモールド継手の厚さは、オスコネクタ部の厚さおよびメスコネクタ部の厚さに等しい。さらなる態様によれば、オーバーモールド継手は、第１ストラップおよび第２ストラップのテキスタイルケーシングと接触する。
【００５３】
本明細書に開示する実施形態のうちの少なくとも１つによれば、成形金型内で第１ストラップ部および第２ストラップ部を接続するストラップコネクタアセンブリが提供される。ストラップ部は、テキスタイルケーシング内に射出される単体プラスチックコアから形成されている。ストラップコネクタアセンブリは、単体プラスチックコア材料から形成され、第１ストラップ部および第２ストラップ部の端部を接続するように構成されている接合タブと、接合タブの表面から突出する位置合せポストと、接合タブの上にオーバーモールドされているオーバーモールド継手とを含む。さらなる態様によれば、位置合せポストの厚さは、接合タブの厚さより大きい。
【００５４】
さらなる態様によれば、位置合せポストの厚さは、オーバーモールド継手の厚さに等しい。
【００５５】
さらなる態様によれば、オーバーモールド継手は、エラストマー材料から形成されている。
【００５６】
さらなる態様によれば、ストラップコネクタアセンブリは、オーバーモールド継手の表面内に形成されたラベルをさらに含む。
【００５７】
本明細書に開示する実施形態のうちの少なくとも１つによれば、成形金型内で第１ストラップ部および第２ストラップ部を接続するストラップコネクタが提供される。ストラップ部は、テキスタイルケーシング内に射出される単体プラスチックコアから形成されている。ストラップコネクタは、ハウジングの端部に配置されかつ第１ストラップ部および第２ストラップ部の端部を受け入れるように構成された外部空洞と、外部空洞の間に配置された内部空洞と、内部空洞と外部空洞と流体連通しかつ単体プラスチックコア材料を受け入れるように構成されている射出開口部とを含む。
【００５８】
さらなる態様によれば、外部空洞の高さは内部空洞の高さより大きい。
【００５９】
さらなる態様によれば、内部空洞の高さは、管状テキスタイルケーシング内の単体プラスチックコア材料の厚さに等しい。
【００６０】
本明細書に開示する実施形態のうちの少なくとも１つによれば、ヘッドギア用のストラップアセンブリが提供される。ストラップアセンブリは、使用者から離れる方向に面する外面と、使用者の方に面する内面とを含むテキスタイル管状ケーシングと、テキスタイル管状ケーシングの空洞内に配置されたプラスチックコア材料とを含む。テキスタイル管状ケーシングの外面は凸形状を有する。
【００６１】
さらなる態様によれば、テキスタイルケーシングの内面は実質的に平面形状を有する。
【００６２】
さらなる態様によれば、テキスタイルケーシングの内面は凹形状を有する。
【００６３】
本明細書に開示する実施形態のうちの少なくとも１つによれば、ヘッドギアアセンブリが提供される。ヘッドギアアセンブリは、使用者の頭部の頂部および後部を受け入れるように構成されたヘッドギアループストラップを含む。ヘッドギアループストラップは、テキスタイルケーシングと一体的に形成された単体プラスチックコア材料と、単体プラスチックコアから形成され、ヘッドギアループストラップの端部の間でヘッドギアループストラップの管状テキスタイルケーシングを通って突出するコネクタタブ部とを含む。ヘッドギアアセンブリは、前部ストラップと、ヘッドギアループストラップのコネクタタブ部と前部ストラップの端部との上に配置されたコネクタとをさらに含む。
【００６４】
さらなる態様によれば、コネクタは、ヘッドギアループストラップおよび前部ストラップの端部の上にオーバーモールドされている。
【００６５】
さらなる態様によれば、コネクタの厚さは、コネクタタブ部の厚さに等しい。
【００６６】
さらなる態様によれば、コネクタの厚さは、ヘッドギアループストラップの厚さに等しい。
【００６７】
さらなる態様によれば、ヘッドギアループストラップは、ヘッドギアループストラップの端部から延在する位置合せタブであって、ヘッドギアループストラップの単体プラスチックコアの一部を備える位置合せタブと、接合タブの表面から突出する位置合せポストと、位置合せタブの上にオーバーモールドされかつヘッドギアループストラップの端部を接続するように構成されたオーバーモールド継手とをさらに含む。
【００６８】
本明細書に開示する実施形態のうちの少なくとも１つによれば、成形金型内で第１ストラップ部および第２ストラップ部を接続するストラップコネクタアセンブリが提供される。ストラップ部は、管状テキスタイルケーシング内に射出された単体プラスチックコア材料から形成されている。ストラップコネクタアセンブリは、第１ストラップの端部に配置された第１コネクタ部と、第２ストラップの端部の間に配置され、第２ストラップの管状テキスタイルケーシングを通って突出する第２コネクタ部と、第１コネクタ部および第２コネクタ部の上にオーバーモールドされているオーバーモールド継手とを含む。
【００６９】
さらなる態様によれば、第１コネクタ部および第２コネクタ部のうちの少なくとも一方は、第１ストラップの表面から突出する位置合せポストをさらに備え、オーバーモールド継手は位置合せポストを包囲している。
【００７０】
さらなる態様によれば、第１コネクタ部および第２コネクタ部のうちの少なくとも一方は、第１ストラップの表面内に凹状に形成されたくぼみ領域をさらに備え、くぼみ領域は、オーバーモールド継手のオーバーモールド材料を受け入れる。
【００７１】
さらなる態様によれば、ストラップコネクタアセンブリは、第１ストラップおよび第２ストラップのうちの少なくとも一方の表面内に凹状に形成されている位置合せ凹部をさらに含み、位置合せ凹部は、成形金型の内面に配置された突起と係合して、成形金型に対して第１ストラップおよび第２ストラップのうちの少なくとも一方の位置を維持するように構成されている。
【００７２】
いくつかの構成では、患者インタフェース用のヘッドギアアセンブリは、ヘッドピースと少なくとも１つのコネクタとを備える。ヘッドピースは、頂部ストラップと、前方ストラップと、後部ストラップとを備える。コネクタは、第１ストラップと第２ストラップとを含む。第１ストラップは、マスクアセンブリから使用者の耳の上方および後方に延在するように構成されている。第２ストラップは、マスクアセンブリから使用者の耳の下方および後方に延在するように構成されている。第１ストラップは、後部コネクタ部において第２ストラップと一緒になる。コネクタは、ヘッドピースと接続するように構成された少なくとも１つのヘッドピース接続面を含む。ヘッドピースは、コネクタの少なくとも１つのヘッドピース接続面と接続するように構成された少なくとも１つのコネクタ接続面を含む。
【００７３】
いくつかの構成では、ヘッドピースの頂部ストラップ、後部ストラップおよび前方ストラップのうちの１つまたは複数は、各々が自由端部を有する別個の左部分および右部分を備える。左部分および右部分の自由端部は、互いに調整可能に接続されている。
【００７４】
いくつかの構成では、頂部ストラップおよび前方ストラップは接合部で集まっている。
【００７５】
いくつかの構成では、接合部は耳ループの一部を形成している。
【００７６】
いくつかの構成では、後部ストラップは耳ループの一部を形成している。
【００７７】
いくつかの構成では、耳ループは、使用者の耳を耳と接触することなく包囲するように構成されている。
【００７８】
いくつかの構成では、少なくとも１つのコネクタ接続面は、使用者の耳の上方から下方に延在する、Ｃ字形接続領域に沿って、少なくとも１つのヘッドピース接続面に接続するように構成されている。
【００７９】
いくつかの構成では、少なくとも１つのコネクタ接続面は、使用者の耳の後方から上方にかつ下方に延在する接続線に沿って、少なくとも１つヘッドピース接続面に接続するように構成されており、接続線の全体が、使用者の耳の最下限界の上方に位置するように構成されている。
【００８０】
いくつかの構成では、患者インタフェースは、マスクアセンブリと、上述したヘッドギアアセンブリとを備える。
【００８１】
いくつかの構成では、患者インタフェース用のヘッドギアアセンブリは、ヘッドピースと少なくとも１つのコネクタとを備える。ヘッドピースは、頂部ストラップと、前方ストラップと、後部ストラップとを備える。コネクタは、中部ストラップと下部ストラップとを含む。中部ストラップは、マスクアセンブリから使用者の耳の上方および後方に延在するように構成されている。下部ストラップは、マスクアセンブリから使用者の耳の下方および後方に延在するように構成されている。中部ストラップは、後部コネクタ部において下部ストラップと一緒になる。コネクタは、ヘッドピースと接続するように構成された少なくとも１つのヘッドピース接続面を含む。ヘッドピースは、コネクタの少なくとも１つのヘッドピース接続面と接続するように構成された少なくとも１つのコネクタ接続面を含む。
【００８２】
本明細書に開示する実施形態のうちの少なくとも１つによれば、患者インタフェースが提供される。患者インタフェースは、ヘッドギアアセンブリと、マスクアセンブリと、ヘッドギアアセンブリをマスクアセンブリに接続するコネクタ部とを含む。ヘッドギアアセンブリ、マスクアセンブリおよびコネクタ部は、コネクタがマスクアセンブリから分離するときに閉ループを形成する。
【００８３】
さらなる態様によれば、閉ループの有効長は、コネクタ部がマスクアセンブリから分離しているとき、コネクタ部がマスクアセンブリと係合しているときの閉ループの有効長と比較して増大する。
【００８４】
さらなる態様によれば、コネクタ部はヒンジ部によってマスクアセンブリに取り付けられている。
【００８５】
さらなる態様によれば、コネクタ部はテザーによってマスクアセンブリに取り付けられている。
【００８６】
さらなる態様によれば、ヒンジ部はリビングヒンジである。
【００８７】
さらなる態様によれば、ヒンジ部はシリコーンから形成されている。
【００８８】
さらなる態様によれば、リビングヒンジは布地から形成されている。
【００８９】
さらなる態様によれば、患者インタフェースは、マスクアセンブリの上に配置されているフックをさらに含み、ポストが接続部の上に配置されている。フックは、フックを受け入れるポストを受け入れて、マスクアセンブリと係合する。
【００９０】
さらなる態様によれば、コネクタ部は、スナップフィットまたは締まり嵌めを介してマスクアセンブリと係合する。
【００９１】
さらなる態様によれば、ヘッドギアアセンブリは、内部に一体的に形成された単体プラスチックコア材料を有するテキスタイルケーシングから形成されたストラップを有する。
【００９２】
さらなる態様によれば、コネクタ部がマスクアセンブリから分離しているときの閉ループの有効長と、コネクタ部がマスクアセンブリと係合しているときの閉ループの有効長との差が、少なくとも４０ミリメートルである。
【００９３】
新規性のあるすべての態様において考慮されるべき、本発明の１つまたは複数の実施形態のさらなる態様は、以下の説明から明らかとなろう。
【００９４】
図面を通して、参照要素の間の概略的な対応を示すために、参照番号を再使用する場合がある。図面は、本明細書に記載される実施形態例を例示するために提供され、本開示の範囲を限定するようには意図されていない。
【図面の簡単な説明】
【００９５】
【図１Ａ】本開示の突破り（ｂｕｒｓｔ−ｔｈｒｏｕｇｈ）型内成形（ｉｎｔｒａ−ｍｏｕｌｉｎｇ）構成によって形成された二又ヘッドギア構成の側面図を示す。
【図１Ｂ】本開示の二又ヘッドギア構成の上面斜視図を示す。
【図２Ａ】本開示の二又ヘッドギア構成の頂部ストラップと底部ストラップとの間の接合部の拡大側面図を示す。
【図２Ｂ】本開示の二又ヘッドギア構成の頂部ストラップと底部ストラップとの間の接合部の拡大側面図を示す。
【図３】本開示の二又ヘッドギア構成の頂部ストラップと底部ストラップとの間の接合部の断面図を示す。
【図４】本開示の二又ヘッドギア構成を形成する射出成形金型の斜視図を示す。
【図５】射出成形金型の第２金型半体の上面図を示す。
【図６】射出成形金型の第２金型半体内に配置された頂部ストラップおよび底部ストラップの拡大上面斜視図を示す。
【図７】完全に形成された二又ヘッドギア部の底面断面図を示す。
【図８Ａ】Ｘ字型接合部およびＴ字型接合部を形成する代替的な型内成形ストラップキャビティ構成の第２金型半体の斜視図を示す。
【図８Ｂ】Ｘ字型接合部およびＴ字型接合部を有するストラップ構成の上面図を示す。
【図９Ａ】ストラップの間に配置された一体的に形成された連結部材によって互いに接合されたストラップを有する代替的な型内成形ストラップ構成の上面図を示す。
【図９Ｂ】ストラップの間に配置された一体的に形成されたウェブ部によって互いに接合されたストラップを有する代替的な型内成形ストラップ構成の上面図を示す。
【図１０Ａ】フィレット状ストラップを隣接するストラップに接続するフィレット状接合部を有する代替的な型内成形ストラップ構成の上面図を示す。
【図１０Ｂ】フィレット状接合部を形成する射出成形金型の上面斜視図を示す。
【図１１Ａ】ストラップに刻み込まれた成形正方形テクスチャを有する型内成形ストラップ構成の上面図を示す。
【図１１Ｂ】ストラップに刻み込まれた成形正方形テクスチャの拡大上面図を示す。
【図１１Ｃ】図１１Ｂの線１１Ｃ−１１Ｃに沿った、ストラップに刻み込まれた成形正方形テクスチャの断面図を示す。
【図１１Ｄ】ストラップに刻印されている成形六角形テクスチャを有する型内成形ストラップ構成の上面図を示す。
【図１１Ｅ】ストラップに刻み込まれた成形六角形テクスチャの側面斜視図を示す。
【図１２Ａ】型内成形二又ヘッドギア用の取付部材とともに底部ストラップを形成する第１成形金型の上面図を示す。
【図１２Ｂ】底部ストラップおよび取付部材を示す第１成形金型の拡大上面図を示す。
【図１３Ａ】取付部材の上に頂部ストラップを形成する第２成形金型の上面図である。
【図１３Ｂ】頂部ストラップが底部ストラップに取り付けられた状態を示す第２成形金型の拡大上面図を示す。
【図１３Ｃ】頂部ストラップへのプラスチックコア材料の射出の前に取付部材の上に配置された頂部ストラップの拡大断面図を示す。
【図１３Ｄ】頂部ストラップへのプラスチックコア材料の射出の後に取付部材に取り付けられた頂部ストラップの拡大断面図を示す。
【図１４Ａ】底部ストラップとの接合部に封止端部を有する頂部ストラップの拡大側面図を示す。
【図１４Ｂ】封止端部を有する頂部ストラップの拡大側面図を示す。
【図１４Ｃ】接合部において底部ストラップに取り付けられた封止端部を有する頂部ストラップの拡大側面図を示す。
【図１４Ｄ】頂部ストラップと底部ストラップとの間の接合部の断面図を示す。
【図１５Ａ】頂部ストラップが、変形ロック機構と係合する底部ストラップに結合されたフィラメントコアを有する底部ストラップに取り付けられた状態の拡大側断面図を示す。
【図１５Ｂ】フィラメントコアが結合されている底部ストラップを有する二又ヘッドギア部の上面図を示す。
【図１５Ｃ】底部ストラップ用のケーシング長さの伸長を示す上面図を示す。
【図１５Ｄ】引き伸ばされたときに底部ストラップ用のケーシングの幅が狭くなることを示す上面図を示す。
【図１６Ａ】本開示の突破り型内成形構成によって形成されているボタンおよび穴サイズ調整システムを有する代替的な二又ヘッドギア構成の側面斜視図を示す。
【図１６Ｂ】ボタンおよび穴サイズ調整システムを有する頂部ストラップおよび底部ストラップに対する断面図を示す。
【図１６Ｃ】ボタンおよび穴サイズ調整システムのボタンを形成する射出成形金型の側面斜視図である。
【図１６Ｄ】ボタンおよび穴サイズ調整システムのボタンを突破り型内成形するプロセス中の第１成形金型半体および第２成形金型半体の断面図を示す。
【図１７】突破り型内成形プロセスによって形成された調整および有用性機構を備えた調整可能ストラップ構成を示す。
【図１８】複数のストラップおよび複数の突破り接合部を有する型内成形ヘッドギアを示す。
【図１９】型内成形および突破りプロセスとともに、追加の快適層を組み込んだ例示的なヘッドギアを示す。
【図２０】型内成形および突破りプロセスとともに、追加の快適層を組み込んだ別の例示的なヘッドギアを示す。
【図２１】型内成形および突破りプロセスを組み込み、下部ストラップおよび中部ストラップの後部を接合するウェブ部を有する、例示的なヘッドギアを示す。
【図２２】型内成形および突破りプロセスを組み込み、連続下部ストラップを有する、別の例示的なヘッドギアを示す。
【図２３】型内成形および突破りプロセスを組み込み、下部ストラップおよび中部ストラップの後部を接合するウェブ部を有する、例示的なヘッドギアを示す。
【図２４】型内成形および突破りプロセスを組み込み、連続下部ストラップと組合せ連続中部および垂直ストラップとを有する、例示的なヘッドギアを示す。
【図２５】型内成形および突破りプロセスを組み込み、閉ループ構造の形態の連続ケーシングから形成されている下部ストラップおよび中部ストラップを有する、例示的なヘッドギアを示す。
【図２６】型内成形および突破りプロセスを組み込み、閉ループ構造の形態の連続ケーシングから形成されている下部ストラップおよび中部ストラップを有する、別の例示的なヘッドギアを示す。
【図２７】型内成形および突破りプロセスを組み込み、使用者の皮膚または頭髪と直接接触するようにヘッドギアの部分に取り付けられたキルト布地または材料を有する、例示的なヘッドギアを示す。
【図２８】型内成形および突破りプロセスを組み込み、使用者の皮膚または頭髪と直接接触するようにヘッドギアの部分に取り付けられたキルト布地または材料を有する、別の例示的なヘッドギアを示す。
【図２９】型内成形および突破りプロセスを組み込み、フォーム−ライクララミネート材料から形成された垂直ストラップおよびネックストラップを有する、例示的なヘッドギアを示す。
【図３０】型内成形および突破りプロセスを組み込み、垂直ストラップおよびネックストラップ上に通気性、吸湿性材料を有する、例示的なヘッドギアを示す。
【図３１】型内成形および突破りプロセスと、閉ループ構造の形態の連続ケーシングから形成されている下部ストラップおよび中部ストラップとを組み込んだ、例示的なヘッドギアを示す。
【図３２】型内成形および突破りプロセスを組み込み、閉ループ構造の形態の連続ケーシングから形成されている底部下部ストラップ、中部ストラップおよび前部垂直ストラップを有する、例示的なヘッドギアを示す。
【図３３】型内成形および突破りプロセスを組み込み、閉ループ構造の形態の連続ケーシングから形成されている下部ストラップおよび中部ストラップを有する、例示的なヘッドギアを示す。
【図３４】型内成形および突破りプロセスを組み込み、閉ループ構造の形態の連続ケーシングから形成されている下部ストラップおよび中部ストラップを有する、例示的なヘッドギアを示す。
【図３５】型内成形および突破りプロセスを組み込み、連続ケーシングを有する下部ストラップおよび中部ストラップを有する、例示的なヘッドギアを示す。
【図３６】型内成形および突破りプロセスを組み込み、閉ループ構造の形態の連続ケーシングから形成されている下部ストラップおよび中部ストラップを有する、例示的なヘッドギアを示す。
【図３７】型内成形および突破りプロセスを組み込み、連続ケーシングから形成されている下部ストラップおよび中部ストラップを有する、例示的なヘッドギアを示す。
【図３８】型内成形および突破りプロセスを組み込み、連続ケーシングから形成されている下部ストラップおよび中部ストラップを有する、別の例示的なヘッドギアを示す。
【図３９】型内成形および突破りプロセスを組み込み、連続ケーシングから形成されている下部ストラップおよび中部ストラップを有する、例示的なヘッドギアを示す。
【図４０】型内成形および突破りプロセスを組み込み、連続ケーシングから形成されている下部ストラップ、中部ストラップおよび垂直ストラップを有する、例示的なヘッドギアを示す。
【図４１】型内成形および突破りプロセスを組み込み、下部ストラップ、ならびに連続ケーシングから形成されている中部ストラップおよび垂直ストラップを有する、例示的なヘッドギアを示す。
【図４２】型内成形および突破りプロセスを組み込み、連続ケーシングから形成されている下部ストラップおよび中部ストラップを有する、例示的なヘッドギアを示す。
【図４３Ａ】患者インタフェースと使用することができる例示的なヘッドギアの正面斜視図である。
【図４３Ｂ】図４３Ａの例示的なヘッドギアの背面斜視図である。
【図４４Ａ】患者インタフェースと使用することができる例示的なヘッドギアの正面斜視図である。
【図４４Ｂ】図４４Ａの例示的なヘッドギアの背面斜視図である。
【図４５Ａ】患者インタフェースと使用することができる例示的なヘッドギアの正面斜視図である。
【図４５Ｂ】図４５Ａの例示的なヘッドギアの背面斜視図である。
【図４６Ａ】患者インタフェースと使用することができる例示的なヘッドギアの正面斜視図である。
【図４６Ｂ】図４６Ａの例示的なヘッドギアの側面図である。
【図４６Ｃ】図４６Ａの例示的なヘッドギアの背面斜視図である。
【図４７Ａ】患者インタフェースと使用することができる例示的なヘッドギアの正面斜視図である。
【図４７Ｂ】図４７Ａの例示的なヘッドギアの背面斜視図である。
【図４８Ａ】患者インタフェースと使用することができる例示的なヘッドギアの正面斜視図である。
【図４８Ｂ】図４８Ａの例示的なヘッドギアの背面斜視図である。
【図４９Ａ】患者インタフェースと使用することができる例示的なヘッドギアの正面斜視図である。
【図４９Ｂ】図４９Ａの例示的なヘッドギアの背面斜視図である。
【図５０Ａ】患者インタフェースと使用することができる例示的なヘッドギアの正面斜視図である。
【図５０Ｂ】図５０Ａの例示的なヘッドギアの背面斜視図である。
【図５１Ａ】患者インタフェースと使用することができる例示的なヘッドギアの側面図である。
【図５１Ｂ】図５１Ａの例示的なヘッドギアのストラップ部の断面図である。
【図５２Ａ】患者インタフェースと使用することができる例示的なヘッドギアの側面図である。
【図５２Ｂ】図５２Ａの例示的なヘッドギアのストラップ部の断面図である。
【図５２Ｃ】図５２Ａの例示的なヘッドギアのストラップ部の断面図である。
【図５３Ａ】患者インタフェースと使用することができる例示的なヘッドギアの側面図である。
【図５３Ｂ】図５３Ａの例示的なヘッドギアのストラップ部の断面図である。
【図５４Ａ】患者インタフェースと使用することができ、連続ケーシングから形成されている下部ストラップおよび中部ストラップを有する、例示的なヘッドギアの側面図である。
【図５４Ｂ】図５４Ａの例示的なヘッドギアのウェブ部の拡大図である。
【図５４Ｃ】図５４Ｂの線５４Ｃ−５４Ｃに沿ったウェブ部の断面図である。
【図５５Ａ】患者インタフェースと使用することができ、連続下部ストラップと組合せ連続中部および垂直ストラップと有する、例示的なヘッドギアの側面図である。
【図５５Ｂ】図５５Ａの線５５Ｂ−５５Ｂに沿った例示的なヘッドギアのウェブ部の断面図である。
【図５５Ｃ】図５５Ａの例示的なヘッドギアのウェブ部の拡大図である。
【図５６Ａ】患者インタフェースと使用することができる例示的なヘッドギアと、閉ループ構造の形態の連続ケーシングから形成されている下部ストラップおよび中部ストラップとの側面図である。
【図５６Ｂ】図５６Ａの例示的なヘッドギアの接合部の拡大図である。
【図５７Ａ】患者インタフェースと使用することができ、連続ケーシングから形成されている下部ストラップおよび中部ストラップを有する、例示的なヘッドギアの側面図である。
【図５７Ｂ】図５７Ａの例示的なヘッドギアの第２垂直部材の拡大図である。
【図５７Ｃ】図５７Ｂの線５７Ｃ−５７Ｃに沿った第２垂直部材の断面図である。
【図５８Ａ】患者インタフェースと使用することができる例示的なヘッドギアの側面図である。
【図５８Ｂ】図５８Ａの例示的なヘッドギアの接合部の拡大図である。
【図５９Ａ】患者インタフェースと使用することができ、連続中部および垂直ストラップと連続上部および後部ストラップとを有する、例示的なヘッドギアの側面図である。
【図５９Ｂ】図５９Ａの例示的なヘッドギアの連続中部および垂直ストラップならびに連続上部および後部ストラップの拡大図である。
【図５９Ｃ】図５９Ａおよび図５９Ｂの線５９Ｃ−５９Ｃに沿った連続中部および垂直ストラップならびに連続上部および後部ストラップの断面図である。
【図６０Ａ】患者インタフェースと使用することができる例示的なヘッドギアの側面図である。
【図６０Ｂ】図６０Ａの例示的なヘッドギアの後部ストラップの拡大図である。
【図６１Ａ】患者インタフェースと使用することができ、連続中部および垂直ストラップと連続上部および後部ストラップとを有する、例示的なヘッドギアの側面図である。
【図６１Ｂ】図６１Ａの例示的なヘッドギアの中部ストラップおよび下部ストラップの後方部分の拡大図である。
【図６１Ｃ】図６１Ｂの線６１Ｃ−６１Ｃに沿った連続中部および垂直ストラップならびに連続上部および後部ストラップの断面図である。
【図６２Ａ】患者インタフェースと使用することができる例示的なヘッドギアの側面図である。
【図６２Ｂ】図６２Ａの例示的なヘッドギアの変形の拡大図である。
【図６３Ａ】患者インタフェースと使用することができ、使用者の皮膚または頭髪と直接接触するようにヘッドギアの部分に取り付けられて設けられたキルト布地または材料を有する、例示的なヘッドギアの側面図である。
【図６３Ｂ】図６３Ａの例示的なヘッドギアのキルト布地の拡大図である。
【図６３Ｃ】図６３Ａの例示的なヘッドギアの代替的なウェブ部材料の拡大図である。
【図６４Ａ】患者インタフェースと使用することができ、使用者の皮膚または頭髪と直接接触するようにヘッドギアの部分に取り付けられて設けられた布地またはテキスタイル材料を有する、例示的なヘッドギアの側面図である。
【図６４Ｂ】図６４Ａの例示的なヘッドギアの布地またはテキスタイル材料の拡大図である。
【図６５】開示したヘッドギアの実施形態と使用することができるブランド名の付いたグリップの拡大図である。
【図６６Ａ】第１ストラップの端部と第２ストラップの中心または中間部との間のＴ字型接合部の側面図である。
【図６６Ｂ】図６６ＡのＴ字型接合部を形成するコネクタの拡大図である。
【図６７】Ｔ字型接合部の斜視図である。
【図６８Ａ】コネクタの底面図である。
【図６８Ｂ】コネクタの側面図である。
【図６８Ｃ】コネクタの上面図である。
【図６８Ｄ】コネクタの斜視図である。
【図６９】第１ストラップの端部がコネクタの内側に配置されるように第１ストラップの上に配置されたコネクタを示すＴ字型接合部の側面図である。
【図７０】コネクタおよびＴ字型接合部の斜視図である。
【図７１】充填コネクタおよびＴ字型接合部の拡大側面図である。
【図７２】充填コネクタおよびＴ字型接合部の断面図である。
【図７３】充填コネクタおよびＴ字型接合部の側面図である。
【図７４Ａ】オーバーモールド継手を形成するオスコネクタを有する例示的なヘッドギア構成の頂部ストラップの上面図を示す。
【図７４Ｂ】オーバーモールド継手を形成するメスコネクタを有する例示的なヘッドギア構成の底部ストラップの上面図を示す。
【図７５Ａ】頂部ストラップのオスコネクタの拡大上面図を示す。
【図７５Ｂ】頂部ストラップのオスコネクタの拡大断面図を示す。
【図７６Ａ】底部ストラップのメスコネクタの拡大上面図を示す。
【図７６Ｂ】底部ストラップのメスコネクタの拡大断面図を示す。
【図７６Ｃ】底部ストラップのメスコネクタの拡大斜視図を示す。
【図７７Ａ】位置合せされたオスコネクタおよびメスコネクタの拡大上面図を示す。
【図７７Ｂ】オスコネクタがメスコネクタに挿入されかつメスコネクタによって受け入れられている状態の拡大上面図を示す。
【図７７Ｃ】オスコネクタがメスコネクタに挿入されかつメスコネクタによって受け入れられている状態の拡大断面図を示す。
【図７８Ａ】オスコネクタとメスコネクタとの間の相対的に小さい隙間を示すオスコネクタおよびメスコネクタの拡大側面図を示す。
【図７８Ｂ】オスコネクタとメスコネクタとの間の相対的に大きい隙間を示すオスコネクタおよびメスコネクタの拡大側面図を示す。
【図７９Ａ】オスコネクタの拡大上面図を示す。
【図７９Ｂ】オーバーモールド金型のオーバーモールドキャビティの斜視図を示す。
【図７９Ｃ】オーバーモールド金型のオーバーモールドキャビティ内に挿入されたオスコネクタの断面図を示す。
【図８０Ａ】頂部ストラップおよび底部ストラップを結合するオーバーモールド継手の拡大上面図を示す。
【図８０Ｂ】頂部ストラップおよび底部ストラップを結合するオーバーモールド継手の斜視図を示す。
【図８０Ｃ】頂部ストラップおよび底部ストラップを結合するオーバーモールド継手の図の底断面図を示す。
【図８１Ａ】底部ストラップの２つの半体を接合するオーバーモールドの前の接合タブおよび位置合せポストの拡大上面図を示す。
【図８１Ｂ】図８１Ａの接合タブおよび位置合せポストの拡大底面図を示す。
【図８１Ｃ】図８１Ａの接合タブおよび位置合せポストの拡大断面図を示す。
【図８１Ｄ】図８１Ａの接合タブおよび位置合せポストの上に形成されたオーバーモールドの拡大上面図を示す。
【図８１Ｅ】図８１Ｄのオーバーモールドの拡大底面図を示す。
【図８２Ａ】ストラップ端部継手ハウジングの側面図を示す。
【図８２Ｂ】図８２Ａのストラップ端部継手ハウジングの斜視図を示す。
【図８３Ａ】図８２Ａのストラップ端部継手ハウジングの上面図を示す。
【図８３Ｂ】図８２Ａのストラップ端部継手ハウジングの側面図を示す。
【図８３Ｃ】図８２Ａのストラップ端部継手ハウジングの端面図を示す。
【図８３Ｄ】図８３Ａの線８３Ｄ−８３Ｄに沿ったストラップ端部継手ハウジングの側断面図を示す。
【図８３Ｅ】図８３Ｂの線８３Ｅ−８３Ｅに沿ったストラップ端部継手ハウジングの端断面図を示す。
【図８４Ａ】ストラップの縁に沿ってフランジ部が形成されているＤ字型断面を有するストラップの側断面図を示す。
【図８４Ｂ】ストラップの縁に沿ってフランジ部が形成されていないＤ字型断面を有するストラップの側断面図を示す。
【図８５】使用者の耳の上方に配置される柔らかい縁を有する底部ストラップを有するストラップの上面図を示す。
【図８６】後部ヘッドギアループストラップを有する突破り型内成形構成によって形成された二又ヘッドギア構成の側面図を示す。
【図８７Ａ】図８６の後部ヘッドギアループストラップの上面図を示す。
【図８７Ｂ】図８６の後部ヘッドギアループストラップの突破りタブの拡大上面図を示す。
【図８７Ｃ】図８６の後部ヘッドギアループストラップの位置合せタブの拡大上面図を示す。
【図８８Ａ】図８６の後部ヘッドギアループストラップの位置合せタブの上面図を示す。
【図８８Ｂ】図８７Ｃの線８８Ｂ−８８Ｂに沿った後部ヘッドギアループストラップの位置合せタブの拡大断面図を示す。
【図８９Ａ】後部ヘッドギアループストラップを前部ストラップに結合するオーバーモールド継手の上面図を示す。
【図８９Ｂ】図８９Ａにおける線８９Ｂ−８９Ｂに沿ったオーバーモールド継手の拡大断面図を示す。
【図９０Ａ】位置合せポストおよびくぼみを有する頂部ストラップの斜視図を示す。
【図９０Ｂ】図９０Ａの頂部ストラップの底面図を示す。
【図９０Ｃ】位置合せポストおよびくぼみを有する底部ストラップの上面図を示す。
【図９０Ｄ】位置合せポスト、ポスト穴およびくぼみを有する、図９０Ｃにおける底部ストラップの上面図を示す。
【図９１Ａ】図９０Ｃの底部ストラップと位置合せされた図９０Ａの頂部ストラップの斜視図を示す。
【図９１Ｂ】図９０Ｃの底部ストラップと位置合せされた図９０Ａの頂部ストラップの底面図を示す。
【図９１Ｃ】図９０Ｃの底部ストラップと位置合せされた図９０Ａの頂部ストラップの斜視図を示す。
【図９１Ｄ】図９０Ｃの底部ストラップと位置合せされた図９０Ａの頂部ストラップの断面斜視図を示す。
【図９２Ａ】図９０Ａの頂部ストラップと図９０Ｃの底部ストラップとを結合するオーバーモールド継手の底面図を示す。
【図９２Ｂ】図９２Ａのオーバーモールド継手の上面図を示す。
【図９２Ｃ】図９２Ａのオーバーモールド継手の断面斜視図を示す。
【図９２Ｄ】オーバーモールドコネクタの断面斜視図を示す。
【図９３Ａ】本開示によるヘッドギアアセンブリおよびマスクアセンブリを有する患者インタフェースの非限定的な例示的な実施形態の斜視図である。ヘッドギアアセンブリは、ヘッドピースと、ヘッドピースとマスクアセンブリとの間の１つまたは複数のコネクタとを含む。
【図９３Ｂ】コネクタがヘッドピースから分離されている、図９３Ａの患者インタフェースの斜視図である。
【図９３Ｃ】図９３Ａの患者インタフェースの背面斜視図である。
【図９４Ａ】本開示によるヘッドギアアセンブリおよびマスクアセンブリを有する患者インタフェースの別の非限定的な例示的な実施形態の斜視図である。ヘッドギアアセンブリは、ヘッドピースと、ヘッドピースとマスクアセンブリとの間の１つまたは複数のコネクタとを含む。
【図９４Ｂ】コネクタが頭部部材から分離されている、図９４Ａの患者インタフェースの斜視図である。
【図９４Ｃ】図９４Ａの患者インタフェースの背面斜視図である。
【図９５】ヘッドギア、マスクアセンブリおよびコネクタを含む本開示の患者インタフェースの等角図を示す。
【図９６】図９５の患者インタフェースの背面等角図を示す。
【図９７】マスクアセンブリから分離されたコネクタを示す患者インタフェースの等角図を示す。
【図９８】マスクアセンブリから離れる方向に完全に伸ばされているコネクタを示す図９７の患者インタフェースの等角図を示す。
【図９９Ａ】リビングヒンジコネクタの等角図を示す。
【図９９Ｂ】代替的なリビングヒンジコネクタの等角図を示す。
【図１００】厚さの低減した部分を有するリビングヒンジコネクタの上面図を示す。
【図１０１Ａ】リビングヒンジコネクタの組立分解等角図を示す。
【図１０１Ｂ】図１０１Ａのリビングヒンジコネクタのヘッドギアコネクタ部材およびマスクコネクタ部材の断面図を示す。
【図１０２Ａ】単一のマスクヒンジおよび単一のコネクタヒンジを有するリビングヒンジコネクタの等角図を示す。
【図１０２Ｂ】図１０２Ａのリビングヒンジコネクタのヘッドギアコネクタ部材およびマスクコネクタ部材の上断面図を示す。
【図１０３Ａ】フックおよびポスト保持システムを備えるリビングヒンジコネクタを有する患者インタフェースの等角図を示す。
【図１０３Ｂ】開放位置にある図１０３Ａのリビングヒンジコネクタの正面図を示す。
【図１０４Ａ】閉鎖位置にある布製リビングヒンジコネクタを有する患者インタフェースの等角図を示す。
【図１０４Ｂ】開放位置にある布製リビングヒンジコネクタを示す図１０４Ａの患者インタフェースの等角図を示す。
【図１０５Ａ】閉鎖位置にあるシリコンヒンジコネクタを有する患者インタフェースの等角図を示す。
【図１０５Ｂ】開放位置にあるシリコンヒンジコネクタを示す図１０５Ａの患者インタフェースの等角図を示す。
【図１０６Ａ】コネクタが閉鎖位置にある代替的なシリコンヒンジの上面図を示す。
【図１０６Ｂ】コネクタが開放位置にある図１０６Ａのシリコンヒンジの上面図を示す。
【図１０７Ａ】閉鎖位置にある代替的なシリコンヒンジコネクタを有する患者インタフェースの等角図を示す。
【図１０７Ｂ】開放位置にある図１０７Ａのシリコンヒンジコネクタの等角図を示す。
【図１０８Ａ】本開示のヘッドギア接続部を示す患者インタフェースの等角図を示す。
【図１０８Ｂ】図１０８Ａのヘッドギア接続部のコネクタの横方向端部の拡大斜視図を示す。
【図１０８Ｃ】図１０８Ａのヘッドギア接続部のコネクタの断面図を示す。
【図１０９Ａ】ヘッドギア固定機構の等角図を示す。
【図１０９Ｂ】代替的なヘッドギア固定機構の上面図を示す。
【図１１０Ａ】押込み嵌めヘッドギア固定機構の等角図を示す。
【図１１０Ｂ】押込み嵌めヘッドギア固定機構の断面図を示す。
【図１１１Ａ】閉鎖位置にあるオーバーセンター式クリップ設計コネクタを有する患者インタフェースの等角図を示す。
【図１１１Ｂ】開放位置にあるオーバーセンター式クリップ設計コネクタを示す図１１１Ａの患者インタフェースの等角図を示す。
【図１１２Ａ】閉鎖位置にある伸縮式ピボットコネクタを有する患者インタフェースの等角図を示す。
【図１１２Ｂ】開放位置にある伸縮式ピボットコネクタを示す図１１２Ａの患者インタフェースの等角図を示す。
【図１１２Ｃ】開放かつ伸長位置にある伸縮式ピボットコネクタを示す図１１２Ａの患者インタフェースの等角図を示す。
【図１１３Ａ】閉鎖位置にあるハードストップ摺動ストラップコネクタを有する患者インタフェースの等角図を示す。
【図１１３Ｂ】開放位置にあるハードストップ摺動ストラップコネクタを示す図１１３Ａの患者インタフェースの等角図を示す。
【図１１４Ａ】閉鎖位置にあるストラップ端部ハードストップコネクタを有する患者インタフェースの等角図を示す。
【図１１４Ｂ】開放位置にあるストラップ端部ハードストップコネクタを示す図１１４Ａの患者インタフェースの等角図を示す。
【図１１５Ａ】閉鎖位置にあるブレークフィット（ｂｒｅａｋ−ｆｉｔ）磁石およびテザーコネクタを有する患者インタフェースの等角図を示す。
【図１１５Ｂ】開放位置にあるブレークフィット磁石およびテザーコネクタを示す図１１５Ａの患者インタフェースの等角図を示す。
【図１１６Ａ】閉鎖位置にあるブレークフィットクリップおよびテザーコネクタを有する患者インタフェースの等角図を示す。
【図１１６Ｂ】開放位置にあるブレークフィットクリップおよびテザーコネクタを示す図１１６Ａの患者インタフェースの等角図を示す。
【図１１７Ａ】閉鎖位置にあるクリップおよび連続テザーコネクタを有する患者インタフェースの等角図を示す。
【図１１７Ｂ】開放位置にあるクリップおよび連続テザーコネクタを示す図１１７Ａの患者インタフェースの等角図を示す。
【図１１８Ａ】閉鎖位置にあるデュアルクリップおよび連続テザーコネクタを有する患者インタフェースの正面図を示す。
【図１１８Ｂ】開放位置にあるデュアルクリップおよび連続テザーコネクタを示す図１１８Ａの患者インタフェースの等角図を示す。
【図１１９Ａ】閉鎖位置にあるクリップおよび剛性テザーコネクタを有する患者インタフェースの等角図を示す。
【図１１９Ｂ】開放位置にある図１１９Ａのクリップおよび剛性テザーコネクタを示す患者インタフェースの等角図を示す。
【図１２０Ａ】閉鎖位置にあるフックおよびポストループコネクタを有する患者インタフェースの等角図を示す。
【図１２０Ｂ】開放位置にある図１２０Ａのフックおよびポストループコネクタを示す患者インタフェースの等角図を示す。
【図１２１Ａ】閉鎖位置にある代替的なフックおよびポストループコネクタを有する患者インタフェースの等角図を示す。
【図１２１Ｂ】開放位置にある図１２１Ａの代替的なフックおよびポストループコネクタを示す患者インタフェースの等角図を示す。
【発明を実施するための形態】
【００９６】
ここで、添付の図を参照して、システム、構成要素、ならびに組立方法および製造方法の実施形態について説明する。図面を通して、同様の数字は同様のまたは類似する要素を指す。以下、いくつかの実施形態、例および例示について開示するが、当業者であれば、本明細書に記載する発明は、具体的に開示する実施形態、例および例示の範囲を越えて広がり、本発明およびその明らかな変更形態および均等物の他の使用を含むことができることが理解されよう。本明細書に提示する記載において使用する術語は、いかなるようにも限定または制限するように解釈されるようには意図されておらず、それは単に、本発明のいくつかの具体的な実施形態の詳細な説明に関連して使用されているためである。さらに、本発明の実施形態は、いくつかの新規な特徴を含むことができ、いかなる単一の特徴もその望ましい属性に対してそれのみが関与するものではなく、または本明細書に記載する発明を実施するために必須ではない。
【００９７】
以下の説明においていくつかの術語を、単に参照の目的で用いる場合があり、したがって、それらの術語は、限定するようには意図されていない。たとえば、「上方」および「下方」という用語は、参照する図面における方向を指す。「前」、「後」、「左」、「右」、「背面」および「側部」等の用語は、考察されている構成要素または要素について記載する本文および関連する図面を参照することによって明らかとなる、一貫したただし任意の基準系内の構成要素または要素の部分の向きおよび／または位置を記述する。さらに、「第１」、「第２」、「第３」等の用語は、別個の構成要素について記載するために使用する場合がある。こうした術語は、具体的に上述した用語、その派生語および同様の意味の用語を含む可能性がある。
【００９８】
本明細書で用いる「実質的に非弾性」という用語は、ヘッドギアまたは材料が、それが受ける可能性のある荷重に関して引伸ばしに抵抗する能力を指すものとする。したがって、ヘッドギアまたは材料は、一方向において実質的に非弾性である可能性があり、別の方向において幾分か弾性である可能性がある。いくつかの構成では、ヘッドギアまたは材料は、ヘッドギアまたは材料の使用が意図されている療法によって荷重がかけられる方向において実質的に非弾性であるように構成されている。実質的に非弾性のヘッドギアまたは材料は、たとえば、通常の状態または予期される状態の下で、封止システムにおける呼吸マスクのシールを損なう引伸ばしに抵抗することができる。非封止システムでは、実質的に非弾性のヘッドギアまたは材料は、たとえば、ホース引張力または使用者の移動等、通常の状態または予期される状態に応じて呼吸インタフェースの適切な配置を損なう引伸ばしに抵抗することができる。予期される荷重力が比較的低い場合、荷重は引伸ばしをもたらすほど十分にはならないため、ヘッドギアまたは材料はより高い弾性を有することができる。逆に、ヘッドギアおよび／または材料が高い荷重力を受けると予期される場合、引伸ばしに抵抗するためにより高い非弾性が必要となる。
【００９９】
本明細書を通して、「突破り」成形、プロセス、技法、ならびにこうした成形、プロセスおよび技法によって作製された構成要素について言及する。「突破り型内成形」および「型内成形突破り」についても言及する。こうした言及はすべて、本開示の実施形態に対する全体的な言及であり、特に限定するようには意図されていないことが理解されるべきである。
【０１００】
ヘッドギア
図１Ａは、呼吸装置１１０と組み合わせて使用されている本開示の型内成形二又ヘッドギア１００の非限定的な例示的な実施形態を示す。「型内成形」は、プラスチックコアおよびテキスタイルケーシングとしての構成要素を、テキスタイルケーシング内に溶融プラスチックを加えることによって一体構造として形成することを含む。「型内成形された」ストラップまたは他の任意の構成要素は、テキスタイルケーシング内に溶融プラスチックを加えることによって形成された構成要素である。
【０１０１】
図１Ａおよび図１Ｂは、二又ヘッドギア１００が実質的に非弾性でありかつ構造が３次元（３Ｄ）であるように構成されていることを示す。二又ヘッドギア設計は、ヘッドギアが使用者の頭部の複数の位置で支持されるため、患者の頭部における安定性を向上させたことにより、単一ストラップ設計と比較して好ましい。本明細書で用いる３次元構造は、単一平面に位置せず、複数の平面に延在するような形状の構造である。言い換えれば、３次元構造は、平坦ではない。図示するヘッドギア１００は、右側１２０および左側１３０を備える。右側１２０および左側１３０はともに、頂部ストラップ１４０、底部ストラップ１５０およびマスクコネクタ１８０を含む。
【０１０２】
頂部ストラップ１４０は、細長い形状を有し、頂部ストラップ横方向端部１４２と頂部ストラップ中心端部１４４とを含む。頂部ストラップ１４０は、概して使用者の各耳の上方の位置で横方向端部１４２から、使用者の頭部の頭頂領域または前頭領域にわたって上向きに延在し、その後、頂部ストラップ中心端部１４４で終端するように構成されている。頂部ストラップ中心端部１４４は、使用者の頭部の頂部の中心点または中心位置にまたはその近くに位置決めされるように構成されている。右側１２０および左側１３０の頂部ストラップ中心端部１４４は、使用者の頭部の頂部の上の位置で頂部継目１９０により互いに接合されるように構成されている。頂部継目１９０は、縫合、溶着、接着、オーバーモールドまたは他の任意の締結機構を含むことができ、永久的または取外し可能／分離可能であり得る。いくつかの構成では、頂部継目１９０は、異なる使用者の頭部サイズに適応するように頂部ストラップ１４０の結合された長さを変更することができるように、面ファスナ、スナップフィットコネクタ等の調整機構（図示せず）を含むことができる。各頂部ストラップ横方向端部１４２は、後にさらに詳細に考察するように、ケーシングまたはストラップ接合部１７０において底部ストラップ１５０と一体的に形成されるように構成されている。
【０１０３】
底部ストラップ１５０は、細長い形状を有し、後部底部ストラップ部１５２および前部底部ストラップ部１６２を含む。後部底部ストラップ部１５２および前部底部ストラップ部１６２は、単体であり互いに一体化している。後部底部ストラップ部１５２は、接合部１７０から後方にかつ使用者の頭部の後頭領域の周囲に延在した後、底部ストラップ後端部１５４で終端する底部ストラップ１５０の部分を含む。底部ストラップ１５０の耳アーチ１６０が、使用されるときに患者の耳の頂部の上で湾曲し、それにより、ストラップ１５０は耳との接触を回避する。底部ストラップ後端部１５４は、使用者の頭部の後部における中心点または中心位置にまたはその近くに位置決めされるように構成されている。右側１２０および左側１３０の底部ストラップ後端部１５４は、底部継目１９２により互いに接合されるように構成されている。底部継目１９２は、縫合、溶着、接着、オーバーモールドまたは他の任意の締結機構を含むことができ、永久的または取外し可能／分離可能であり得る。いくつかの構成では、底部継目１９２は、異なる使用者の頭部サイズに適応するように底部ストラップ１５０の後部底部ストラップ部１５２の結合された長さを変更することができるように、面ファスナ、スナップフィットコネクタ等の調整機構（図示せず）を含むことができる。
【０１０４】
前部底部ストラップ部１６２は、接合部１７０から使用者の側頭を横切って使用者の鼻に向かって前方に延在する底部ストラップ１５０の部分を含む。いくつかの構成では、前部底部ストラップ部１６２は、頂部ストラップ１４０または底部ストラップ部１５２のうちの一方または両方より短く、底部ストラップ前端部１６４で終端する。底部ストラップ前端部１６４は、マスクコネクタ１８０を備えるかまたは少なくともマスクコネクタ１８０に取り付けられるように構成されている。底部ストラップ前端部１６４は、マスクコネクタ１８０と係合するメス凹部１６６を含む。いくつかの構成では、マスクコネクタ１８０は、底部ストラップ前端部１６４の上にかつメス凹部１６６内に押し込むかまたはオーバーモールドすることができる。マスクコネクタ１８０は、呼吸装置１１０に連結するように構成されたクリップまたは保持機構を含むことができる。マスクコネクタ１８０は、呼吸装置１１０のマスクフレーム１１２に対する分離可能な接続を提供するように構成されている、押込み嵌め、スナップフィットまたは他の好適なコネクタを含むことができる。いくつかの実施形態では、マスクコネクタ１８０は、調整機構に接続するように構成することができ、調整機構は、二又ヘッドギア１００のサイズを自動的にまたは手動で調整する手段を提供する。いくつかの構成では、マスクコネクタ１８０をマスクフレームまたはヨークに永久的に接続して、ヘッドギア１００と呼吸装置１１０との間に連続ループを形成することができる。
【０１０５】
二又ヘッドギア１００の右側１２０および左側１３０は、実質的に２次元（２Ｄ）の部品として形成されており、すなわち、それらは、平坦構造で形成されている。右側１２０および左側１３０の頂部ストラップ１４０および底部ストラップ１５０が互いに接合されるとき、（図１Ｂに示すように）３Ｄ二又構造が形成される。いくつかの構成では、二又ヘッドギア１００の構成は、少なくとも右側１２０および左側１３０が接続されるとき、３Ｄ二又構造が常に維持されるというものである。この３Ｄ構造は、使用者が二又ヘッドギア１００および関連する呼吸装置１１０と相互作用し、それらを取り付けるかまたは装着する容易さを向上させることができる。二又ヘッドギア１００がその形状を保持するため、ストラップは、もつれる可能性が低くなり、使用者が二又ヘッドギア１００を把持し方向付けることが容易になるはずである。いくつかの構成では、二又ヘッドギア１００は、少なくとも、両側１２０、１３０の部分的なまたは完全な分離を維持する。いくつかの構成では、二又ヘッドギア１００は、少なくとも、接合部１７０および／または両側１２０、１３０の前部底部ストラップ部１６２における部分的なまたは完全な分離を維持する。
【０１０６】
頂部ストラップ１４０および底部ストラップ１５０は、各々、外側ケーシング２２０によって包囲されかつ外側ケーシング２２０に結合された単体のプラスチックコア材料２１０から構成されている。ケーシング２２０は、編み、織り、編み組みし、かぎ針編みすること等が可能である。単体のプラスチックコア材料２１０は、頂部ストラップ１４０および底部ストラップ１５０両方を形成する。すなわち、プラスチックコア材料２１０は、頂部ストラップ１４０と底部ストラップ１５０との間でかつ二又ヘッドギア１００を通して単体である。頂部ストラップ１４０および底部ストラップ１５０両方のケーシング２２０は、継目なしの連続したとぎれのないチューブに編み、織り、編み組み、かぎ針編みすること等が可能である。すなわち、ケーシング２２０は、頂部ストラップ１４０および底部ストラップ１５０の長さに沿って継目なしの均質の外面を有することができる。ケーシング２２０は、羊毛、木綿、ナイロン、ライクラ、スパンデックス、または天然材料および／もしくは合成材料の混合物を含む複数巻の糸から織ることができる。いくつかの構成では、ケーシング２２０は、糸の引伸ばしまたは裂けなしに長さを延長することができるように、緩く織ることができる。ストラップの弾性を変更するように、糸内のライクラの量を変更することができる。
【０１０７】
ケーシング２２０は、型内成形二又ヘッドギア１００に清潔かつ整然とした縁仕上げを提供する。すなわち、頂部ストラップ１４０および底部ストラップ１５０は、審美的に好ましい外観を提供するように継目がまったくない均一な形状および形態を有する。さらに、ケーシング２２０から形成されるストラップ１４０、１５０は、製造がより容易である。継目なしの円形織チューブは、裁縫または接着の追加のステップが不要であり、製造時間およびコストが低減する。さらに、長さの長い直線状の織チューブを製造し形成することは容易であり、それらは、その後、本明細書に記載するような突破り型内成形プロセス中に長さを切断し形作ることができる。さらに、ケーシング２２０は、成形金型内に容易に配置し位置決めすることができる。ケーシング２２０の管状形状および円形断面は、自立式であり、ケーシングを通る射出材料の開放流路を提供するために、成形金型内で開放したままである。
【０１０８】
ケーシング２２０は、プラスチックコア材料２１０が挿入される前は可撓性があり、それにより、成形金型のキャビティにより容易に位置決めすることができる。ケーシング２２０は、柔らかい手触りを有する材料から編むことができ、それにより、頂部ストラップ１４０および底部ストラップ１５０は、使用者の皮膚と接触したときに快適である。同様に、ケーシング２２０は、厚さおよび層を有することができ、それにより、頂部ストラップ１４０および底部ストラップ１５０は、使用者の皮膚と接触したときに快適である。さらに、いくつかの構成では、ケーシング２２０は、二又ヘッドギア１００の快適さを向上させるために吸湿特性を有する材料から編むことができる。さらに、いくつかの構成では、ケーシング２２０は、二又ヘッドギア１００が使用者の皮膚または頭髪に対して摺動するのを低減させるかまたは阻止するように、触知できる特性を有する材料から編むことができる。いくつかの構成では、ケーシング２２０は、頂部ストラップ１４０と底部ストラップ１５０との間で異なり得る。たとえば、底部ストラップ１５０は、吸湿特性を有する材料から構築することができ、頂部ストラップ１４０は、触知できる特性を有する材料から構築される。さらに、いくつかの構成では、ケーシング２２０は、頂部ストラップ１４０および底部ストラップ１５０の長さに沿って異なる材料から構築することができ、それにより、ストラップ１４０、１５０の長さに沿った異なる領域が異なる特性を有する。たとえば、頂部ストラップ１４０および底部ストラップ１５０は異なる色を有することができる。
【０１０９】
頂部ストラップ１４０および底部ストラップ１５０のケーシング２２０は、単体のプラスチックコア材料２１０で充填されている。いくつかの構成では、プラスチックコア材料２１０は、二又ヘッドギア１００に上述した３Ｄ構造を与えるように構成されている比較的矩形断面の熱成形または熱硬化性プラスチック材料を含む。プラスチックコア材料２１０は、二又ヘッドギア１００の構造全体に対しする基礎を提供する。プラスチックコア材料２１０のプラスチック組成は、使用者の個々の頭蓋形状に幾分か沿いながら、事前に形成された形状を維持することができる弾力性のある構造という利益を提供する。プラスチックコア材料２１０は、その深さより実質的に大きい幅を有する。例示する断面形状は、材料選択と組み合わさって、二又ヘッドギア１００が、幅に対して垂直な方向（図１Ａにおける垂直方向）において可撓性があり、深さに対して垂直な方向（図１Ａにおける水平方向）において比較的可撓性がないことを可能にする。この一方向における可撓性により、二又ヘッドギア１００が使用者の頭部に沿う一方で、別の方向において、使用者の顔面において呼吸装置１１０を安定させそれが外れるのを最小限にする剛性が提供される。
【０１１０】
二又ヘッドギア１００は、たとえば、材料選択の結果として実質的に非弾性であるように構成することができる。複合材料１つまたは複数の要素が、二又ヘッドギア１００に実質的に非弾性の特性を与えることができる。本開示の第１非限定的例示的実施形態では、プラスチックコア材料２１０は、たとえば限定なしに、ポリプロピレンまたはナイロン等の実質的非弾性材料から作製される。二又ヘッドギア１００が受ける荷重力が低いと予期される実施形態では、プラスチックコア材料２１０は、限定されないが熱可塑性エラストマー（ＴＰＥ）またはシリコーン等の他の材料から作製することができる。いくつかの実施形態では、プラスチックコア材料２１０はある程度の弾性を有することができ、頂部ストラップ１４０および底部ストラップ１５０のケーシング２２０のうちの一方または両方は、実質的に非弾性であり得る。二又ヘッドギア１００に実質的非弾性材料を含めることは、その材料により、ヘッドギアが使用者の頭部の上で過剰に引き伸ばされるかまたは引っ張られる可能性が低減するかまたはなくなるため、有利である。二又ヘッドギア１００が使用者の頭部の上で過剰に引っ張られる場合、呼吸装置は、治療を提供するために有効に位置決めされない可能性があり、使用者の頭部に不快な力が加えられる可能性があり、それにより、治療のコンプライアンスが低減することになる可能性がある。
【０１１１】
接合部
図２Ａおよび図２Ｂは、接合部１７０における頂部ストラップ１４０と底部ストラップ１５０との接続部の拡大図である。上述したように、プラスチックコア材料２１０は単体であり、頂部ストラップ１４０および底部ストラップ１５０両方のケーシング２２０内に配置されている。図３は、図２Ｂの線３−３に沿った頂部ストラップ１４０および底部ストラップ１５０の断面図である。図示するように、底部ストラップ１５０は、プラスチックコア材料２１０で充填されており、プラスチックコア材料２１０は、接合部１７０において底部ストラップ１５０のケーシング２２０を通って頂部ストラップ横方向端部１４２内に延在して頂部ストラップ１４０を充填している。その結果、頂部ストラップ１４０および底部ストラップ１５０のケーシング２２０は、プラスチックコア材料２１０によって互いに結合されている。
【０１１２】
図２Ａ〜図３に示すように、頂部ストラップ１４０および底部ストラップ１５０は、柔らかい縁部２２２を有することができ、柔らかい縁部２２２は、長さ方向において頂部ストラップ１４０および底部ストラップ１５０の一部の縁に沿って延在している。柔らかい縁部２２２は、プラスチックコア材料２１０で充填されていないケーシング２２０の部分である。その結果、柔らかい縁部２２２は、頂部ストラップ１４０および底部ストラップ１５０に、使用者の皮膚に対して快適でありかつ審美的に好ましくもある柔らかいまたはクッション性のある縁を提供する。さらに詳細に後述するように、柔らかい縁部２２２は、プラスチックコア材料２１０の射出の前にケーシング２２０の縁を圧着して、プラスチックコア材料２１０がケーシング２２０の部分に流れ込むのを阻止されるかまたは妨げられるようにすることによって形成される。ケーシング２２０の縁は、成形金型の成形キャビティに隣接する成形金型の一部によって圧着される。プラスチックコア材料２１０の幅（図１Ａにおける垂直方向）が頂部ストラップ１４０および底部ストラップ１５０の長さに沿って変化することができるように、成形金型による頂部ストラップ１４０および底部ストラップ１５０の縁の圧着の深さは、頂部ストラップ１４０および底部ストラップ１５０の長さに沿って変化することができる。したがって、プラスチックコア材料２１０の幅は、接合部１７０および底部ストラップ前端部１６４等、頂部ストラップ１４０および底部ストラップ１５０の異なる領域において相対的に広く、それらの領域を補強しそれらの領域に追加の強度を提供することができる。同様に、いくつかの構成では、プラスチックコア材料２１０の幅は、頂部ストラップ１４０および底部ストラップ１５０の長さに沿ったいくつかの領域で相対的に狭く、それらの相対的に狭い領域に可撓性を提供することができる。当業者であれば、プラスチックコア材料の形状および幾何学的形態が、所望の方向において頂部ストラップ１４０および底部ストラップ１５０に強度および剛性を提供するように変化することができることが、理解されるはずである。
【０１１３】
成形金型
図４は、１回の射出成形プロセスで二又ヘッドギア１００の右側１２０または左側１３０を形成するように構成された開閉射出成形金型３００を示す。いくつかの構成では、右側１２０および左側１３０は同一であり、射出成形金型３００を使用して両側１２０、１３０を形成することができる。図４は、射出成形プロセスの完了の後の完全に形成された二又ヘッドギア１００を示す。射出成形金型３００は、第１金型半体および第２金型半体３２０を備える。第１金型半体３１０は、第２金型半体３２０と位置合せされかつその上に配置されて、射出成形金型３００を閉じるように構成されている。第１金型半体３１０および第２金型半体３２０は、実質的に対称（すなわち、鏡像）であり、したがって、簡潔のために、以下の考察は第２金型半体３２０について述べる。図５に示すように、第２金型半体３２０は、頂部ストラップキャビティ３２２および底部ストラップキャビティ３２４を含む。頂部ストラップキャビティ３２２および底部ストラップキャビティ３２４は、頂部ストラップ１４０および底部ストラップ１５０両方に対するケーシング２２０を受け入れるように構成されている。したがって、頂部ストラップキャビティ３２２および底部ストラップキャビティ３２４は、二又ヘッドギア１００の左側および／または右側の所望の形状に対応する形状に配置されている。いくつかの構成では、射出成形金型３００を使用して、二又ヘッドギア１００の右側１２０および左側１３０の両方を形成することができる。いくつかの構成では、ケーシング２２０は、成形金型３００を閉じる前にストラップキャビティ３２２、３２４内に嵌まるような長さに切断される。
【０１１４】
ケーシング２２０の底部ストラップ前端部１６４内にコネクタインサート３５０が挿入される。コネクタインサートキャビティ３７０が、第２金型半体３２０内に配置され、コネクタインサート３５０と同様の対応する形状を有する。コネクタインサート３５０およびケーシング２２０の両方が、コネクタインサートキャビティ３７０およびストラップキャビティ３２２、３２４それぞれの中に配置される。ケーシング２２０を使用して二又ヘッドギア１００のストラップ１４０、１５０を形成するとき、ケーシング２２０の端部は、開放しているかまたは中空チューブとして形成され、それは、プラスチックコア材料２１０がケーシング２２０内に射出されるための経路を提供する。したがって、底部ストラップ１５０の開放端部内に配置されたコネクタインサート３５０により、ケーシング２２０の開放端部が狭くなるかまたは閉鎖するのが低減するかまたは阻止される。コネクタインサート３５０は、事前に作製された構成要素を備え、それは、ケーシング２２０の開放端部の内側に嵌まり、ケーシング２２０の開口部を、第１金型半体３１０および第２金型半体３２０におけるストラップキャビティ３２２、３２４の壁に向かって外向きに押す。コネクタインサート３５０は、ランナ３８０と位置合せされる開口部（図示せず）を有し、そこを通して、プラスチックコア材料がケーシング２２０内に射出されるための直接流路が提供される。コネクタインサート３５０はまた、マスクフレームまたは他のマスク構成要素上の対向するオスコネクタの形状（図示せず）と接続する底部ストラップ前端部１６４（図７を参照）内の内部（メス）接続形状を形成するようにも構成されている。コネクタインサート３５０は、プラスチックまたは金属から作製することができる。プラスチック製の場合、いくつかの構成では、コネクタインサート３５０は、コアと同じプラスチックから作製することができ、それにより、突破り型内成形プロセス中にコネクタインサート３５０とプラスチックコア材料との間に化学結合を形成することができる。さらに、ヘッドギア構成要素間、調整機構間、またはヘッドギアとマスクとの間のコネクタ（たとえば、コネクタ１８０）としての更なる機能を有することができる形状で、コネクタインサート３５０を形成することができる。
【０１１５】
図４および図５に図示するように、ランナ３８０は、スプルー射出点３９０、底部ストラップ前端部１５４および底部ストラップ後端部１６４、ならびに頂部ストラップ中心端部１４４を流体的に接続する。したがって、プラスチックコア材料２１０は、第１金型半体３１０および第２金型半体３２０内に射出されるとき、底部ストラップ前端部１５４および底部ストラップ後端部１６４ならびに頂部ストラップ中心端部１４４の各々を通ってケーシング２２０内に射出される。
【０１１６】
頂部ストラップキャビティ３２２および底部ストラップキャビティ３２４は、長さ方向においてキャビティ３２２、３２４の外縁のうちの一方または両方に沿って形成される柔らかい縁クランプ３６０を有する。柔らかい縁クランプ３６０は、隆起した領域であり、射出成形金型３００の閉じる方向と実質的に平行な方向において頂部ストラップキャビティ３２２および底部ストラップキャビティ３２４内に突出し、それにより、射出成形金型３００が閉じられるとき、頂部ストラップキャビティ３２２および底部ストラップキャビティ３２４が、長さ方向においてキャビティ３２２、３２４の外縁のうちの一方または両方に沿って狭くなる（すなわち、キャビティ３２２、３２４の中心領域に対して外縁が狭くなる）。したがって、柔らかい縁クランプ３６０は、頂部ストラップ１４０および底部ストラップ１５０の両方に対してケーシング２２０の外縁を締め付けるかまたは圧着し、それにより、柔らかい縁部２２２が形成される。より具体的には、柔らかい縁クランプ３６０は、ケーシング２２０の縁を互いに押圧してそれらの縁が完全に圧着されるようにする。その結果、プラスチックコア材料２１０は、ケーシング２２０内に射出されるときに圧着された縁の間を流れることができない。これにより、型内成形プラスチックコア材料２１０がケーシング２２０を充填することを阻止することにより、型内成形二又ヘッドギア１００に柔らかいまたはクッション性のある縁仕上げがもたらされる。ストラップ１４０、１５０の各縁の一部が、患者の快適さを向上させるために、空であり手触りが柔らかいままである。いくつかの構成では、ケーシング２２０の縁を狭くするが完全には圧着しないことにより、（ケーシング２２０の非圧着部に対して）低減した量のプラスチックコア材料２１０がケーシング２２０の縁の間を流れることができるようにすることができる。
【０１１７】
図６は、互いに対する頂部ストラップ１４０および底部ストラップ１５０の位置決めを示す第２金型半体３２０の拡大図である。図示するように、頂部ストラップ横方向端部１４２は、底部ストラップ１５０のケーシング２２０に接してまたは接触して位置決めされる。すなわち、頂部ストラップ１４０のケーシング２２０は、頂部ストラップ横方向端部１４２が底部ストラップ１５０のケーシング２２０の縁に当接するように、頂部ストラップキャビティ３３０内に配置される。より詳細に後述するように、ストラップの配置は、一方のストラップの開放端部を別のストラップの縁と接触させることに限定されない。いくつかの構成では、ストラップは、互いに当接する中間部または非端部を有することができ、そこを通してストラップが結合される。
【０１１８】
成形プロセス
射出成形金型３００を使用して二又ヘッドギア１００の左側１２０または右側１３０を成形するプロセスは、以下のステップを含む。すなわち、ケーシングを挿入するステップと、金型を閉じるステップと、プラスチックを射出するステップと、金型を開いて部品を離型するステップとである。いくつかの構成では、これらのステップはこの順序で達成されるが、他の構成では、順序を変更することができ、かつ／または追加のステップを含めることができる。こうした追加のステップは、上述したステップ内に挿入することができる。
【０１１９】
少なくともいくつかの実施形態では、二又ヘッドギア１００の左側１２０または右側１３０を成形するプロセスは、後述するように、「突破り」成形プロセスを含む。
【０１２０】
１本の第１ケーシング２２０が、底部ストラップ１５０を形成するように構成されている、射出成形金型３００の第２金型半体３２０の底部ストラップキャビティ３２４内に挿入される。同様に、１本の第２ケーシング２２０が、頂部ストラップ１４０を形成するように構成されている、頂部ストラップキャビティ３２２内に挿入される。ケーシング２２０は、ストラップキャビティ３２２、３２４内にぴったりと嵌まるような長さに切断することができる。コネクタインサート３５０は、第２ケーシング２２０の開放端部（すなわち、底部ストラップ前端部１６４）内部に配置され、コネクタインサート３５０は、コネクタインサートキャビティ３７０と位置合せされかつその中に挿入される。
【０１２１】
ケーシング２２０が第２金型半体３２０内で位置合せされると、ストラップキャビティ３２２、３２４が完全に密閉されるように、射出成形金型３００が閉じられる。そして、熱硬化性または熱成形プラスチックコア材料２１０が、スプルー３９０およびランナ３８０を介して成形キャビティストラップキャビティ３２２、３２４内に射出される。より具体的には、プラスチックコア材料２１０は、スプルー３９０を通して射出成形金型３００内に射出される。概して、プラスチックコア材料２１０は、ストラップキャビティ３２２、３２４を充填するために抵抗の最も低い経路をたどる。プラスチックコア材料２１０は、ケーシング２２０の開放端部に達するまで、ランナ３８０を通って移動する。プラスチックコア材料２１０は、（コネクタインサート３５０を介して）頂部ストラップ中心端部１４４、底部ストラップ後端部１５４および底部ストラップ前端部１６４に入る。図６を参照すると、底部ストラップキャビティ３２４におけるケーシング２２０がプラスチックコア材料２１０で充填されると（すなわち、最初に一端において充填される頂部ストラップキャビティ３２２におけるケーシング２２０とは対照的に、両開放端部から充填されているため）、プラスチックコア材料２１０は、接合部１７０において底部ストラップ１５０のケーシング２２０の壁を突き破り、貫通し、押し進む。底部ストラップ１５０の壁を貫通するプラスチックコア材料２１０は、頂部ストラップ１４０のケーシング２２０の開放端部（すなわち、頂部ストラップ横方向端部１４２）に入り、頂部ストラップ１４０のケーシング２２０がプラスチックコア材料２１０で充填されるまで、頂部ストラップ１４０のケーシング２２０の反対側の端部に（すなわち、頂部ストラップ中心端部から）入るプラスチックコア材料２１０と一緒になる。ストラップ１４０、１５０のケーシング２２０が充填されると、プラスチックコア材料２１０に対して、硬化し、冷え、凝固する時間が与えられる。硬化すると、射出成形金型３００は開かれ、部品が取り出される。したがって、頂部ストラップ１４０及び底部ストラップ１５０の継目のない均一なケーシング２２０とともに、頂部ストラップ１４０及び底部ストラップ１５０内に、単体のプラスチックコア材料２１０を形成することができる。すなわち、頂部ストラップ１４０および底部ストラップの単体プラスチックコア材料２１０は、底部ストラップ１５０のケーシング２２０を通して頂部ストラップ１４０内にプラスチックコア材料２１０を押し込むことによって形成することができる。言い換えれば、両ストラップが継目のない均一なケーシング２２０を有し、一方のストラップが継目のない隣接するストラップの中間部または非端部に取り付けられる場合、頂部ストラップ１４０及び底部ストラップ内に単体のプラスチックコア材料２１０を形成することは、突破り型内成形プロセスの有利な効果である。他の実施形態では、プラスチックコア材料２１０は、ケーシング２２０およびストラップキャビティがプラスチックコア材料２１０で充填される前に、ケーシング２２０を貫通し突き破る。これは、例えば、ケーシング２２０の支持されていない場所が射出点により近く、プラスチックコア材料２１０が低密度または低粘度であり、ケーシング２２０が低い糸密度を有し、かつ／または支持されていない部分が支持されている領域に対して大きい場合に、発生する可能性がある。
【０１２２】
プラスチックコア材料２１０は、ストラップキャビティを充填するために抵抗が最も低い経路をたどるため、底部ストラップ１５０のケーシング２２０の壁を貫通しかつ突き破る。ケーシング２２０が、射出成形金型３００の表面によって支持され、表面と当接し、または表面に対して押圧される場合、射出成形金型３００内のキャビティが充填されるまで、射出されるプラスチックコア材料２１０は、より抵抗の低い方向に流れる。図５を参照すると、底部ストラップキャビティ３２４がプラスチックコア材料２１０でいっぱいになると、底部ストラップ１５０のケーシング２２０は、底部ストラップキャビティ３２４の表面によって支持されず、表面に当接せず、または表面に対して押圧されないため、流れの最も抵抗の低い方向は頂部ストラップキャビティ３２２内になる。ケーシング２２０が射出成形金型３００の表面に対して押圧されない（すなわち、支持されない）場合、射出されるプラスチックコア材料２１０は、ケーシング２２０を貫通することによってキャビティを充填する。ケーシング２２０の貫通は、プラスチックコア材料２１０がケーシング２２０を通って流れることによって発生することができる。すなわち、射出されるプラスチックコア材料２２０の圧力の下にあるとき（すなわち、支持されていないとき）、ケーシング２２０の糸は、変位しているかまたは弾性変形している（すなわち、ケーシング２２０の材料による）。その結果、プラスチックコア材料２２０は、ケーシング２２０の変位したまたは弾性変形した糸の間に生成された間隙を通って流れかつ押し通る。いくつかの構成では、ケーシング２２０内のプラスチックコア材料２２０の圧力により、ケーシング２２０の糸がケーシング２２０の支持されていない部分において裂けるかまたは破断する可能性がある。ケーシング２２０の裂けまたは破断により、ケーシング２２０内に穴が形成される可能性があり、そこを通して、プラスチックコア材料２１０は隣接するストラップ内に流れかつ押し入るように貫通し突き破ることができる。
【０１２３】
ケーシング２２０を通るプラスチックコア材料２１０の突破りまたは貫通は、射出成形パラメータとケーシング２２０のテキスタイル特性とによって決まる可能性がある。射出成形パラメータに関して、突破りまたは貫通が発生するか否かは、圧力、射出速度、射出点の場所および射出経路の長さ、支持されていない領域の場所、および支持されている領域に対する支持されていない領域の相対的なサイズ、ならびに射出されるプラスチックコア材料２１０の材料特性によって決まる可能性がある。ケーシング２２０のテキスタイル特性に関して、貫通が発生するか否かは、ケーシング２２０の打込み本数、糸のサイズ、弾性、糸密度、デニール、糸強度等によって決まる可能性がある。ケーシング２２０を通る突破りまたは貫通は、相対的に高い圧力で発生する可能性がある。少なくともいくつかの実施形態では、弾性のみでは、貫通に影響を与える場合もあれば与えない場合もある。非限定的な例として、高い打ち込み本数と結合された高弾性ケーシングは、成形金型３００によって支持されていないとき変形／伸長する可能性がある（すなわち、貫通を可能にするのとは対照的である）。しかしながら、ケーシング２２０が伸長する際、糸の間の間隙または空間が、プラスチックコア材料がケーシング２２０を貫通するための経路を提供するように形成し始める。したがって、射出成形パラメータおよびテキスタイル特性は、突破り型内成形プロセスを用いて、二又ヘッドギア１００の所望の特性および二又ヘッドギア１００の製造可能性に従って変更することができる。
【０１２４】
代替構成
図８Ａは、射出成形金型４００の第２金型半体を示し、この第２金型半体は、図８Ｂに示す接合構成で複数のストラップ４１０、４１２、４１４を結合する代替的な型内成形ストラップキャビティ構成を有する。比較のために、図８Ｂは、図１Ａ〜図７における接合部１７０と同様のＴ字型接合部４２０を示す。図８Ｂはまた、Ｘ字型接合部４２２の形態の代替的な形状の接合部も示す。上述しかつ図８Ｂに示すように、Ｔ字型接合部４２０は、ストラップ４１０のケーシングの開放端部をストラップ４１２のケーシングの縁と接触するように（すなわち、ストラップキャビティに対応する構成を与える成形金型により）位置決めすることによって形成される。対照的に、Ｘ字型接合部４２２は、ストラップ４１０、４１４のケーシングの非開放端部をオーバーラップさせることによって形成される。言い換えれば、ストラップ４１０、４１４は、それらの開放端部の間の位置で当接し、Ｘ字型接合部４２２を形成するように、オーバーラップする向きで位置決めされる。代替実施形態では、ストラップのうちの一方４１４は２つのストラップ部から形成され、それらは、ストラップ部の各々のそれぞれの端部を他方のストラップ４１０に接合してＸ字型接合部を形成することにより、他方のストラップ４１０に接合される。これらの実施形態では、射出成形金型４００は、ストラップ４１０、４１４を支持する対応する形状のストラップキャビティを含む。図８Ａおよび図８Ｂは、スプルー４３０、ランナ４３２および射出点４３４の位置決めを示し、射出点４３４を通して、プラスチックコア材料４２４は射出成形金型４００内に射出されてストラップ４１０、４１２、４１４を充填する。射出点４３４は、ストラップ４１０の一方の開放端部に、かつストラップ４１０の対向する開放端部に（すなわち、ストラップ４１２を通る射出点４３４を介して）有効に位置決めされる。図示する構成では、ストラップ４１４の開放端部は、Ｘ字型接合部４２２を通る以外は射出点４３０に流体的に接続されていない。プラスチックコア材料４２４は、射出成形金型４００内に射出されるとき、ストラップ４１０の開放端部に入り、Ｘ字型接合部４２２に向かって移動する。ストラップのうちの一方４１４が、他方のストラップ４１０に接合された２つのストラップ部から形成される実施形態では、ストラップ４１４が充填を開始すると、プラスチックコア材料４２４は、抵抗が最も低い経路をたどり、ストラップ４１０のケーシングの縁を貫通し、その後、ストラップ４１４のケーシングの開放端部を通って貫通する。すなわち、ストラップ４１４のストラップキャビティは、空であり、それにより、プラスチックコア材料４２４が流れる最も抵抗の低い経路を提供する。したがって、ストラップ４１４のケーシングは、Ｘ字型接合部４２２を通ってストラップ４１４に入るプラスチックコア材料４２４で充填される。当業者であれば、上述した構成が、Ｘ字型接合部４２２を形成するときにストラップのうちの一方の開放端部に位置する接合点に限定されないことが理解されるはずである。いくつかの構成では、Ｘ字型接合部４２２は、両ストラップがそれらの端部に少なくとも１つの射出点を有するように形成することができる。
【０１２５】
図示するように、Ｔ字型接合部４２０およびＸ字型接合部４２２を組み合わせて使用して、複数のストラップを有する種々のヘッドギア形状および構造を形成することができる。単一の射出成形ステップで、複数のストラップ接合部／継手を形成することができる。こうしたストラップ構成は、一般に、鼻マスクおよびフルフェイスマスクとともに使用される４点ヘッドギア構造で利用することができる。
【０１２６】
図９Ａは、ストラップ５２０を有し、それらストラップ５２０が、ストラップ５２０の間に配置された一体的に形成された連結部材５３０によって互いに接合されている、代替的な型内成形ストラップ構成を示す。連結部材５３０は、プラスチックコア材料５１０がストラップ５２０のケーシングの壁を突き破って成形金型の別の領域に入ることによって形成される。すなわち、射出成形金型（図示せず）は、ストラップ５２０用のストラップキャビティを流体的に接続する連結部材５３０に対応するキャビティを有することができる。したがって、溶融プラスチックコア材料５１０は、射出成形金型内に射出されるとき、射出点５４０においてストラップ５２０のケーシングに入る。ストラップ５２０が充填を開始すると、プラスチックコア材料５１０は、抵抗が最も低い経路をたどり、ケーシングの壁を（すなわち、連結部材５３０に対応するキャビティに隣接するケーシングの支持されていない部分において）貫通し、それにより、プラスチックコア材料は、連結部材５３０に対応するキャビティに入りかつそれを充填する。いくつかの構成では、プラスチックコア材料５１０は、連結部材５３０が伸長することができるようにエラストマーであり得る。さらに、こうした実施形態では、ケーシングは、プラスチックコア材料５１０の引伸ばしに抵抗することができる。
【０１２７】
図９Ｂは、ストラップ５２０を有し、それらストラップ５２０が、ストラップ５２０の間に配置された一体的に形成されたウェブ部５３２によって互いに接合さている、代替的な型内成形ストラップ構成を示す。図９Ａの連結部材５３０と同様に、射出成形金型（図示せず）は、ストラップ５２０用のストラップキャビティを流体的に接続するウェブ部５３２に対応するキャビティを有することができる。ウェブ部５３２に対応するキャビティは、ストラップ５２０用のストラップキャビティの深さより浅い深さを有することができる。したがって、溶融プラスチックコア材料５１０は、射出成形金型内に射出されると、接合点５４０においてストラップ５２０のケーシングに入る。ストラップ５２０が充填を開始すると、プラスチックコア材料は、抵抗が最も低い経路をたどり、ケーシングの壁を（すなわち、ウェブ部５３２に対応するキャビティに隣接するケーシングの支持されていない部分において）貫通し、それにより、プラスチックコア材料は、ウェブ部５３２に対応するキャビティに入りかつそれを充填する。いくつかの構成では、プラスチックコア材料５１０は、ウェブ部５３２が伸長することができるようにエラストマーであり得る。さらに、こうした実施形態では、ケーシングは、プラスチックコア材料５１０の引伸ばしに抵抗することができる。
【０１２８】
図１０Ａは、フィレット状ストラップ６２２を隣接するストラップ６２４またはヘッドギア部に接続するフィレット状接合部６２０を有する、代替的な型内成形ストラップ構成を示す。フィレット状ストラップ６２２のテキスタイルケーシングは、隣接するストラップ６２４またはヘッドギア部とのフィレット状接合部６２０に向かって半径方向外向きに、拡張し、広がり、かつ湾曲して、ストラップ６２２、６２４間の平滑な遷移を提供する、幅を有する。言い換えれば、フィレット状ストラップ６２２のテキスタイルケーシングの幅または直径は、フィレット状ストラップ６２２の長さに沿って、隣接するストラップ６２４と当接している端部に向かって増大する。したがって、フィレット状接合部６２０は、隣接するストラップ６２４のテキスタイルケーシングとのより広い接続面積を提供し、それにより、非フィレット状接合部に対して増大した強度および審美的な魅力を提供することができる。図１０Ｂは、フィレット状接合部６２０を形成する射出成形金型６１０を示す。図示するように、射出成形金型６１０は、フィレット状ストラップ６２２のテキスタイルケーシングの形状に対応する形状を有する、フィレット状ストラップキャビティ６１２を有する。図示する実施形態では、フィレット状ストラップ６２２のテキスタイルケーシングは、２層のマイクロファイバから事前に形成され、それらの層は、互いに縫合され裏返しにされて、開放端部において外向きに湾曲するチューブを形成する。隣接するストラップ６２４は、上述した実施形態と同様のケーシングを有する。さらに、隣接するストラップ６２４は、対応する形状のストラップキャビティ６１４内でフィレット状ストラップ６２２の開放端部と当接して位置決めされる。したがって、プラスチックコア材料６３０は、フィレット状ストラップ６２２および／または隣接するストラップ６２４の開放端部内に射出される。プラスチックコア材料６３０は、フィレット状接合部６２０において隣接するストラップ６２４のケーシングの壁を貫通し、それにより、プラスチックコア材料６３０は、フィレット状ストラップ６２２および隣接するストラップ６２４内に一体的に形成される。図示するように、フィレット状ストラップ６２２のテキスタイルケーシングは、別の型内成形ストラップ部（すなわち、図１０Ｂに示すように、ストラップ６２４のケーシング）に当接するか、または、図１０Ａに示すように、覆われていないプラスチックコア材料６３０に当接することができる。いくつかの構成では、フィレット状ストラップ６２２のケーシングは、フィレット状端部を含むような形状になるように織られる１枚の織チューブとして作製することができる。
【０１２９】
図１１Ａ〜図１１Ｅは、ストラップに刻み込まれている成形テクスチャを有する型内成形ストラップ構成を示す。図１１Ａ〜図１１Ｃは、ストラップ７１０であって、その長さに沿って列で配置された複数の正方形ダイヤモンド形くぼみ７３０を有するストラップ７２０を示す。図１１Ｂの線１１Ｃ−１１Ｃに沿った断面である図１１Ｃに示すように、くぼみ７３０は、ストラップ７２０の両側に形成され、ストラップ７２０内の薄い領域７３２を形成するように位置合せされる。薄い領域７３２は、プラスチックコア７１０にある程度の弾力性または伸縮性を提供することができる。こうした可撓性は、閉ループヘッドギアが患者の頭部の上で引っ張られるかまたは半剛性ヘッドギアの患者の知覚を改善することができるという点で有益であり得る。さらに、ストラップ７２０の凹凸仕上げは、ヘッドギアの審美的外観、およびストラップ７２０の触覚的魅力もまた改善することができる。すなわち、ストラップ７２０は、より剛性が低くかつより快適に見える可能性がある。図示しないいくつかの実施形態では、くぼみ７３０は、ケーシング７１２の層の間にプラスチックコア材料７１０のない遮断領域を形成することができる。遮断領域により、ストラップ７２０の通気性を向上させることができ、それにより使用者の快適さが向上する。図１１Ｄおよび図１１Ｅは、ハニカム状配置でストラップ７２０の長さに沿って間隔を空けて配置されている複数の六角形状くぼみ７３０を示す。くぼみ７３０は、ダイヤモンド形または六角形の形状に限定されず、種々の形状、サイズ、ストラップ上の位置、幾何学的形態、形状の組合せ等を含むことができることが理解されるべきである。図１１Ｄおよび図１１Ｅにおいて、プラスチックコアおよびハニカムパターンは、ストラップ７２０のケーシングの縁までは延在していない。これは、使用者の快適さを向上させる柔らかい縁を提供する。
【０１３０】
くぼみ７３０は、ストラップの柔らかい縁の形成と同様に突破り型内成形プロセス中に形成される。すなわち、ストラップ７２０用のストラップキャビティは、第１金型半体および第２金型半体に一連の突起を含むことができる。突起は、ストラップキャビティ内に突出し、くぼみ７３０に対応する形状を有する。プラスチックコア材料がストラップ７２０内に射出されると、突起は、くぼみの形状をプラスチックコア材料に成形する。
【０１３１】
図１２Ａ〜図１３Ｄは、結合されたストラップの間の接合部における結合強度を増大させる取付部材を有する、二又ヘッドギア１１００用の型内成形ストラップ構成を示す。図１Ａ〜図７に示す二又ヘッドギア１００と同様に、図１２Ａ〜図１３Ｄの二又ヘッドギア１１００は、頂部ストラップ１１４０および底部ストラップ１１５０を備える。同様に、頂部ストラップ１１４０の開放端部が底部ストラップ１１５０の非開放端部に結合される。図１Ａ〜図７の底部ストラップ１５０とは対照的に、底部ストラップ１１５０は、底部ストラップ１１５０のケーシングの壁から外向きに突出する取付部材１１５６を含む。より詳細に後述するように、頂部ストラップ１１４０は、取付部材１１５６の上にオーバーモールドされて、頂部ストラップ１１４０と底部ストラップ１１５０との間に永久接続を形成する。
【０１３２】
二又ヘッドギア１１００は、２ステップ型内成形プロセスによって形成される。すなわち、底部ストラップ１１５０および取付部材１１５６が、突破り型内成形プロセスを用いて型内成形され、その後、頂部ストラップ１１４０が、取付部材１１５６および底部ストラップ１１５０上に型内成形される。図１２Ａおよび図１２Ｂは、二又ヘッドギア１１００を形成する突破り型内成形プロセスの第１ステップを示す。図示するように、底部ストラップ１１５０および取付部材１１５６は、底部ストラップ１１５０のケーシング１２２０を第１成形金型１３２０の底部ストラップキャビティ１３２４内に配置することによって形成される。取付部材１１５６は、上述した貫通および突破り技法と同様に、底部ストラップ１１５０のケーシング１２２０の壁を貫通するかまたは突き破ったプラスチックコア材料１２１０によって形成される。簡潔のために、冗長な考察は排除する。図１３Ａおよび図１３Ｄは、二又ヘッドギア１１００を形成する型内成形プロセスの第２ステップを示す。図示するように、完全に形成された底部ストラップ１１５０は、第２成形金型１３２２の底部ストラップキャビティ１３２６内に位置決めされる。頂部ストラップ１１４０用のケーシング１２２０が、第２成形金型１３２２の頂部ストラップキャビティ１３２８内に位置決めされる。頂部ストラップ１１４０の開放端部が、底部ストラップ１１５０の取付部材１１５６の上に位置決めされる。すなわち、頂部ストラップ１１４０用のケーシング１２２０は、取付部材１１５６の上に重なりかつ／または取付部材１１５６を包囲しているように、第２成形金型１３２２内に配置される。頂部ストラップ１１４０用のケーシング１２２０の開放端部は、底部ストラップ１１５０の柔らかい縁１２２２に当接する。頂部ストラップ１１４０用のケーシング１２２０は、第２成形金型１３２２における射出点１３９０を介して第２成形工具１３２２に入るプラスチックコア材料１２１０で充填される。射出中、頂部ストラップ１１４０用のケーシング１２２０内のプラスチックコア材料１２１０は、取付部材１１５６の上にかつ／または周囲にオーバーモールドして、頂部ストラップ１１４０と底部ストラップ１１５０との間に永久接続を形成する。さらに、化学的かつ／または機械的接続が、頂部ストラップ１１４０と底部ストラップ１１５０との間の接合部１１７０において取付部材１１５６とプラスチックコア材料との間に形成される。取付部材１１５６は、頂部ストラップ１１４０用のケーシング１２２０内のプラスチックコア材料１２１０が通過する、部分噛合い開口部１１５７（図１３Ａおよび図１３Ｂ）または噛合い開口部１１５８（図１３Ｃおよび図１３Ｄ）を提供する、機械的噛合い構造を含むことができる。機械的噛合いにより、頂部ストラップ１１４０を化学的にまたは機械的に結合することができる接合部１１７０における底部ストラップ１１５０の表面積の量を増大させることができる。さらに、噛合い開口部１１５７、１１５８を通過するプラスチックコア材料１２１０は、頂部ストラップ１１４０および底部ストラップ１１５０のプラスチックコア材料１２１０の間の噛み合う機械的接続を提供することができる。いくつかの構成では、型内成形プロセスを用いて、頂部ストラップ１１４０を形成して底部ストラップ１１５０に取り付けることができる。すなわち、別のストラップ形成技法を用いて、底部ストラップ１１５０および取付部材１１５６を形成することができ、その後、型内成形プロセスを用いて、取付部材１１５６の上に頂部ストラップ１１４０をオーバーモールドすることができる。
【０１３３】
図１４Ａ〜図１４Ｄは、端部が封止されたストラップケーシングを有する二又ヘッドギア１４００用の代替的なストラップ構成を示す。二又ヘッドギア１４００は、図１Ａ〜図７の頂部ストラップ１４０および底部ストラップ１５０を備える二又ヘッドギア１００と同様に配置された頂部ストラップ１４０２および底部ストラップ１４０４を有する。さらに、頂部ストラップ１４０２および底部ストラップ１４０４は、接合部１７０における頂部ストラップ１４０および底部ストラップ１５０と同様に、突破り型内成形プロセスを用いて接合部１４７０において接合される。
【０１３４】
図１４Ａは、封止された開放端部１４３０を有する頂部ストラップ１４０２用のケーシング１４１０を示す。封止された開放端部１４３０は、ホットナイフによりケーシング１４１０の端部を切断することより形成される。ケーシングが合成繊維から形成される場合、ホットナイフによるケーシング１４１０の切断により、ケーシング１４１０の縁が溶融し、それにより、ケーシング１４１０がある長さに切断された後に本来は露出しかつ／またはほつれる個々の糸／ヤーンの余った端部が封止されるかまたは互いに接合される。その結果、封止された開放端部１４３０が底部ストラップ１４０４と接合されるとき、接合部１４３０には余ったまたはほつれた個々の糸／ヤーンはなく、接合部１４７０および二又ヘッドギア１４００の審美性が向上する。さらに、封止された開放端部１４３０により、プラスチックコア材料１４２０が突破り型内成形プロセス中にケーシングの壁を貫通した後、接合部１４７０の周囲のケーシング１４１０の外側に形成される余分な咬み出しを低減させることができる。すなわち、封止された開放端部１４３０は、底部ストラップ１４０２のケーシング１４１０と接触する実質的に封止された縁または表面（すなわち、ケーシング１４１０のほつれた開放端部に対する）を提供し、それにより、プラスチックコア材料１４２０が封止された開放端部１４３０において頂部ストラップ１４０２のケーシング１４１０を通って漏れるのが防止される。図１４Ｃは、頂部ストラップ１４２０の封止された開放端部１４３０と底部ストラップ１４０４のケーシング１４１２の縁との間に形成された接合部１４７０を示す。図１４Ｄは、図１４Ｃの線１４Ｄ−１４Ｄに沿った頂部ストラップ１４０２および底部ストラップ１４０４の断面を示す。頂部ストラップ１４００および底部ストラップ１４０２は、上で考察した突破り型内成形技法を用いて互いに結合される。代替構成では、射出成形の前に、頂部ストラップ１４０２の端部を封止するように頂部ストラップ１４０２の開放端部をオーバーモールドすることができる。
【０１３５】
別の実施形態では、ヒートシーラー内にケーシングを配置することにより、封止された開放端部を形成することができ、ケーシングの外側部分は、封止され／溶融するが、ヒートシーラーによって切断されない。そして、ケーシングは、封止領域の中間部分において（すなわち、封止領域が冷却された後）切断されて、開放端部をもたらす。ケーシングの内壁は、合せて封止も融合もされないが、個々のヤーンはケーシングの外側（すなわち、外壁）で融合され、したがって、個々のヤーンの余った糸を固定し、それにより、清潔な審美性が提供され、プラスチックコア材料が封止された開放端部においてケーシングを通って漏れるのが防止または阻止される。
【０１３６】
図１５Ａ〜図１５Ｄは、底部ストラップ１５０２内のプラスチックコア材料１５１０内に係留されるコア端部１５１２を有するフィラメントコア１５５０を有する二又ヘッドギア１５００を示す。フィラメントコア１５５０は、参照により本明細書に援用される米国特許出願第１４／８５６，１９３号明細書に開示されているような変形ロック機構とともに使用することができる。フィラメントコア１５５０および変形ロック機構は、使用者の顔面に対してマスクインタフェースを緩めるかまたは締め付けるようにヘッドギアの底部ストラップの長さおよび張力を調整する長さ調整機構を提供する。たとえば、いくつかの構成では、ロック機構がフィラメントコアと係合して、底部ストラップの有効長を調整することができる。
【０１３７】
二又ヘッドギア１５００は、図１Ａ〜図７の頂部ストラップ１４０および底部ストラップ１５０を備えた二又ヘッドギア１００と同様に構成される、頂部ストラップ１５０２および底部ストラップ１５０４を有する。さらに、頂部ストラップ１５０２および底部ストラップ１５０４は、接合部１７０における頂部ストラップ１４０および底部ストラップ１５０と同様に、突破り型内成形プロセスを用いて、接合部１５７０において接合される。
【０１３８】
図１５Ａに図示するように、頂部ストラップ１５０２は接合部１５７０において底部ストラップ１５０４に結合される。頂部ストラップ１５０２および底部ストラップ１５０４は、上で考察した突破り型内成形技法を用いて頂部ストラップ１５０２および底部ストラップ１５０４のケーシング１５２０内に一体的に形成される、成形されたプラスチックコア材料１５１０を介して結合される。同様に、頂部ストラップ１５０２および底部ストラップ１５０４は、柔らかい縁１５２２を有する。図示するように、フィラメントコア１５５０のフィラメントアンカ部１５５２は、プラスチックコア材料１５１０のコア端部１５１２内に配置される。フィラメントコア１５５０は、接合部１５７０の前方（すなわち、使用者の耳の前方）の位置でコア端部１５１２内に固定されかつその中に係留される。いくつかの構成では、フィラメントコア１５５０は、突破り型内成形プロセス中にプラスチックコア材料１５１０に結合される。フィラメントコア１５５０は、底部ストラップ１５０４のケーシング１５２０によって包囲されるが、ケーシング１５２０には取り付けられない。すなわち、ケーシング１５２０のコア端部１５１２と開放端部１５２４との間で、フィラメントコア１５５０はケーシング１５２０に取り付けられない。したがって、ケーシング１５２０は、有効に伸長不能であるフィラメントコア１５５の上で独立して移動することができる。さらに、突破り型内成形技法を用いて形成される先の実施形態と同様に、プラスチックコア材料１５１０は、頂部ストラップ１５０２および底部ストラップ１５０４のケーシング１５２０に結合される。
【０１３９】
図１５Ｂに図示するように、底部ストラップ１５０４は、フィラメントコア１５５０の一部を覆い、包囲しかつ隠すために底部ストラップ１５０４のケーシング１５２０の方が長いという点で、図１Ａ〜図７の底部ストラップ１５０とさらに異なる。フィラメントコア１５５０を隠すことにより、ヘッドギアの審美的外観を向上させることができる。図１５Ｂおよび図１５Ｃに図示するように、フィラメントコア１５５０は、底部ストラップ１５０４のコア端部１５１２から前方に延在し、底部ストラップ１５０４のケーシング１５２０の引き伸ばされたまたは伸長した長さより大きい長さを有する。図１５Ｂは、底部ストラップ１５０４のケーシング１５２０の引き伸ばされていない長さを示す。図１５Ｃは、フィラメントコア１５５０の一部が依然としてケーシング１５２０の最大長さをさらに越えて伸長する間に、最大長まで引き伸ばされた底部ストラップ１５０４のケーシング１５２０を示す。したがって、底部ストラップ１５０４のケーシング１５２０は、フィラメントコア１５５０とロック機構（図示せず）との間の広範囲の位置を通してフィラメントコア１５５０を隠すように構成されている。ケーシング１５２０の引き伸ばされる長さおよび引き伸ばされていない長さは、ヘッドギアのサイズおよび所望の調整可能性の範囲にしたがって変更することができる。
【０１４０】
図１５Ｄは、引き伸ばされた状態にある底部ストラップ１５０４のケーシング１５２０の拡大図を示す。好ましい実施形態では、第２ストラップ１５０４のケーシング１５２０は編み組まれており、直線状の弾性要素が組み込まれている非弾性ヤーンを備える。ケーシング１５２０は、フィラメントコア１５５０とは独立して伸長し後退することができる。図１５Ｄに示すように、伸長するとき、底部ストラップ１５０４のケーシング１５２０は、コア端部１５１２からの狭窄領域１５２６によって示すように、引き伸ばされるときにくびれて狭くなるかまたは幅が狭くなり、ケーシング１５２０の個々のヤーンは整列し、したがって、編組部の伸長長さが制限される。フィラメントコア１５５０は、編組部の伸長長さより長い。編組部にいかなる力も加えられていないとき、ケーシング１５２０の直線状の弾性要素は編組部を後退させる。
【０１４１】
図１６Ａは、ボタンおよび穴サイズ調整システム２２００によって接続されている右側２１２０および左側２１３０の頂部ストラップ２１４０を有する二又ヘッドギア２０００を示す。ボタンおよび穴サイズ調整システム２２００は、野球帽で一般に使用されている「スナップフィット」ボタンおよび穴調整システムと同様であり得るが、二又ヘッドギア２０００の一部として一体的に成形されている。サイズ調整システム２２００は、左側２１３０の頂部ストラップ２１４０を通って延在する複数の穴２２１０（図１６Ａでは不可視）と、右側２１２０の頂部ストラップ２１４０の上面２２２２から突出している複数のボタン２２２０とを備える。右側２１２０および左側２１３０に対する複数の穴２２１０および複数のボタン２２２０の位置決めは、複数のボタン２２２０が左側２１３０の頂部ストラップ２１４０から延在し、複数の穴２２１０が右側２１２０の頂部ストラップ２１４０を通って延在するように、逆にすることができる。
【０１４２】
図１６Ｂは、ボタンおよび穴サイズ調整システム２２００の拡大断面図である。すなわち、図１６Ｂは、ボタン２２２０が穴２２１０を通って延在する状態を示す。具体的に考察しない特徴に関して、二又ヘッドギア２０００は、本明細書に開示する他のヘッドギアと同じかまたは同様であり得る。すなわち、二又ヘッドギア２０００は、図１Ａ〜図７の頂部ストラップ１４０および底部ストラップ１５０を備えた二又ヘッドギア１００と同様に配置される頂部ストラップ２１４０および底部ストラップ２１５０を有する。さらに、頂部ストラップ２１４０および底部ストラップ２１５０は、接合部１７０における頂部ストラップ１４０および底部ストラップ１５０と同様に、突破り型内成形プロセスを用いて接合部２１７０において接合される。すなわち、頂部ストラップ２１４０および底部ストラップ２１５０は、単体プラスチックコア材料２１９０で充填されたケーシング２１８０から形成される。
【０１４３】
図１６Ｃ〜図１６Ｄは、穴サイズ調整システム２２００のボタン２２２０を形成するように構成された開／閉射出成形金型２３００を示す。簡単のために、図１６Ｃは、単一ボタン２２２０を形成する射出成形金型２３００の第１金型半体２３１０および第２金型半体２３２０の一部を示す。成形金型２３００の構成および複数のボタン２２２０を形成するプロセスは、単一のボタン２２２０を形成するプロセスと実質的に同様である。さらに、第１金型半体２３１０および第２金型半体２３２０は、図１Ａ〜図７の第１金型半体３１０および第２金型半体３２０と同様であり、頂部ストラップおよび底部ストラップ内でプラスチックコア材料を突破り型内成形するためのストラップキャビティを含む。言い換えれば、穴サイズ調整システム２２００の複数のボタン２２２０は、プラスチックコア材料２１９０を頂部ストラップ２１４０および底部ストラップ２１５０内に射出する突破り型内成形プロセス中に（すなわち、単一の射出成形プロセスにおいて）形成することができる。
【０１４４】
図１６Ｃは、頂部ストラップ２１４０の上面２２２２から突出している完全に形成されたボタン２２２０を示す。第１金型半体２３１０および第２金型半体２３２０は、それぞれストラップキャビティ２３１２、２３２２を有し、その中で、頂部ストラップ２１４０のケーシング２１８０が受け入れられ、プラスチックコア材料２１９０で射出される。第１金型半体２３１０はまた、図示する実施形態では円筒状である、ボタン２２２０に対応する形状を有するストラップキャビティ２３１２、２３２２に流体的に接続されたボタンキャビティ２３１４も含む。ボタン２２２０と対応するボタンキャビティ２３１４とは、円筒状の形状に限定されない。当業者であれば、ストラップの任意の面に代替的な特徴（たとえば、隆起したグリップ、ロゴ、コネクタ部等）を形成するために、複数のボタン２２２０を形成する技法を使用することができることもまた理解されるはずである。
【０１４５】
図１６Ｄは、ボタン２２２０を形成するプロセス中の第１金型半体２３１０および第２金型半体２３２０の図１６Ｃの線１６Ｄ−１６Ｄに沿った断面を示す。ステップ１に図示するように、ケーシング２１８０は、ストラップキャビティ２３１２、２３２２内に位置決めされる。ケーシング２１８０の一部は、第１金型半体２３１０によって支持されておらず、そこでは、ボタンキャビティ２３１４はストラップキャビティ２３１２と接続されている。ステップ２および３に図示するように、ストラップキャビティ２３１２、２３２２がプラスチックコア材料２１９０で充填される際、ケーシング２１８０は、プラスチックコア材料２１９０によりボタンキャビティ２３１４内に押し込まれる。ステップ４に図示するように、ケーシング２１８０がプラスチックコア材料２１９０を収容する限界に達すると、プラスチックコア材料２１９０は、充填するキャビティ（すなわち、ボタンキャビティ２３１４）が残っているため、ケーシング２１８０を突き破る。すなわち、ケーシング２１８０が（たとえば、図示する実施形態ではボタンキャビティ２３１４により）支持されていない領域内で、ケーシング２１８０がプラスチックコア２１９０で充填されるとき、プラスチックコア材料２１９０は、ケーシング２１８０を貫通して突き破り、ボタンキャビティ２３１４を充填する。上述した突破り型内成形プロセスと同様に、ケーシング２１８０の糸は、射出されたプラスチックコア材料２１９０の圧力の下にあるとき、変位するかまたは弾性変形する可能性がある。糸の変位または弾性変形により、糸の間に間隙を形成することができ、そこを通って、射出されるプラスチックコア材料２１９０がボタンキャビティ２３１４内に流れ込むことができる。いくつかの構成では、ケーシング２１８０の糸は、ケーシング２１８０を通して穴が形成されるように裂けることができ、その穴を通して、射出されるプラスチックコア材料２１９０がボタンキャビティ２３１４内に流れ込むことができる。
【０１４６】
他の実施形態では、プラスチックコア材料２１９０は、ケーシング２１８０およびストラップキャビティ２３１２、２３２２がプラスチックコア材料２１９０で充填される前に、ケーシング２１８０を貫通して突き破る。これは、たとえば、ケーシング２１８０の支持されていない場所が射出点により近く、プラスチックコア材料２１９０が低密度または低粘性であり、ケーシング２１８０が低糸密度を有し、かつ／または支持されている領域に対して支持されていない部分が大きい場合に、発生する可能性がある。
【０１４７】
図１７は、突破り型内成形プロセスによって形成された調整および有用性機構を備えた調整可能ストラップ構成を示す。この構成は、第１ストラップ３１１０および第２ストラップ３１２０を含む。第１ストラップ３１１０は、第２ストラップ３１２０を受け入れるように構成されている突破り端部ループ３１３０を含む。第２ストラップ３１２０は、端部ループ３１３０内で受け入れられ折り返され、第２ストラップ３１２０の自由端を取外し可能に締結するために、締結機構が設けられている。第２ストラップ３１２０は、突破り端部またはグリップタブ３１４０を含む。少なくとも１つの実施形態では、第２ストラップ３１２０は、内面３１２２および外面３１２４を含み、各々、異なる視覚的または触覚的構成である。第２ストラップ３１２０が折り返されて締結されると、第２ストラップ３１２０の端部ループ３１３０を越えて送られるストラップの部分の内面３１２２が露出する。これにより、調整された長さの視覚的かつ／または触覚的表示が提供される。
【０１４８】
図１８は、本明細書に記載する型内かつ／または突破りプロセスに従って形成されたヘッドギア３２００の非限定的な例示的実施形態を示す。ヘッドギア３２００は、下部ストラップ３２１０、中部ストラップ３２２０、および垂直または頂部ストラップ（以下、「垂直ストラップ」と呼ぶ）３２３０を備える。下部ストラップ３２１０は、患者インタフェース（図示せず）から使用者の耳の下方に、使用者の頭部の後部の周囲に、使用者の他方の耳の下方に、患者インタフェースまで延在する。中部ストラップ３２２０は、患者インタフェースから、患者の耳の上方に、ヘッドギア３２００の後部の周囲に、使用者の他方の耳の上方に、患者インタフェースまで延在する。垂直ストラップ３２３０は、使用者の耳の前方の箇所において下部ストラップ３２１０から上方に、使用者の頭部の頂部の上にわたり、使用者の他方の耳の前方の下部ストラップ３２１０の箇所まで延在する。
【０１４９】
図１８に図示する実施形態では、下部ストラップ３２１０は、連続ケーシングを有する連続ストラップである。言い換えれば、下部ストラップ３２１０のケーシングは、型内かつ／または突破りプロセスの前は、途切れていない。型内突破りプロセスの後、下部ストラップ３２１０から突破り接合部が形成される。連続ケーシングまたはストラップは、射出材料が露出されるのを可能にする事前形成された開口部を含むことができる、ということが留意されるべきである。
【０１５０】
図１８に図示するように、垂直ストラップ３２３０は、連続したまたは途切れていないケーシングから形成されるため、連続ストラップである。型内成形突破りプロセスの後、垂直ストラップ３２３０のケーシングの端部３２３２は、突破り接合部によって下部ストラップ３２１０に接合され型内成形される。
【０１５１】
中部ストラップ３２２０はセグメント化されたストラップである。言い換えれば、中部ストラップ３２２０は、複数のまたはセグメント化されたケーシングから形成されている。セグメント化ケーシングは、型内突破りプロセス中に他のストラップに接合される。図１８に図示実施形態では、中部ストラップ３２２０は前部ケーシング３２２２から構成され、それらは各々、下部ストラップ３２１０からかつ使用者の耳の上方に垂直に間隔をあけて配置された、突破り接合部において、垂直または頂部ストラップ３２３０に接合されている。中部ストラップ３２２０は、後部ケーシング３２２４をさらに含み、その端部は、型内突破りプロセス中に垂直または頂部ストラップ３２３０に、同様に使用者の耳の上方で接合されている。
【０１５２】
ここで、本明細書は、図１９〜図４２に図示する非限定的な例示的な実施形態に焦点を当てる。簡単のために、本記載は、それぞれの図に導入されている追加の特徴に焦点を当てる。したがって、先に記載した特徴または構成は、毎回含まれていない可能性がある。さらに、以下の非限定的な例示的な実施形態における特徴は、先に記載した非限定的な例示的な実施形態のうちの任意のものと、それらを結合することができる程度まで結合することができる。
【０１５３】
図１９は、型内および／または突破りプロセスを用いて形成されたヘッドギア４１００を示す。ヘッドギア４１００は、連続下部ストラップ４１１０と連続中部ストラップ４１２０とを含む。垂直ストラップ４１３０が、突破り継手により、中部ストラップ４１２０の頂点４１２４から、使用者の耳の上方に形成されている。耳の前方に、突破り接合部によって形成された、下部ストラップ４１１０と中部ストラップ４１２０との間の接合ストラップ４１４０がある。下部ストラップ４１１０の後部４１１２および中部ストラップ４１２０の後部４１２２は近づいている。突破りウェブ部４１５０が、下部ストラップ４１１０の後部４１１２と中部ストラップ４１２０の後部４１２２とを接合する。いくつかの構成では、垂直ストラップ４１３０および突破りウェブ部４１５０は、単体であり一体的に形成され得る。
【０１５４】
図２０は、型内および／または突破りプロセスを用いて形成された別のヘッドギア４２００を示す。ヘッドギア４２００は、連続下部ストラップ４２１０と、結合された、連続中部および垂直ストラップ４２２０とを含む。耳ループ４２３０が設けられ、使用者の耳を包囲する。下部ストラップ４２１０は、耳ループ４２３０の下部４２３２に沿って耳ループ４２３０に取り付けられている。連続中部および垂直ストラップ４２２０は、耳ループ４２３０の上部４２３４に沿って取り付けられている。図２１は、図１８に図示するヘッドギア３２００と同様であるが、下部ストラップ４３１０の後部４３１２と中部ストラップ４３２０の後部４３２２とを接合するウェブ部４３５０を備える、ヘッドギア４３００を示す。
【０１５５】
図２２は、連続下部ストラップ４４１０を含むヘッドギア４４００を示し、下部ヘッドギア４４１０は、使用者の耳の下方に延在し、垂直方向上方に、使用者の耳の後方に、使用者の耳の上方を前方に延在して、耳ループの一部を形成する。連続垂直ストラップ４４３０が、耳の前方の箇所で下部ストラップ４４１０から延在し、垂直ストラップ４４３０は耳ループの残りの部分を形成している。中部ストラップ４４２０が、突破り接合部により垂直ストラップ４４３０に接合されている。下部ストラップ４４１０の下部後部４４１２が後部パネル４４４０によって接続されている。
【０１５６】
図２３は、図２１に示すヘッドギア４３００と同様であるが、下部ストラップ４５１０および中部ストラップ４５２０を接合するより小さいウェブ部４５５０を備える、ヘッドギア４５００を示す。
【０１５７】
図２４は、連続下部ストラップ４６１０と組合せ連続中部および垂直ストラップ４６２０とを含むヘッドギア４６００を示す。ヘッドギア４６００は、組合せ連続上部後部ストラップおよび第２垂直ストラップ４６３０をさらに含む。ウェブ部４６５０が、第１垂直ストラップ４６２０と第２垂直ストラップ４６３０との間とともに、連続下部ストラップ４６１０の後部４６１２と上部後部ストラップ４６３０との間に延在している。ウェブ部４６５０はまた、耳を包囲する耳ループも形成する。すなわち、ウェブ部４６５０は穴を有し、その中に耳を配置することができる。
【０１５８】
図２５および図２６は、閉ループ構造の形態の連続ケーシングから形成される下部ストラップ４７１０および中部ストラップ４７２０を有するヘッドギア４７００の２つの例を示す。下部ストラップ４７１０および中部ストラップ４７２０は、耳ループ４７７０の一部を形成している。ウェブ部４７４０が、下部ストラップ４７１０と中部ストラップ４７２０との間に延在して、耳ループ４７７０の前部４７７２を形成している。垂直ストラップ４７３０は、右側耳ループ４７６０の上部４７６６と左側耳ループ４７７０の上部４７７６との間に延在するウェブ部によって形成されている。ヘッドギア４７００の後部４７８０が、右側耳ループ４７６０の下部後部４７６４と左側耳ループ４７７０の下部後部４７７４との間に延在する後部ウェブ部４７５０によって形成されている。
【０１５９】
図２７および図２８は、使用者の皮膚または頭髪と直接接触して、たとえば、使用者の顔面にまたは使用者の首の後部において、ヘッドギア４９００の部分に取り付けられて提供されるキルト布地または材料４９１０を有するヘッドギア４９００の２つの例を示す。羽毛布団と同様に、キルト布地は、手触りが柔らかく、クッション詰め物を提供し、それにより、使用者が寝る時にヘッドギア４９００を装着したくなるように、ヘッドギア４９００の快適さが向上する。キルト材料４９１０は、ヘッドギア４９００の型内成形ストラップまたはウェブ部に縫合するかまたは溶着することができる。開示する構成は、キルト材料に限定されず、限定されないが、柔らかい、詰め物された、通気性の、吸湿性の、滑りにくい／粘着性の手触り等、種々の材料特性を有する布地およびテキスタイルを含むことができる。
【０１６０】
図２９は、Ｂｒｅａｔｈ−ｏ−ｐｒｅｎｅ等のフォーム−ライクララミネート材料から形成された垂直ストラップ５１１０およびネックストラップ５１２０を含むヘッドギア５１００を示す。Ｂｒｅａｔｈ−ｏ−ｐｒｅｎｅは、空気がストラップを通過するのを可能にし、快適さおよびコンプライアンスを向上させるように皮膚から汗を逃す。さらに、Ｂｒｅａｔｈ−ｏ−ｐｒｅｎｅは、使用者の頭部に対する圧点を低減させるようにストラップに詰め物を提供する。垂直ストラップ５１１０は、第１ストラップ３１１０および第２ストラップ３１２０を備える。第１ストラップ３１１０は、第２ストラップ３１２０を受け入れるように構成されている突破り端部ループ３１３０を含む。第２ストラップ３１２０は、端部ループ３１３０内に受け入れられ、折り返され、第２ストラップ３１２０の自由端を取外し可能に締結するように、締結機構が設けられている。第２ストラップ３１２０は、突破り端部またはグリップタブ３１４０を含む。少なくとも１つの実施形態では、第２ストラップ３１２０は、内面３１２２および外面３１２４を含み、それらは各々、異なる視覚的または触覚的構成である。第２ストラップ３１２０が折り返されて締結されると、第２ストラップ３１２０の端部ループ３１３０を越えて送られるストラップの部分の内面３１２２が露出する。これにより、調整された長さの視覚的かつ／または触覚的表示が提供される。
【０１６１】
図３０は、垂直ストラップ５２１０およびネックストラップ５２２０の上に通気性の吸湿性材料５２４０を有するヘッドギア５２００を示す。通気性の吸湿性材料５２４０は、使用者の皮膚または頭髪と接触する部分においてヘッドギア５２００の通気性を向上させる、競技およびパフォーマンス用編物であり得る。通気性、吸湿性材料５２４０はまた、ヘッドギア５２００に活動的かつ競技者のような概観も与えることができる。
【０１６２】
図３１は、閉ループ構造の形態の連続ケーシングから形成されている下部ストラップ５３１０および中部ストラップ５３２０を有するヘッドギア５３００を示す。連続した下部ストラップ５３１０および中部ストラップ５３２０は、耳ループ５３７０の実質的な部分を形成している。連続した下部ストラップ５３１０および中部ストラップ５３２０は、耳の前方で耳ループ５３７０の残りの部分を形成する、耳の前方の突破り接合部５３３０によって接合されている。垂直ストラップ５３４０が、中部ストラップ５３２０の頂点５３２２に形成されており、突破り射出プロセスを介して露出したプラスチックから形成されている。同様に、ネックストラップ５３５０もまた、露出したプラスチックから形成することができる。別法として、垂直ストラップ５３４０およびネックストラップ５３５０は、テキスタイル外側ケーシングを有する型内成形ストラップから構成することができる。垂直ストラップ５３４０およびネックストラップ５３５０はまた、下部ストラップ５３１０および中部ストラップ５３２０との接続強度を向上させるように、下部ストラップ５３１０および中部ストラップ５３２０との接合部においてフィレット状であり得る。
【０１６３】
図３２は、閉スープ構造の形態の連続ケーシングから形成されている、底部下部ストラップ５４１０、中部ストラップ５４２０および前部垂直ストラップ５４３０を有するヘッドギア５４００を示す。後部垂直ストラップ５４４０および頂部下部ストラップ５４５０もまた、連続ストラップであり、閉ループ構造を形成することができる。ウェブ部５４６０が、前部垂直ストラップ５４３０と後部垂直ストラップ５４４０との間とともに、頂部下部ストラップ５４５０と底部下部ストラップ５４１０との間に延在している。ウェブ部５４６０はまた、底部下部ストラップ５４１０の前部５４１２と中部ストラップ５４２０との間に延在している。ウェブ部５４６０はまた、耳を包囲する耳ループも形成している。すなわち、ウェブ部５４６０は穴を有し、その中に耳を配置することができる。
【０１６４】
図３３および図３４は、閉ループ構造の形態の連続ケーシングから形成されている下部ストラップ５５１０および中部ストラップ５５２０を有するヘッドギア５５００の２つの例を示す。耳ループ５５７０の上部５５７４が、中部ストラップ５５２０によって画定されている。耳ループ５５７０の下部５５７２が、下部ストラップ５５１０によって画定されている。ウェブ部５５４０が、連続した下部ストラップ５５１０および中部ストラップ５５２０の後部５５１２、５５２２の間に延在し、耳ループ５５７０の後部５５７８を画定する。連続垂直ストラップ５５３０は、耳の前方の部分で下部ストラップ５５１０から延在し、耳ループ５５７０の前方部分５５７６を形成している。中部ストラップ５５２０は垂直ストラップ５５３０の上に重なる。中部ストラップ５５２０が、突破り接合部またはアーク溶接により垂直ストラップ５５３０に接合されている。図３４は、中部ストラップ５５２０および下部ストラップ５５１０を形成するために使用される材料とは異なる材料から形成されている外部ケーシングを有する垂直ストラップ５５３０を示す。
【０１６５】
図３５は、連続ケーシングを有する下部ストラップ５７１０および中部ストラップ５７２０を有するヘッドギア５７００を示す。下部ストラップ５７１０は、使用者の耳の下方に延在し、垂直方向上向きに、使用者の耳の後方に、使用者の耳の上方を前方に延在して、耳ループ５７７０の一部を形成している。連続垂直ストラップ５７３０が、耳の前方の部分において下部ストラップ５７１０から延在し、耳ループ５７７０の残りの部分を形成している。中部ストラップ５７２０が、突破り接合部によって垂直ストラップ５７３０に接合されている。下部ストラップ５７１０の下部後部５７１２が、後部パネル５７４０によって接合されている。
【０１６６】
図３６は、閉ループ構造の形態の連続ケーシングから形成されている下部ストラップ５８１０および中部ストラップ５８２０を有するヘッドギア５８００を示す。連続した下部ストラップ５８１０および中部ストラップ５８２０は、使用者の耳の下方に延在し、垂直方向上向きにかつ使用者の耳の周囲に延在して、耳ループ５８７０の底部５８７２、後部５８７４および頂部５８７６を形成し、使用者の耳の前方の部分から前方に続いて、中部ストラップ５８２０の一部を形成している。連続垂直ストラップ５８３０が、耳の前方の部分において下部ストラップ５８１０から延在し、垂直ストラップ５８３０は、耳ループ５８７０の前方部分５８７８を形成している。垂直ストラップ５８３０と実質的に平行な部分における中部ストラップ５８２０は、垂直ストラップ５８３０の上に重なり、突破り接合部により垂直ストラップ５８３０に接合されている。下部ストラップ５８１０の下部後部５８１２が、後部パネルまたはウェブ部５８４０によって接合されている。
【０１６７】
図３７および図３８は、連続ケーシングから形成されている下部ストラップ５９１０および中部ストラップ５９２０を有するヘッドギア５９００の２つの例を示す。垂直ストラップ５９３０が、耳の前方の部分において下部ストラップ５９１０から延在し、耳ループ５９７０の前方部５９７２および頂部５９７４を形成している。垂直ストラップ５９３０は、後方に延在し、使用者の耳の後方の位置において下部ストラップ５９１０に接続されている。いくつかの構成では、垂直ストラップ５９３０は、使用者の頭部の後部の周囲に延在する。下部ストラップ５９１０は、耳ループ５９７０の底部５９７６を形成している。中部ストラップ５９２０は、使用者の耳の前方の位置において垂直ストラップ５９３０に接続されている。ネックストラップ５９４０が、垂直ストラップ５９３０および下部ストラップ５９１０の両方に取り付けられ、使用者の頭部の後方で垂直ストラップ５９３０の一部の長さに沿って延在する。図３７において、ネックストラップ５９４０は、通気性の、吸湿性材料から形成され、競技およびパフォーマンス用編物であり得る。垂直ストラップ５９３０は、テキスタイル材料で覆われるか、または露出したプラスチックコア材料であり得る。
【０１６８】
図３９は、連続ケーシングから形成されている下部ストラップ６１１０および中部ストラップ６１２０を有するヘッドギア６１００の実施形態を示す。下部ストラップ６１１０および中部ストラップ６２１０は、使用者の耳の後方の位置で集まっている。突破り接合部６１４０が、使用者の耳の前方の位置で下部ストラップ６１１０および中部ストラップ６１２０を接続している。垂直ストラップ６１３０が、使用者の耳の上方で、中部ストラップ６１２０の頂点６１２２から突破り継手によって形成されている。垂直ストラップ６１３０は、テキスタイル材料で覆われるか、または露出したプラスチックコア材料であり得る。
【０１６９】
図４０は、連続ケーシングから形成される下部ストラップ６２１０、中部ストラップ６２２０および垂直ストラップ６２３０を有するヘッドギア６２００の実施形態を示す。いくつかの非限定的な構成では、連続ストラップは、連続ケーシングを完全に編むか、またはテキスタイル材料の層を互いに接合することによって形成することができる。
【０１７０】
図４１は、下部ストラップ６３１０と、連続ケーシングから形成されている中部ストラップ６３２０および垂直ストラップ６３３０とを有するヘッドギア６３００の実施形態を示す。連続ストラップは、使用者の耳の後方の下部ストラップ６３１０の端部との接合部において、使用者の耳の上方の位置における垂直ストラップ６３３０との接合部において、後部ストラップ６３４０に接続されている。ウェブ部６３５０が、使用者の耳の前方の位置で下部ストラップ６３１０および中部ストラップ６３２０を接合している。別法として、連続ストラップは、使用者の耳の前方の位置で下部ストラップ６３１０および中部ストラップ６３２０を接合することができる。ネックストラップ６３６０が、後部ストラップ６３４０および下部ストラップ６３１０の両方に取り付けられ、使用者の頭部の後方で後部ストラップ６３４０の一部の長さに沿って延在している。ネックストラップ６３６０は、通気性の、吸湿性材料から形成され、競技およびパフォーマンス用編物であり得る。
【０１７１】
図４２は、連続ケーシングから形成されている下部ストラップ６４１０および中部ストラップ６４２０を有するヘッドギア６４００の実施形態を示す。いくつかの構成では、連続ストラップは閉ループ構造を形成する。下部ストラップ６４１０および中部ストラップ６４２０は、使用者の耳の後方の位置で交差している。下部ストラップ６４１０と中部ストラップ６４２０との間の開口部６４５０内に、通気性の吸湿性材料を配置することができる。下部ストラップ６４１０および中部ストラップ６４２０は、使用者の耳の前方の位置で型内成形ウェブ部またはストラップ６４４０によって接続されている。垂直ストラップ６４３０が、中部ストラップ６４２０の頂点６４２２から使用者の耳の上方の突破り継手によって形成されている。いくつかの構成では、垂直ストラップ６４３０の上に中部ストラップ６４２０が重なり、垂直ストラップ６４３０は、下部ストラップ６４１０に向かって延在して、下部ストラップ６４１０および中部ストラップ６４２０を接続している。
【０１７２】
図４３Ａおよび図４３Ｂは、患者インタフェース６５００と使用することができるヘッドギア６５１０の実施形態の斜視図を示す。ヘッドギア６５１０は、中部ストラップ６５１２、下部ストラップ６５１１および垂直部材６５１３を含む。下部ストラップ６５１１は、使用者の耳の下方で患者インタフェース６５００から延在し、垂直方向上向きに、使用者の耳の後方に、使用者の耳の上方で前方に延在して、耳ループ６５１７の一部を形成している。中部ストラップ６５１２は、使用者の耳の上でコネクタから延在して、耳ループ６５１７の上部を形成し、接合部において下部ストラップ６５１１と一緒になる。中部ストラップ６５１２は、接合部から使用者の頭部の上にわたって続く。垂直部材６５１３が、耳の前方の部分における下部ストラップ６５１１との接合部から、耳の前方の部分における中部ストラップ６５１２との接合部まで延在して、耳ループ６５１７の残りの部分を形成している。中部ストラップ６５１２は、使用者の頭部の上でのヘッドギア６５１０のフィット性を調整する調整機構を含むことができる。下部ストラップ６５１１は、調整機構を含むことができる。後部６５１５は調整機構を含むことができる。調整機構により、ヘッドギア６５１０が広範囲の頭部サイズに適合するように、ストラップの長さを調整することができる。
【０１７３】
下部ストラップ６５１１および中部ストラップ６５１２は、型内成形プロセスを用いて製造され、使用者の皮膚と接触したときに、中部ストラップ６５１２および下部ストラップ６５１１が快適であるように、柔らかい手触りを有する材料から編むことができるケーシングを含む。同様に、ケーシングは、ヘッドギア６５１０が使用者の皮膚と接触したときに快適であるような厚さおよび層を有することができる。ケーシングの内部は、ヘッドギア６５１０に剛性を与えるようにプラスチック材料を含む。中部ストラップ６５１２および下部ストラップ６５１１は、突破り型内成形技法を用いてヘッドギア接合部６５１４において一体的に形成されている。垂直部材６５１３は、同じ突破り型内成形技法により、中部ストラップ６５１２および下部ストラップ６５１１とその接合部の各々において一体的に形成されている。
【０１７４】
図示する実施形態では、中部ストラップ６５１２および下部ストラップ６５１１は、連続ケーシングを有する連続ストラップである。言い換えれば、ストラップのケーシングは、型内および／または突破りプロセスの前は、途切れていない。連続ケーシングまたはストラップは、射出された材料が露出されるのを可能にする事前に形成された開口部を含むことができる、ということが留意されるべきである。
【０１７５】
ヘッドギア６５１０の後部６５１５は、使用者の頭部の後部の周りを通る。後部６５１５は、突破りプロセスで作製されたプラスチックウェブから形成することができる。別法として、後部６５１５は、ヘッドギア６５１０を多種多様の使用者の頭部輪郭に適合するように構成することができるように、弾性材料から形成することができる。適切な材料としては、Ｂｒｅａｔｈ−ｏ−ｐｒｅｎｅ、スペーサファブリックまたは他の伸縮性かつ高コンプライアンス布地を挙げることができる。縫合、ＲＦ溶着、超音波溶着、接着結合または他の任意の適切な機構を用いて、ヘッドギア６５１０に布を接続することができる。
【０１７６】
以下の実施形態の説明は、簡単のために、それぞれの図に導入される追加の特徴に焦点を当てる。したがって、先に記載した特徴または構成は、毎回は含まれない可能性がある。
【０１７７】
図４４Ａおよび図４４Ｂは、患者インタフェース６５００と使用することができるヘッドギア６５２０の実施形態の斜視図を示す。ヘッドギア６５２０は、下部ストラップ６５２１、中部ストラップ６５２２、および上部、垂直または頂部ストラップ６５２３を含む。下部ストラップ６５２１は、患者インタフェース６５００から、使用者の耳の後方に、使用者の頭部の後部の周りを通り、使用者の他方の耳の下方に、患者インタフェース６５００まで延在する。中部ストラップ６５２２は、患者インタフェース６５００から、使用者の耳の上方に、使用者の頭部の後部の周りを通り、使用者の他方の耳の上方に、患者インタフェース６５００まで延在する。垂直ストラップ６５２３は、使用者の耳の前方の箇所における下部ストラップ６５２１上の接合部から、中部ストラップ６５２２との接合部まで、使用者の頭部の頂部の上に、中部ストラップ６５２２の別の接合部まで、かつ使用者の他方の耳の前方の下部ストラップ６５２１の箇所まで延在する。図示する構成の接合部はすべて、突破り型内成形を用いて形成することができる。
【０１７８】
ヘッドギア６５２０は、使用者の頭部の後部に後部ウェブ部６５２５を含む。後部ウェブ部６５２５は、突破り型内成形によって形成することができる。ウェブ部６５２５は、ヘッドギア６５２０と一体的に形成することができる。別法として、ウェブ部６５２５は、より可撓性のある材料（たとえば、Ｂｒｅａｔｈ−ｏ−ｐｒｅｎｅ）から製造し、任意の適切な手段（縫合、ＲＦ溶着、接着剤等）によって下部ストラップ６５２１および中部ストラップ６５２２に接続することができる。
【０１７９】
図４５Ａおよび図４５Ｂは、患者インタフェース６５００と使用することができるヘッドギア６５３０の実施形態の斜視図を示す。ヘッドギア６５３０は、穴または空隙を含む後部ウェブ部６５３５を含む。これらの穴は、後部６５３５の可撓性および通気性を向上させるように作用する。ウェブ部６５３５は、突破りプロセスによって形成された型内成形プラスチックであり得るか、または、弾性布地（たとえば、Ｂｒｅａｔｈ−ｏ−ｐｒｅｎｅ、スペーサファブリック等）であり得る。
【０１８０】
図４６Ａ〜図４６Ｃは、患者インタフェース６５００と使用することができるヘッドギア６５４０の実施形態の斜視図を示す。ヘッドギア６５４０は、閉ループ構造の形態の連続ケーシングから形成されている下部ストラップ６５４１および中部ストラップ６５４２を含む。下部ストラップ６５４１および中部ストラップ６５４２は、耳ループの一部を形成している。垂直部材６５４４が、耳の前方の位置における下部ストラップ６５４１との接合部から、耳の前方の位置における頂部ストラップ６５４３との接合部まで延在して、耳ループの残りの部分を形成している。頂部ストラップ６５４３が、右側耳ループおよび左側耳ループの上部の間にわたっている。後部ストラップ６５４５が、右側耳ループおよび左側耳ループの後部の間にわたっている。少なくとも１つの実施形態では、頂部ストラップ６５４３および後部ストラップ６５４５のうちの少なくとも一方は、可撓性材料（たとえば、Ｂｒｅａｔｈ−ｏ−ｐｒｅｎｅ）から製造し、任意の適切な手段（縫合、ＲＦ溶着、接着剤等）により下部ストラップ６５４１および中部ストラップ６５４２に接続することができる。少なくとも１つの実施形態では、頂部ストラップ６５４３または後部ストラップ６５４５のいずれかは、突破り型内成形プロセスを用いて製造することができる。少なくとも１つの実施形態では、頂部ストラップ６５４３および後部ストラップ６５４５の両方を、突破り型内成形プロセスを用いて製造することができる。後部ストラップ６５４５は調整機構を含むことができる。
【０１８１】
図４７Ａおよび図４７Ｂは、患者インタフェース６５００と使用することができるヘッドギア６５５０の実施形態の斜視図を示す。ヘッドギア６５５０は、閉ループ構造の形態の連続ケーシングから形成されている下部ストラップ６５５１および中部ストラップ６５５２を含む。下部ストラップ６５５１および中部ストラップ６５５２は、耳ループの一部を形成している。頂部ストラップ６５５３は、突破り型内成形プロセスによって形成され、右側耳ループの上部における接合部から左側耳ループの上部における接合部まで延在している。後部ストラップ第１部６５５５が、手触りの柔らかいキルト布地または材料から形成されている。ヘッドギア６５５０の後部ストラップ第２部６５５７が、右側耳ループおよび左側耳ループの下部後部の間に延在している後部ウェブ部によって形成されている。後部ストラップ第２部６５５７は、手触りの柔らかいキルト布地または材料から製造することができ、または、型内成形プロセスを用いてプラスチック材料から製造することができる。
【０１８２】
図４８Ａおよび図４８Ｂは、患者インタフェース６５００と使用することができるヘッドギア６５６０の実施形態の斜視図を示す。ヘッドギア６５６０は、連続ケーシングから形成されている第１下部ストラップ６５６４を含む。第１下部ストラップ６５６４は、横方向に、使用者の右耳の下方に、使用者の頭部の後部を回って延在して、使用者の頭部の反対側の接合部において中部ストラップ６５６２と一緒になる。第１下部ストラップ６５６４および中部ストラップ６５６２が一緒になる接合部は、概して使用者の左耳の上方に位置する。ヘッドギア６５６０は、２つのケーシングの長さを含むセグメント化ストラップである第２下部ストラップ６５６６を含む。第２下部ストラップ６５６６は、横方向に、使用者の左耳の下方に、使用者の頭部の後部の周囲に回って延在し、後部接合部において第１下部ストラップ６５６４と交差している。第２下部ストラップ６５６６は、後部接合部から、使用者の右耳の概して上方に位置する中部ストラップ６５６２と一緒になる接合部まで続く。第１下部ストラップ６５６４および第２下部ストラップ６５６６のコアは、突破り型内成形を用いて一体的に形成されている。
【０１８３】
中部ストラップ６５６２は、患者インタフェース６５００から使用者の右耳の上に延在して、接合部において第２下部ストラップ６５６６と一緒になる。中部ストラップ６５６２は、接合部から使用者の頭部の上にわたって続き、他方の接合部において第１下部ストラップ６５６４と一緒になる。中部ストラップ６５６２は、患者インタフェース６５００まで続く。
【０１８４】
図４９Ａおよび図４９Ｂは、患者インタフェース６５００と使用することができるヘッドギア６５７０の実施形態の斜視図を示す。中部ストラップ６５７２は、患者インタフェース６５００から、使用者の耳の上方に、使用者の頭部の後部を回って、使用者の他方の耳の上方に、患者インタフェース６５００の反対側まで延在している。頂部ストラップ６５７３は、中部ストラップ６５７２との突破り継手から形成することができる。下部ストラップ６５７１は、患者インタフェース６５００から、使用者の耳の下方に、使用者の頭部の後部を回って、使用者の他方の耳の下方に、患者インタフェース６５００の反対側まで延在している。
【０１８５】
ヘッドギア６５７０は、耳ループ６５７７を含む。耳ループ６５７７は、使用者の後部から、使用者の右耳の上方にかつその正面を回って延在する。耳ループ６５７７は、使用者の右耳の下方に延在し、使用者の頭部の後部を回って続く。耳ループ６５７７は、使用者の左耳の下方にかつその正面を回って延在し、使用者の左耳の上方にかつ後方に続き、使用者の頭部の後部においてそれ自体と一緒になる。
【０１８６】
耳ループ６５７７は、使用者の頭部の後部において、耳ループ６５７７の対向する長さの間にわたる後部ウェブ部６５７５を含む。後部ウェブ部６５７５は、突破り型内成形によって形成することができる。ウェブ部６５７５は、ヘッドギア６５７０と一体的に形成することができる。別法として、ウェブ部６５７５は、より可撓性のある材料（たとえば、Ｂｒｅａｔｈ−ｏ−ｐｒｅｎｅ）から製造して、任意の適切な手段（縫合、ＲＦ溶着、接着剤等）により下部ストラップ６５７１および中部ストラップ６５７２に接続することができる。耳ループ６５７７は、縫合、ＲＦ溶着、超音波溶着または接着結合を用いることにより、ヘッドギア６５７０の中部ストラップ６５７２および下部ストラップ６５７１に接合されている。
【０１８７】
図５０Ａおよび図５０Ｂは、患者インタフェース６５００と使用することができるヘッドギア６５８０の実施形態の斜視図を示す。ヘッドギア６５８０は、患者インタフェース６５００から使用者の耳の下方に延在する下部ストラップ６５８１を含む。中部ストラップ６５８２が、患者インタフェース６５００  ６５００から使用者の耳の上方に延在している。中部ストラップ６５８２および下部ストラップ６５８１は、使用者の頭部の後部において集まり、後部ストラップ６５８５を形成している。中部ストラップ６５８２および下部ストラップ６５８１は、耳ループ第１部６５８７を形成している。頂部ストラップ６５８３が、使用者の耳の上方において突破り継手によって形成されている。耳ループ第２部６５８９が、突破りウェブ部によって形成されている。少なくとも１つの実施形態では、耳ループ第２部６５８９および頂部ストラップ６５８３は、突破りプロセスを用いて一体的に形成し、適切な方法（縫合等）を用いて耳ループ第１部６５８７に接続することができる。
【０１８８】
図５１Ａおよび図５１Ｂは、患者インタフェース６５００と使用することができるヘッドギア６５９０の非限定的な例示的な実施形態を示す。ヘッドギア６５９０は、閉ループ構造の形態の連続ケーシングから形成されている下部ストラップ６５９１および中部ストラップ６５９２を含む。下部ストラップ６５９１および中部ストラップ６５９２は、耳ループの一部を形成している。頂部ストラップ６５９３が、突破り型内成形プロセスによって形成されている。頂部ストラップ６５９３は、右側耳ループの上部におけるフィレット状接合部から使用者の頭部の頂部に向かって延在する第１部６５９４と、左側耳ループの上部におけるフィレット状接合部から使用者の頭部の頂部に向かって同様に延在する第２部６５９５とを含む。
【０１８９】
頂部ストラップ６５９３の第１部６５９４および第２部６５９５は協働して、患者インタフェース６５００の使用者が頂部ストラップ６５９３の長さを調整することができるようにする。頂部ストラップ６５９３の第１部６５９４および第２部６５９５は、押込み嵌め調整機構を含むことにより協働することができる。図５１Ｂに示すように、押込み嵌め調整機構は、頂部ストラップ６５９３の第２部６５９５における多数のまたは複数の突起６５９９と、頂部ストラップ６５９３の第１部６５９４における多数のまたは複数の協働する凹部６５９８とを含むことができる。第２部６５９５の突起６５９９は、要求通りに頂部ストラップ６５９３の長さを固定するように、第１部６５９４における凹部６５９８内に押し込むかまたは圧入することができる。突起６５９９は、突破り型内成形プロセスから形成することができる。頂部ストラップ６５９３の長さを設定するために、第１部６５９４および第２部６５９５を接続するために他の任意の好適な調整機構が実現可能である。
【０１９０】
後部ストラップ６５９７が、突破り型内成形プロセスによって形成され、右側耳ループの後部におけるフィレット状接合部から左側耳ループの後部におけるフィレット状接合部まで延在している。図示する構成では、後部ストラップ６５９７は、ストラップの長さにわたるプラスチックコアを包囲するケーシングを含む。少なくとも１つの構成では、後部ストラップ６５９７は、ヘッドギア６５９０の後部にわたるプラスチック構造を含むことができる。少なくとも１つの実施形態では、後部ストラップ６５９７は、長さ調整機構を含むことができる。
【０１９１】
図５２Ａ〜図５２Ｃは、患者インタフェース６６００と使用することができるヘッドギア６６１０の実施形態の斜視図を示す。ヘッドギア６６１０は、連続ケーシング６６０１から形成されている中部ストラップ６６１１および後部ストラップ６６１３を含む。頂部ストラップ６６１２が、突破り型内成形プロセスによって形成されている。頂部ストラップ６６１２は、中部ストラップ６６１１および／または後部ストラップ６６１３の上部における接合部６６１７から延在し、使用者の頭部の反対側の中部ストラップ６６１１および／または後部ストラップ６６１３の上部における接合部６６１７まで使用者の頭部の上にわたって延在する。少なくとも１つの実施形態では、頂部ストラップ６６１２はフィレット状接合部から形成することができる。
【０１９２】
接合部６６１７と中部ストラップ６６１１および後部ストラップ６６１３の隣接部分とは、支持構造６６１５を含む。図５２Ｂは、支持構造６６１５を例示する、線５２Ｂ−５２Ｂに沿った接合部６６１７および隣接部分の断面図を示す。対照的に、図５２Ｃは、支持構造６６１５のない、一部に沿った線５２Ｃ−５２Ｃに沿った後部ストラップ６６１３の断面図を示す。支持構造６６１５は、中部ストラップ６６１１、後部ストラップ６６１３および接合部６６１７の輪郭をたどって、弓形であり得る。支持構造６６１５は、使用者の耳の前方の第１位置から使用者の耳の後方の第２位置までわたることができる。図示する構成では、支持構造６６１５は、プラスチックまたはポリマー材料６６０２から形成されている。支持構造６６１５は、突破り型内成形プロセスから形成することができる。ヘッドギア６６１０の上に支持構造６６１５をオーバーモールドすることができる。支持構造６６１５は、ヘッドギア６６１０がその形状を維持するのに役立ち、かつ／またはヘッドギア６６１０の構造的完全性に寄与する、構造を提供することができる。
【０１９３】
図５３Ａおよび図５３Ｂは、患者インタフェース６６００と使用することができるヘッドギア６６２０の実施形態の斜視図を示す。ヘッドギア６６２０は、閉ループ構造の形態の連続ケーシングから形成されている下部ストラップ６６２１および中部ストラップ６６２２を含む。下部ストラップ６６２１および中部ストラップ６６２２は、耳ループの一部を形成している。ヘッドギア６６２０は、第１後部６６２４および第２後部６６２５を含む。第２後部６６２５、下部ストラップ６６２１および中部ストラップ６６２２は、突破り型内成形プロセスから一体的に形成されている。下部ストラップ６６２１および中部ストラップ６６２２は、型内成形プラスチックコア６６０２とともにテキスタイル外側ケーシング６６０１を含む。第２後部６６２５は、型内成形プラスチックコア６６０２とともにテキスタイル外側ケーシング６６０１を含む。突破り型内成形プロセスから形成されたウェブ部６６２８が、下部ストラップ６６２１および中部ストラップ６６２２と第２後部６６２５との間に延在している。
【０１９４】
ウェブ部６６２８は、第１後部６６２４のプラスチックコアを形成している。図５３Ｂに示すように、第１後部６６２４は、ウェブの表面のうちの少なくとも１つに、オーバーモールド材料６６０３を含む。図示する構成では、第１後部６６２４は、第１後部６６２４の外面および内面の両方に柔らかい触感のオーバーモールド材料６６０３を含む。このオーバーモールド材料６６０３は、ヘッドギア６６２０の使用者が体験する快適さのレベルを向上させることができる。第１後部６６２４および第２後部６６２５は、使用者の頭部の頂部にわたる頂部ストラップ６６２３と、使用者の頭部の後部にわたる後部ストラップ６６２７とを形成するように構成されている。
【０１９５】
図５４Ａ〜図５４Ｃは、連続ケーシングから形成されている下部ストラップ６６３１および中部ストラップ６６３２を有するヘッドギア６６３０を示す。部分耳ループの上部が、中部ストラップ６６３２によって画定されている。部分耳ループの下部が、下部ストラップ６６３１によって画定されている。ウェブ部６６３７が、連続した中部ストラップ６６３２および下部ストラップ６６３１の後部の間に延在し、部分耳ループの後部を画定している。図５４Ｂは、ウェブ部６６３７の拡大図である。ウェブ部６６３７は、突破り型内成形プロセスによって形成することができる。図５４Ｃは、図５４Ｂの線５４Ｃ−５４Ｃに沿ったウェブ部６６３７の断面図を示す。ウェブ部６６３７は、オーバーモールド材料６６０３を含む。少なくとも１つの実施形態では、オーバーモールド材料６６０３は柔らかい触感の材料であり得る。
【０１９６】
頂部ストラップ６６３３が、突破り型内成形プロセスによって形成されている。頂部ストラップ６６３３は、中部ストラップ６６３２および／または後部ストラップ６６３５の上部における接合部から延在し、使用者の頭部の反対側の中部ストラップ６６３２および／または後部ストラップ６６３５の上部における接合部まで使用者の頭部の上にわたって延在する。少なくとも１つの実施形態では、頂部ストラップ６６３３はフィレット状接合部を含むことができる。頂部ストラップ６６３３は、少なくともその上面、下面または両方に、柔らかい触感のオーバーモールド材料を含むことができる。
【０１９７】
図５５Ａ〜図５５Ｃは、連続下部ストラップ６６４１と組合せの連続中部および組合せ連続中部および垂直ストラップ６６４２とを含むヘッドギア６６４０を示す。ヘッドギア６６４０は、組合せ上部および後部ストラップ６６４３をさらに含む。ウェブ部６６４５が、第１垂直ストラップと第２垂直ストラップとの間に延在している。ウェブ部６６４５が、第１後部ストラップと第２後部ストラップとの間に延在している。図５５Ｂは、図５５Ａの線５５Ｂ−５５Ｂに沿ったウェブ部６６４５の断面を示す。図５５Ｃは、ウェブ部６６４５の拡大図を示す。少なくとも１つの実施形態では、ウェブ部６６４５は、突破り型内成形プロセスから形成することができる。少なくとも１つの実施形態では、ストラップは、編みチューブケーシング６６０１を含むことができる。
【０１９８】
図５６Ａおよび図５６Ｂは、閉ループ構造の形態の連続ケーシングから形成されている下部ストラップ６６５１および中部ストラップ６６５２を有するヘッドギア６６５０を示す。連続中部ストラップ６６５２および下部ストラップ６６５１は、耳ループの実質的な部分を形成している。頂部ストラップ６６５３が、部分耳ループの右側の上部における接合部６６５５から、部分耳ループの左側の上部における接合部まで延在している。同様に、後部ストラップ６６５７が、部分耳ループの右側の後部における接合部から部分耳ループの左側の後部における接合部まで延在している。
【０１９９】
図５６Ｂに示すように、頂部ストラップ６６５３および後部ストラップ６６５７は、中部ストラップ６６５２および下部ストラップ６６５１との接続強度を向上させるように、中部ストラップ６６５２および下部ストラップ６６５１とのそれらの接合部においてフィレット状またはテーパ状であり得る。少なくとも１つの実施形態では、頂部ストラップ６６５３は、露出したプラスチックから形成することができる。少なくとも１つの実施形態では、頂部ストラップ６６５３は、テキスタイル製の外側ケーシングを有する型内成形ストラップから構成することができる。少なくとも１つの実施形態では、後部ストラップ６６５７は、露出したプラスチックから形成することができる。少なくとも１つの実施形態では、後部ストラップ６６５７は、テキスタイル製の外側ケーシングを有する型内成形ストラップから構成することができる。
【０２００】
図５７Ａ〜図５７Ｃは、患者インタフェース６６００と使用することができるヘッドギア６６６０の実施形態の斜視図を示す。ヘッドギア６６６０は、連続ケーシングから形成されている中部ストラップ６６６２を有する。ヘッドギア６６６０は、連続ケーシングから形成されている下部ストラップ６６６１を有する。中部ストラップ６６６２は、使用者の耳の上のマスクアセンブリから延在し、使用者の頭部の後部にわたるように続く。耳ループの上部が、中部ストラップ６６６２によって画定されている。下部ストラップ６６６１は、マスクアセンブリから使用者の耳の下方に延在し、使用者の頭部の後部にわたるように続く。耳ループの下部が、下部ストラップ６６６１によって画定されている。
【０２０１】
ヘッドギア６６６０は、第１垂直部材６６６５および第２垂直部材６６６６を含む。第１垂直部材６６６５は、使用者の耳の前方の下部ストラップ６６６１と中部ストラップ６６６２との間の距離にわたり、耳ループの前方部を形成している。第１垂直部材６６６５は、突破り型内成形技法から形成することができる。第１垂直部材６６６５は露出したプラスチックであり得る。図５７Ｂに示すように、第２垂直部材６６６６は、使用者の耳の後方で下部ストラップ６６６１と中部ストラップ６６６２との間の距離にわたり、耳ループの後方部を形成している。第２垂直部材６６６６は、突破り型内成形技法から形成することができる。第２垂直部材６６６６は露出したプラスチック６６０２であり得る。図５７Ｃは、図５７Ｂの線５７Ｃ−５７Ｃに沿った第２垂直部材６６６６の断面図である。
【０２０２】
頂部ストラップ６６６３が、中部ストラップ６６６２および／または後部ストラップ６６６９の上部における接合部６６６８から延在し、使用者の頭部の反対側の中部ストラップ６６６２および／または後部ストラップ６６６９の上部における接合部６６６８まで使用者の頭部の上にわたって延在する。頂部ストラップ６６６３は、突破り型内成形プロセスから形成することができる。頂部ストラップ６６６３は露出したプラスチックを含むことができる。
【０２０３】
図５８Ａおよび図５８Ｂは、患者インタフェース６６００と使用することができるヘッドギア６６７０の実施形態の斜視図を示す。ヘッドギア６６７０は、連続ケーシングから形成されている中部ストラップ６６７２を有する。ヘッドギア６６７０は、連続ケーシングから形成されている下部ストラップ６６７１を有する。中部ストラップ６６７２は、マスクアセンブリから使用者の耳の上にわたって延在し、使用者の頭部の後部にわたるように続く。部分耳ループの上部が、中部ストラップ６６７２によって画定されている。下部ストラップ６６７１は、マスクアセンブリから使用者の耳の下方に延在し、使用者の頭部の後部にわたるように続く。部分耳ループの下部が、下部ストラップ６６７１によって画定されている。
【０２０４】
ウェブ部６６７７が、連続した中部ストラップ６６７２および下部ストラップ６６７１の後部の間に延在し、部分耳ループの後部を画定している。ウェブ部６６７７は、突破り型内成形プロセスから形成することができる。
【０２０５】
頂部ストラップ６６７３が、突破り型内成形プロセスから形成されている。頂部ストラップ６６７３は、中部ストラップ６６７２および／または後部ストラップ６６７８の上部における接合部から延在し、使用者の頭部の反対側の中部ストラップ６６７２および／または後部ストラップ６６７８の上部における接合部まで使用者の頭部の上にわたって延在する。少なくとも１つの実施形態では、頂部ストラップ６６７３はフィレット状接合部６６７５を含むことができる。頂部ストラップ６６７３は、露出したプラスチックであり得るか、布地ケースを含むことができるか、または、少なくとも１つのオーバーモールド材料を含むことができる。
【０２０６】
図５９Ａ〜図５９Ｃは、連続下部ストラップ６６８１と組合せ連続中部および垂直ストラップ６６８２とを含むヘッドギア６６８０を示す。ヘッドギア６６８０は、組合せ上部および後部ストラップ６６８３をさらに含む。ウェブ部６６８５が、使用者の耳の後部を回って延在する。ウェブ部６６８５は、突破り型内成形プロセスから形成することができる。
【０２０７】
図５９Ｂに図示ように、１本の連続中部および垂直ストラップ６６８２と１本の連続上部および後部ストラップ６６８３とが、不可視の接合箇所を介して接合されている。この接合箇所に沿って、連続中部および垂直ストラップ６６８２のプラスチックコアは、連続上部および後部ストラップ６６８３のプラスチックコア６６０２と一体的に形成されている。少なくとも１つの実施形態では、連続中部および垂直ストラップ６６８２と連続上部および後部ストラップ６６８３とは、共通のテキスタイルケーシング６６０１を含むことができる。少なくとも１つの実施形態では、連続中部および垂直ストラップ６６８２と連続上部および後部ストラップ６６８３とは、少なくとも１つの隣接面を含む２つの別個のテキスタイルケーシングから形成されている。さらに、１本の上部および後部ストラップ６６８３と１本の下部ストラップ６６８１とが、不可視の接合箇所を介して接合されている。
【０２０８】
図６０Ａおよび図６０Ｂは、患者インタフェース６６００と使用することができるヘッドギア６６９０の実施形態の斜視図を示す。ヘッドギア６６９０は、閉ループ構造の形態の連続ケーシングから形成されている下部ストラップ６６９１および中部ストラップ６６９２を含む。連続した中部ストラップ６６９２および下部ストラップ６６９１は、耳ループの実質的な部分を形成している。頂部ストラップ６６９３が、右側部分耳ループの上部における接合部６６９５から、左側部分耳ループの上部における接合部６６９６まで延在している。頂部ストラップ６６９３は、突破り型内成形プロセスから形成することができる。少なくとも１つの実施形態では、頂部ストラップ６６９３は、テキスタイル製の外側ケーシングを有する型内成形ストラップから構成することができる。
【０２０９】
ヘッドギア６６９０は後部ストラップ６６９７を含む。後部ストラップ６６９７は、右側部分耳ループの後部における接合部から左側部分耳ループの後部における接合部まで延在している。後部ストラップ６６９７は、プラスチックコアおよび布地またはテキスタイルケーシングにより型内成形によって形成することができる。後部ストラップ６６９７は、ストラップ６６９７上に刻み込まれる成形テクスチャを有することができ、または、成形プロセス中に決定される輪郭を含むことができる。図６０Ａは、ストラップ６６９７の長さに沿って列で配置された複数の六角形状穴を有するストラップ６６９７を示す。図６０Ｂは、後部ストラップ６６９７の長さに沿って列で配置された六角形状穴の拡大図である。穴は、ストラップ６６９７の厚さを通して突出している。この輪郭により、プラスチックコアにある程度の弾力性または伸縮性を与えることができる。こうした可撓性は、ヘッドギア６６９０が患者の頭部の上で引っ張られるかまたはヘッドギア６６９０の患者の知覚を改善することができるという点で有益であり得る。さらに、ストラップ６６９７の凹凸仕上げにより、ヘッドギア６６９０の審美的外観、およびストラップ６６９７の触覚的魅力もまた向上させることができる。すなわち、ストラップ６６９７は、より剛性にかつより快適に見える可能性がある。穴は、ストラップ６６９７を通して通気性を向上させることができ、それにより使用者の快適さを向上させることができる。
【０２１０】
別法として、後部ストラップ６６９７は、ストラップ６６９７の長さに沿って列で配置された複数の六角形状くぼみを含むことができる。穴は、六角形状に限定されず、種々の形状、サイズ、ストラップ上の位置、幾何学的形態、形状の組合せ等を含むことができる、ということが理解されるべきである。少なくとも１つの構成では、ハニカムパターンのプラスチックコアは、ストラップ６６９７のケーシングの縁までは延在していない。これにより、使用者の快適さを向上させる柔らかい縁が提供される。少なくとも１つの実施形態では、後部ストラップ６６９７は露出したプラスチックであり得る。
【０２１１】
図６１Ａ〜図６１Ｃは、患者インタフェースと使用することができるヘッドギア７１１０の実施形態の斜視図を示す。ヘッドギア７１１０は、下部ストラップ７１１１、中部ストラップ７１１２および垂直または頂部ストラップ７１１３を備える。下部ストラップ７１１１は、連続ケーシングを有する連続ストラップである。中部ストラップ７１１２は、連続ケーシングを有する連続ストラップである。垂直ストラップ７１１３はセグメント化ストラップである。言い換えれば、垂直ストラップ７１１３は、複数のまたはセグメント化されたケーシングから形成されている。
【０２１２】
少なくとも１つの実施形態では、垂直ストラップ７１１３は、連続ケーシングを有する連続ストラップであり得る。垂直ストラップ７１１３は、使用者の頭部の上にわたって延在する際に中部ストラップ７１１２の真下を通過することができる。垂直ストラップ７１１３は、使用者の頭部の上にわたって延在する際、中部ストラップ７１１２の上を通過することができる。垂直ストラップ７１１３は、中部ストラップ７１１２に接着結合することができ、面ファスナ接続システム等の適切な接続機構を介して接続することができ、または、中部ストラップ７１１２から独立することができる。
【０２１３】
図６１Ｂに示すように、中部ストラップ７１１２および下部ストラップ７１１１は、各ストラップの後方部分にわたる不可視の接合箇所を含む。不可視の接合箇所に沿って、中部ストラップ７１１２および下部ストラップ７１１１は、共通のプラスチックコア７００２を含むことができる。図６１Ｃは、線６１Ｃ−６１Ｃに沿った図６１Ｂの断面図を示す。中部ストラップ７１１２および下部ストラップ７１１１は、ストラップの共通のプラスチックコア７００２が不可視であるように構成される、独立したテキスタイルまたは布地のケーシング７００１を有することができる。
【０２１４】
図６２Ａおよび図６２Ｂは、患者インタフェース７１００と使用することができるヘッドギア７１２０の実施形態の斜視図を示す。ヘッドギア７１２０は、連続ケーシングから形成されている中部ストラップ７１２２を有する。ヘッドギア７１２０は、連続ケーシングから形成されている下部ストラップ７１２１を有する。中部ストラップ７１２２は、マスクアセンブリから使用者の耳の上にわたって延在し、使用者の頭部の後部にわたるように続く。耳ループの上部が、中部ストラップ７１２２によって画定されている。下部ストラップ７１２１は、マスクアセンブリから使用者の耳の下方に延在し、使用者の頭部の後部にわたるように続く。耳ループの下部は、下部ストラップ７１２１によって画定されている。
【０２１５】
頂部ストラップ７１２３が、中部ストラップ７１２２および／または後部ストラップ７１２８の上部における接合部から延在し、使用者の頭部の反対側の中部ストラップ７１２２および／または後部ストラップ７１２８の上部における接合部まで、使用者の頭部の上にわたって延在している。頂部ストラップ７１２３は、突破り型内成形プロセスから形成されている。頂部ストラップ７１２３は、フィレット状接合部を含むことができる。頂部ストラップ７１２３は、露出したプラスチックであり得るか、布地ケースを含むことができるか、または、少なくとも１つのオーバーモールド材料を含むことができる。
【０２１６】
ヘッドギア７１２０は、垂直部材７１２５を含む。垂直部材７１２５は、使用者の耳の前方で、下部ストラップ７１２１と中部ストラップ７１２２との間の距離にわたり、耳ループの一部を形成する。垂直部材７１２５は、柔らかい触感の材料、たとえば布地またはフォームから形成されている。図示する構成では、垂直部材７１２５は複数の穴を含む。複数の穴は、垂直部材７１２５の弾性および／または可撓性を向上させ、使用者の知覚する快適さを向上させることができる。
【０２１７】
ウェブ部７１２７が、連続した中部ストラップ７１２２および下部ストラップ７１２１の後部の間に延在し、耳ループの後部を画定している。ウェブ部７１２７は、柔らかい触感の材料、たとえば布地またはフォームから作製することができる。図示する構成では、ウェブ部７１２７は複数の穴を含む。複数の穴は、ウェブ部７１２７の弾性および／または可撓性を向上させ、使用者の知覚する快適さを向上させることができる。
【０２１８】
少なくとも１つの実施形態では、垂直部材７１２５はキルト布地から形成することができる。少なくとも１つの実施形態では、垂直部材７１２５は、複数の穴を含むように、突破り型内成形プロセスから形成することができる。少なくとも１つの実施形態では、垂直部材７１２５は、複数の穴の代わりに複数のくぼみを含むことができる。少なくとも１つの実施形態では、図６２Ｂに示すように、ウェブ部７１２７はキルト布地７１２９から形成することができる。少なくとも１つの実施形態では、ウェブ部７１２７は、複数の穴を含むように、突破り型内成形プロセスから形成することができる。少なくとも１つの実施形態では、ウェブ部７１２７は複数の穴の代わりに複数のくぼみを含むことができる。
【０２１９】
図６３Ａおよび図６３Ｂは、使用者の皮膚または頭髪と直接接触する、たとえば、使用者の首の後部における、ヘッドギア７１３０の部分に取り付けられるように設けられるキルト布地または材料７１３２を有する、ヘッドギア７１３０の実施形態を示す。キルト材料７１３２は、手触りが柔らかく、クッション詰め物を提供し、それにより、使用者が寝る時にヘッドギア７１３０を装着したくなるように、ヘッドギア７１３０の快適さが向上する。キルト材料７１３２は、ヘッドギア７１３０の型内成形ストラップまたはウェブ部に縫合するかまたは溶着することができる。開示する構成は、（図６３Ｂに図示する）キルト材料に限定されず、限定されないが、（図６３Ｃに図示する）柔らかい、詰め物された、通気性の、吸湿性の、かつ滑りにくい／粘着性の手触り等、種々の材料特性を有する布地およびテキスタイルを含むことができる。
【０２２０】
図６４Ａおよび図６４Ｂは、ヘッドギア７１４０の実施形態が、使用者の皮膚または頭髪と直接接触するヘッドギア７１４０の部分に取り付けられるように設けられる布地またはテキスタイル材料を有することを示す。ヘッドギア７１４０は、クッション詰め物を提供しかつヘッドギア７１４０の快適さを向上させる材料から形成されている、垂直部材７１４２および後部ストラップ７１４４を含む。材料は、ヘッドギア７１４０の型内成形ストラップに縫合するかまたは溶着することができる。開示する構成は、布地またはテキスタイル材料に限定されず、（図６４Ｂに図示する）キルト材料を含むことができる。材料は、限定されないが、柔らかい、詰め物された、通気性の、吸湿性の、かつ滑りにくい／粘着性の手触り等、種々の材料特性を有することができる。
【０２２１】
図６５は、開示するヘッドギアの実施形態と使用することができる編組グリップ３３００の実施形態を示す。編組グリップ３３００は、突破り型内成形プロセスからプラスチックにより形成することができる。
【０２２２】
型内ストラップコネクタ
図６６Ａ〜図７３は、型内成形ヘッドギア実施形態において２つのストラップの間の継手の上に配置されたコネクタ３４００のさまざまな図を示す。コネクタ３４００は、型内成形ヘッドギアにおいて２つ以上の隣接するストラップの間の継手または接合部３５００において使用される。より具体的には、コネクタ３４００は、突破り型内成形を用いて２つ以上のストラップを接合するために使用される。コネクタ３４００は、２つ以上のストラップの間の任意のタイプの接合部３５００で使用することができ、本明細書に例示する接合部３５００は、単に一例である。コネクタ３４００は、ストラップの間により整然としかつより強力な接続を提供し、ストラップを成形金型内で位置合せすることができる容易さも向上させる。
【０２２３】
図６６Ａおよび図６７に示すように、第１ストラップ３７１０が第２ストラップ３７２０に、第１ストラップ３７１０の端部と第２ストラップの中心または中間部分（すなわち、第２ストラップ３７２０の端部の間の部分）との間のＴ字型接合部において接合されている。コネクタ３４００は、接合部３５００において第１ストラップ３７１０および第２ストラップ３７２０の上に位置決めされている。すなわち、接合部３５００は、コネクタ３４００内に、コネクタ３４００が接合部３５００を包囲するように位置決めされている。第１ストラップ３７１０および第２ストラップ３７２０は、プラスチックコア材料３８００が（図６６Ａの第２ストラップ３７２０の端部に図示する）射出点３６００において第２ストラップ３７２０内に射出される突破り型内成形プロセスを介して接合されている。プラスチックコア材料３８００は、第２ストラップ３７２０を充填しかつそこを通って移動する。プラスチックコア材料３８００は、接合部３５００に達すると、図６６Ａの接合部における赤い矢印によって示すように、第２ストラップ３７２０のテキスタイルケーシングの側壁を突き破り、第１ストラップ３７１０のテキスタイルケーシングのキャビティのすべてまたは一部を充填する。いくつかの構成では、コネクタ３４００は、空洞３４２０を有し、それもまた、第１ストラップ３７１０および第２ストラップ３７２０のテキスタイルケーシングの側壁を突き破るプラスチックコア材料３８００で充填される。プラスチックコア材料３８００はまた、プラスチックコア材料３８００およびコネクタ３４００が一体的に形成されるように、コネクタ３４００と結合することができる。いくつかの構成では、プラスチックコア材料３８００およびコネクタ３４００は、同じかまたは同様の材料から形成することができる。
【０２２４】
コネクタ３４００は、接合部３５００が整然とした審美的外観を有するように、コネクタ３４００内にストラップの端部のいかなる余った糸も収容する。すなわち、第１ストラップ３７１０および／または第２ストラップ３７２０の余った端部は、コネクタ３４００内に収容され、それにより、ストラップ３７１０、３７２０のほつれがさらに防止される。さらに、コネクタ３４００は、接合部３５００がより整然とした審美的外観を有するように余った端部が現れるのを隠す不透明な色を有することができる。さらに、コネクタ３４００は、接合部３５００の完成した形状を画定し、接合部３５００が整然とした審美的外観を有するように、第１ストラップ３７１０端部および第２ストラップ３７２０端部から出るいかなる突破りプラスチック咬み出しも収容する。
【０２２５】
コネクタ３４００は、第１ストラップ３７１０および第２ストラップ３７２０を接合する当接縁３４１７も提供し、それは、第１テキスタイルストラップ３７１０の端部の幅（すなわち、コネクタ３４００なしの接合部３５００の場合の幅）より広く、それにより、第１ストラップ３７１０と第２ストラップ３７２０との間により広い接続領域が提供される。すなわち、コネクタ３４００は、第１ストラップ３７１０の端部と第２ストラップ３７２０のケーシングとの間により幅の広いフィレット状接続部３５００を提供し、それにより、より広い接続領域が提供され、それによって接合部３５００の強度が増大する。図６７に図示するように、第１ストラップ３７１０の端部は、ストラップケーシングのチューブの内側にプラスチック材料を有するのではなく、プラスチック材料によって充填されかつ包囲される。したがって、接合部３５００の強度が増大する。
【０２２６】
図６８Ａ〜図６８Ｄは、コネクタ３４００のさまざまな図を示す。図示するように、コネクタ３４００は、ストラップ包囲端部３４１８と当接端部３４１６との間に空洞３４２０を有する管状シースを備える。コネクタ３４００は、第１半体３４１２および第２半体３４１４からなる本体３４１０を有し、それらは、それらの対向する縁に沿って接合されている。図示する構成では、第１半体３４１２および第２半体３４１４は同じである。他の構成では、第１半体３４１２および第２半体３４１４は同じではなく、かつ／または非対称である。第１半体３４１２および第２半体３４１４の開放端部は、コネクタ３４００の当接端部３４１６およびストラップ包囲端部３４１８を形成する。ストラップ包囲端部３４１８は第１ストラップ３７１０を受け入れるかまたは包囲し、当接端部３４１６は、第２ストラップ３７２０を受け入れるかまたはそれに当接する。図６８Ｂに示すように、コネクタ３４００は、一端が他端より幅が広いように、幾分か台形状輪郭を有する。コネクタ３４００の幅が広い方の端部は当接端部３４１６を形成し、幅の狭い方の端部はストラップ包囲端部３４１８を形成する。いくつかの構成では、当接端部３４１６は、ストラップ包囲端部３４１８の幅の２倍である幅を有することができる。
【０２２７】
ストラップ包囲端部３４１８は、第１ストラップ３７１０のテキスタイルストラップケーシングの外面上にかつそれに接してぴったりと嵌まるように構成されている楕円形開口部を画定する。当接端部３４１６は、（図６８Ａに図示するように）下から見た場合、丸い端部を有する実質的に矩形の開口部を形成している。当接端部３４１６は、第２ストラップ３７２０の形状および曲率に一致するように湾曲している。当接端部３４１６の縁は、第２ストラップ３７２０の外縁の上に張り出しかつそれを包囲するように構成されている（図６８Ｂにおける当接縁３４１７と破線との間の領域は第２ストラップ３７２０の上に張り出す）。当接端部３４１６の縁はまた、第２ストラップ３７２０のテキスタイルストラップケーシングの外面の上に位置決めされるように構成されている。いくつかの構成では、張り出している縁３４１９は、コネクタ３４００が第２ストラップ３７２０を通るプラスチックコア材料３８００の流れを制限しないように、第２ストラップ３７２０のテキスタイルストラップケーシングと遊嵌を形成することができる。
【０２２８】
第１ストラップ３７１０および第２ストラップ３７２０を型内成形するとき、コネクタ３４００は、第１ストラップ３７１０の端部が、第１ストラップ３７１０と第２ストラップ３７２０との間に間隙を有するのではなく、第２ストラップ３７２０の縁に位置合せされかつそれに当接するのを可能にする。すなわち、コネクタ３４００によって提供される第１ストラップ３７１０とのぴったりとした嵌合は、第１ストラップ３７１０を、プラスチックコア材料３８００の射出の前に成形金型内にある間に位置合せして保持する。コネクタ３４００は、ストラップ３７１０、３７２０とは異なり、半剛性であってその形状を保持し、それにより、コネクタ３４００を成形金型内に確実に配置することができる。
【０２２９】
ストラップ３７１０、３７２０およびコネクタ３４００の組立中、コネクタ３４００は、第１ストラップ３７１０の管状テキスタイルケーシングの上に位置決めされる。すなわち、図６９に図示するように、コネクタ３４００は、第１ストラップ３７１０の端部がコネクタ３４００の内側に位置決めされるように第１ストラップ３７１０の上で摺動する。そして、コネクタ３４００の当接縁３４１７は、第２ストラップ３７２０のテキスタイルケーシングの縁に当接する。図７０に図示するように、第１ストラップ３７１０の端部は、コネクタ３４００の空洞３４２０内で第２ストラップ３７２０の縁に隣接して位置決めされる。空洞３４２０は、第１半体３４１２、第２半体３４１４、ストラップ包囲端部３４１８および当接端部３４１６によって画定される中空領域である。コネクタ３４００は、第１ストラップ３７１０に固定されたままであるように、第１ストラップ３７１０の上にぴったりと嵌まる。
【０２３０】
組み立てられたストラップ３７１０、３７２０およびコネクタ３４００は、射出成型管型内で位置決めされかつ位置合せされる。プラスチックコア材料３８００が、第２テキスタイルストラップ３７２０の端部において射出点３６００内に射出され、第２ストラップ３７２０の側壁を突き破って第１ストラップ３７１０を充填する（図６６Ａの矢印を参照されたい）。したがって、図７１および図７２に図示するように、コネクタ３４００の空洞３４２０もまた、第２ストラップ３７２０の側壁を突き破るプラスチックコア材料３８００で充填される。ストラップ３７１０、３７２０およびコネクタ３４００の空洞３４２０内のプラスチックコア材料３８００は、単体構造を形成する。いくつかの構成では、コネクタ３４００、ストラップ３７１０、３７２０およびプラスチックコア材料３８００が一体化構造として形成されるように、プラスチックコア材料３８００はコネクタ３４００と結合する。
【０２３１】
当業者であれば、コネクタ３４００およびストラップ構成が、Ｔ接合部に限定されず、種々の角度で接合部３５００を有するストラップ３７１０、３７２０を接続することができる、ということが理解されるはずである。同様に、コネクタ３４００は、３つ以上のストラップを合せて接続するような形状でありかつそのように構成され得る。たとえば、コネクタ３４００は、複数のストラップ包囲端部３４１８または当接端部３４１６を有することができる。
【０２３２】
代替構成では、コネクタ３４００（実質的に、上述した実施形態と同じ）は、図７３に図示するように、管状テキスタイルストラップケーシングの端部をオーバーモールドすることにより、第１ストラップ３７１０と一体的に形成される。コネクタ３４００の当接端部３４１６は、第２ストラップ３７２０と位置合されかつ当接することができるように、テキスタイルストラップの端部から延在する。プラスチックコア材料３８００が第２ストラップ３７２０を通って流れて突き破って第１ストラップ３７１０内に入ることができるように、コネクタ３４００の空洞３４２０は中空のままである。こうした構成により、第１ストラップ３７１０と第２ストラップ３７２０との間の継手の強度は、コネクタ３４００のストラップ包囲端部３４１８と第１ストラップ３７１０との間の永久結合を提供することによって増大する。
【０２３３】
いくつかの実施形態では、第１ストラップ３７１０および第２ストラップ３７２０のうちの少なくとも一方は、編組テキスタイルケーシングを備えることができる。編組テキスタイルケーシングは、少なくとも２つの異なる色または色調で提供される複数のヤーンを備える。異なる色のヤーンの編組は、テキスタイルケーシング内にカラーパッチのランダムなまたはセミランダムなパターンを形成し、その結果、斑点のある外観を有するテキスタイルケーシングがもたらされる。斑点のある外観は、場合により、柔らかい縁（図２Ｂにおける２２２）とコア材料との間の遷移等、プラスチックコアによって形成される何らかの物理的特徴をカムフラージュするかまたは隠し、その特徴（およびヘッドギア）をより柔らかく見えるようにすることができる。
【０２３４】
別の代替構成では、コネクタ３４００を、第２ストラップ３７２０の縁の上に張り出さないように構成することができる。代わりに、コネクタ３４００は、図７３に図示するように、第２ストラップ３７２０の縁に直接当接するように構成される。したがって、コネクタ３４００は、突破りプラスチックコア材料３８００に実質的にまたは完全に結合される。すなわち、上述したコネクタ構成と比較して、先のコネクタ構成の張り出している部分は、プラスチックコア材料３８００と結合されない。
【０２３５】
型内コネクタ
図７４Ａ〜図７８Ｂは、図１Ａに示す二又ヘッドギア１００を形成する型内成形ストラップ、接合部および継手のさまざまな図を示す。二又ヘッドギア１００は、頂部ストラップ１４０、底部ストラップ１５０およびマスクコネクタ１８０を備える。いくつかの構成では、二又ヘッドギア１００は、頂部ストラップ１４０を底部ストラップ１５０と接合することによって組み立てられる。すなわち、頂部ストラップ１４０を底部ストラップ１５０と接合する前に、頂部ストラップ１４０および底部ストラップ１５０の各々は、型内成形を介して別個に形成される。すなわち、いくつかの構成では、頂部ストラップ１４０および底部ストラップ１５０は、成形金型内に配置され、オーバーモールドによって接合される。頂部ストラップ１４０および底部ストラップ１５０は、形成されると、接合されて二又ヘッドギア１００を形成する。しかしながら、いくつかの構成では、頂部ストラップ１４０および底部ストラップ１５０は、成形金型内に配置されている間、かつ／またはオーバーモールドプロセス中、互いに位置がずれるように移動する可能性がある。図７４Ａ〜図７８Ｂは、製造および成形プロセス中に接続されかつ位置合せされた状態で頂部ストラップ１４０および底部ストラップ１５０を維持するさまざまなストラップコネクタを示す。
【０２３６】
図７４Ａは、組立て前の頂部ストラップ１４０を示し、図７４Ｂは、組立て前の底部ストラップ１５０を示す。頂部ストラップ１４０および底部ストラップ１５０は、型内成形により、プラスチックコア材料２１０を編または編組管状ケーシング２２０内に射出することにより、別個に形成される。図７４Ａに示すように、頂部ストラップ１４０は、各端部に形成されたオスコネクタ部４００２を有する実質的に直線状の連続ストラップを含む。オスコネクタ部４００２は、プラスチックコア材料２１０と一体的に形成されかつ単体である。ケーシング２２０は、その長さを通して連続している。頂部ストラップ１４０の射出点は、その端部の一方または両方に位置することができる。すなわち、一方または両方のオスコネクタは、プラスチックコア材料２１０をケーシング２２０内に射出する射出点の位置であり得る。
【０２３７】
底部ストラップ１５０は、第１編組ケーシング部２２０Ａおよび第２編組ケーシング部２２０Ｂ内に射出されるプラスチックコア材料２１０を含む。ケーシング部２２０Ａ、２２０Ｂは、頂部ストラップ１４０および底部ストラップ１５０の左側部分および右側部分を形成することができる。ケーシング部２２０Ａ、２２０Ｂは、第１自由端部４０２０および第２自由端部４０２２を有する。ケーシング部２２０Ａ、２２０Ｂが、第１自由端部４０２０からプラスチックコア材料２１０で充填されるように、第１自由端部４０２０の間に中心射出点４０１０が位置決めされている。ケーシング部２２０Ａ、２２０Ｂを充填するプラスチックコア材料２１０は、プラスチックコア材料２１０の長さを通して一体的に形成されかつ単体である。すなわち、プラスチックコア材料２１０は、ケーシング部２２０Ａ、２２０Ｂを接合して、ケーシング部２２０Ａ、２２０Ｂを接続して底部ストラップ１５０を形成する。
【０２３８】
いくつかの構成では、ケーシング部２２０Ａ、２２０Ｂは、プラスチックコア材料２１０で部分的に充填される。すなわち、底部ストラップ１５０が中空自由端部４０３０を有するように、ケーシング部２２０Ａ、２２０Ｂの第２端部４０２２は中空であり得る。底部ストラップ１５０の中空自由端部４０３０は、マスクコネクタ１８０の一部を収容することができる（図１を参照）。すなわち、たとえば、フィラメントコア１５５０（図１５Ａ〜図１５Ｄを参照）等のマスクコネクタ１８０の一部を、中空自由端部４０３０のケーシング部２２０Ａ、２２０Ｂ内に収容することができる。いくつかの構成では、ケーシング部２２０Ａ、２２０Ｂは、底部ストラップ１５０の長さを通してプラスチックコア材料２１０で充填することができる。すなわち、プラスチックコア材料２１０は、ケーシング部２２０Ａ、２２０Ｂの第１自由端部４０２０と第２自由端部４０２２との間に延在することができる。いくつかの構成では、底部ストラップ１５０の第２自由端部４０２２の上に、マスクコネクタ１８０の一部を形成することができる。
【０２３９】
底部ストラップ１５０は、ケーシング部２２０Ａ、２２０Ｂの第１自由端部４０２０と第２自由端部４０２２との間に配置されたメスコネクタ４００４を含む。メスコネクタ４００４は、頂部ストラップ１４０および底部ストラップ１５０が接続されるように、オスコネクタ４００２と噛み合うように構成されている。メスコネクタ４００４は、ケーシング部２２０Ａ、２２０Ｂの壁を突き破ったプラスチックコア材料２１０から形成される。すなわち、メスコネクタ４００４は、突破り型内成形プロセスによって形成される。メスコネクタ４００４は、ケーシング部２２０Ａ、２２０Ｂ内でプラスチックコア２１０と一体的に形成されかつ単体である。メスコネクタ４００４は、使用されるときに使用者の耳の実質的に上方に位置決めされる底部ストラップ１５０の湾曲の頂点に位置決めされている。いくつかの構成では、メスコネクタ４００４は、底部ストラップ１５０の実質的に直線状の部分の上に形成することができる。
【０２４０】
図７５Ａおよび図７５Ｂは、頂部ストラップ１４０のオスコネクタ４００２の図である。図示するように、オスコネクタ４００２は、ケーシング２２０の端部を越えて外向きに延在しかつ突出する。オスコネクタ４００２は、ケーシング２２０の端部４０２４を越えて配置されるプラスチックコア材料２１０から形成される。オスコネクタ４００２は、メスコネクタ４００４のスロット４０４２と噛み合うように構成される突起４０４０を備える。突起４０４０は、オスコネクタ４００２がメスコネクタ４００４とパズル片のように嵌合し係合するように、スロット４０４２の形状に対応する形状を有する。
【０２４１】
突起４０４０は、頭部４０５０および脚部４０５２を備える。脚部４０５２は、頭部４０５０とケーシング２２０の端部４０２４との間に配置されるプラスチックコア材料２１０の延長部である。頭部４０５０は、メスコネクタ４００４のスロット４０４２と噛み合う逆矢じり形状を有するものとして示す。スロット４０４２は、頭部４０５０の逆矢じり形状に対応しかつそれと噛み合う形状を有する。頭部４０５０は、逆矢じり形状に限定されず、任意の噛み合い形状を使用することができる。
【０２４２】
図７５Ｂは、頂部ストラップ１４０の側面図である。図示するように、頭部４０５０は厚さＴ1を有し、脚部４０５２は厚さＴ2を有する。頭部４０５０の厚さＴ1は、脚部４０５２の厚さＴ2より大きい。Ｔ1とＴ2との間の不一致により、頂部ストラップ１４０を底部ストラップに接合するとき、オーバーモールドプラスチックが、オスコネクタ４００２の頭部４０５０の周囲に流れることができる。いくつかの構成では、厚さＴ2の方が薄いことにより、頭部４０５０をオーバーモールドプラスチック材料で包囲することができる。
【０２４３】
図７６Ａ〜図７６Ｃは、頂部ストラップ１５０のメスコネクタ４００４のさまざまな図である。メスコネクタ４００４は、ケーシング部２２０Ａ、２２０Ｂの表面を越えて半径方向外向きに延在しかつ突出する三角形状を有する。メスコネクタ４００４は、突破り型内成形プロセス中にケーシング部２２０Ａ、２２０Ｂを突き破ったプラスチックコア材料２１０から形成される。メスコネクタ４００４は、スロット４０４２と形成されるタブの形状の突起４０４６を備える。図７６Ｃに図示するように、突起４０４６は、中心領域４０４４と、中心領域４０４４から外向きに延在する周辺領域４０４８とを有する。中心領域４０４４は、周辺領域４０４８の厚さＴ4より大きい厚さＴ3を有する。中心領域の厚さＴ3の方が大きいことにより、頂部ストラップ１４０および底部ストラップ１５０を接合するときにオーバーモールドプラスチックが突起４０４６の周囲を流れるのを可能にしながら、突起４０４６の強度が増大する。中心領域４０４４の厚さＴ3は、オスコネクタ４００２の頭部４０５０の厚さＴ1と等しくすることができる。
【０２４４】
スロット４０４２は、中心領域４０４４および周辺領域４０４８の両方の中に形成されかつそれら両方を通って延在する。スロット４０４２は、頭部４０５０の逆矢じり形状と一致しかつ噛み合う形状を有する。スロット４０４２は、頭部４０５０がスロット４０４２内に挿入されかつスロット４０４２によって受け入れられるように、ケーシング部２２０Ａ、２２０Ｂから離れる方向に開放している。スロット４０４２は、周辺領域４０４８の半径方向最外部分において中心に配置されている。スロット４０４２は、突破り型内成形プロセスを介してメスコネクタ４００４を形成するときに、メスコネクタ４００４内に形成しかつ成形することができる。他の構成では、たとえば、切断プロセスを介して、プラスチックコア材料２１０をメスコネクタ４００４から除去して、スロット４０４２を形成することができる。
【０２４５】
スロット４０４２は、頂部ストラップ１４０および底部ストラップ１５０を接合してオーバーモールドして、それらの間に永久継手を形成することができるように、オスコネクタ４００２の少なくとも頭部４０５０を受け入れるように構成されている。すなわち、頂部ストラップ１４０および底部ストラップ１５０は、オーバーモールド金型内に装填され、オスコネクタ４００２およびメスコネクタ４００４が接続され、頂部ストラップ１４０および底部ストラップ１５０が正しく位置合せされるように、頭部４０５０はスロット４０５２内に挿入される。位置合せされると、オーバーモールド金型は閉じられ、オーバーモールドプラスチック材料がオーバーモールド金型内に射出されて、オスコネクタ４００２およびメスコネクタ４００４の上に永久的なオーバーモールド継手が形成される。オスコネクタ４００２およびメスコネクタ４００４をオーバーモールドする前にストラップ１４０、１５０を接続し位置合せすることにより、ストラップ位置合せ精度が向上し、オーバーモールド中にストラップ１４０、１５０が移動する可能性が低減し、したがって、製造プロセスの効率が向上する。
【０２４６】
図７７Ａは、頭部４０５０をスロット４０４２内に挿入する前にオスコネクタ４００２がメスコネクタ４００４と位置合せされる状態を示す。図７７Ｂは、オスコネクタ４００２およびメスコネクタ４００４が接続されるように、頭部４０５０がスロット４０４２内に挿入されかつスロット４０４２によって受け入れられる状態を示す。図７７Ｃは、オスコネクタ４００２およびメスコネクタ４００４の比較厚さを示す。オスコネクタ４００２の頭部４０５０の増大した厚さＴ1とメスコネクタ４００４の中心領域４０４４の増大した厚さＴ3とは、それぞれ、整列し、上面４０６０および下面４０６２を形成する。上面４０６０および下面４０６２は、オーバーモールド金型の金型キャビティの対向する内面と当接するように構成されている。これは、オーバーモールド金型内で頂部ストラップ１４０および底部ストラップ１５０を位置合せするのに役立つ。上面４０６０および下面４０６２は、平坦な平面として示すが、それは限定するものではない。したがって、金型の対向する面は、上面４０６０および下面４０６２と係合する対応する形状を有する。
【０２４７】
いくつかの構成では、頭部４０５０およびスロット４０５２は、それらが係合するときにそれらの間にある量の隙間が存在するような、サイズでありかつ形状であり得る。オスコネクタとメスコネクタとの間に隙間のない密な接続嵌合により、オーバーモールドプラスチック材料がコネクタの間を流れる空間がないことになる可能性がある。これにより、オーバーモールド接続部が、オーバーモールド継手内の間隙または空隙によってもたらされる弱いゾーンを有することになり、それにより、ヘッドギアの耐久性が低下する可能性がある。図７８Ａおよび図７８Ｂは、オスコネクタ４００２およびメスコネクタ４００４が接続状態にあるときの頭部４０５０とスロット４０５２との間の隙間４０６４を示す。図７８Ｂにおける隙間４０６４は、図７８Ａにおける隙間４０６４より大きい。図７８Ａでは、オスコネクタ４００２とメスコネクタ４００４との間の接続が、パズル片と同様の密な嵌合を有するように、隙間４０６４は小さい。図７８Ｂでは、隙間４０６４はより大きく、それにより、オーバーモールド金型内の頂部ストラップ１４０および底部ストラップ１５０のより遊びのある嵌合および全体的な位置合せが可能になる。隙間４０６４が大きいほど、オーバーモールドプラスチックがコネクタ１４０、１５０の間を流れて、頑強な継手を提供することができる。図７８Ｂでは、隙間４０６４は、好ましくは約１．０ｍｍである。いくつかの構成では、隙間４０６４は０．１ｍｍ〜１．０ｍｍである。
【０２４８】
図７９Ａは、オーバーモールド金型部４０７４内の金型キャビティ４０７６の対向する内面に配置された位置合せ位置決めピン４０７２を受け入れるように構成された、オスコネクタ４００２の頭部４０５０に形成された位置合せ凹部４０７０を示す。図７９Ｂは、金型キャビティ４０７６の表面から突出する位置決めピン４０７２を備えた金型キャビティ４０７６を有するオーバーモールド金型部４０７４を示す。位置決めピン４０７２は、頂部ストラップ１４０および底部ストラップ１５０の位置決め中に、かつオーバーモールドプロセス中に、オスコネクタ４００２の頭部４０５０が金型キャビティ４０７６内の適所で位置合せされかつ維持されるように、凹部４０７０内に挿入されかつ凹部４０７０によって受け入れられるように構成されている。位置決めピン４０７２は、金型キャビティ４０７６内での頭部４０５０の移動を制限することができる。位置決めピン４０７２はまた、オーバーモールドプロセスの前にまたはその間に、オスコネクタ４００２がメスコネクタ４００４からはずれるのを阻止しまたは防止することができる。いくつかの構成では、位置決めピン４０７２は、オスコネクタ４００２とメスコネクタ４００４との間の隙間４０６４が維持されるように、頭部４０５０を適所に保持することができる。
【０２４９】
いくつかの実施形態では、凹部４０７０および位置決めピン４０７２は、対応する形状、サイズおよび幾何学的形態を有することができる。凹部４０７０は、頭部４０５０の内部の角に形成された三角形凹部として示すが、それに限定されない。位置決めピン４０７２は、円筒状ポスト形状として示すが、それに限定されない。三角形凹部４０７０は、図７９Ａにおいて破線の円によって示すように、三角形凹部の頂点のうちの１つにおいて位置決めピン４０７２を受け入れるように構成されている。位置決めピン４０７２は、円筒状側面を有し、それは、頭部４０５０の側面と当接して金型キャビティ４０７６内でオスコネクタ４００２の頭部４０５０を位置合せするように構成されている。
【０２５０】
図８０Ａ〜図８０Ｃは、オーバーモールドプロセスの後の頂部ストラップ１４０および底部ストラップ１５０を示す。図示するように、頂部ストラップ１４０および底部ストラップ１５０が永久的に結合されるように、オーバーモールド継手４００６がオスコネクタ４００２およびメスコネクタ４００４の上で成形されている。いくつかの構成では、オーバーモールド継手４００６は、頂部ストラップ１４０および底部ストラップ１５０の内部コアならびにオスコネクタ４００２およびメスコネクタ４００４を形成するために使用されるものと同じプラスチックコア材料２１０から形成することができる。他の構成では、オーバーモールド継手４００６は、エラストマー等の異なる材料から形成することができる。
【０２５１】
図８０Ａおよび図８０Ｂに図示するように、オーバーモールド継手４００６は、頂部ストラップ１４０の縁の上にかつ頂部ストラップ１４０の表面の上に延在する上縁４０５６を有する。すなわち、オーバーモールド継手４００６は、頂部ストラップ１４０のケーシング２２０にオーバーラップし、かつそれに結合されている。同様に、オーバーモールド継手４００６は、底部ストラップ１５０の縁の上にかつ底部ストラップ１５０の表面の上に延在する底縁４０５８を有する。すなわち、オーバーモールド継手４００６は、底部ストラップ１５０のケーシング２２０にオーバーラップし、かつそれに結合されている。オーバーモールド継手４００６を頂部ストラップ１４０および底部ストラップ１５０に結合することにより、オーバーモールド継手４００６と頂部ストラップ１４０および底部ストラップ１５０との間の接続領域が増大し、それにより、オーバーモールド継手４００６の強度が増大する。さらに、ケーシング２２０の端部がオーバーモールド継手４００６内に封入されるように、ケーシング２２０の端部を越えてオーバーモールド継手４００６を延在させることにより、完成したヘッドギアの耐久性が向上し概観が改善される。すなわち、ケーシングの余った糸端部が、オーバーモールド継手４００６内に封入されかつ結合される。
【０２５２】
図８０Ｃに図示するように、オーバーモールド継手４００６は、実質的に、頂部ストラップ１４０および底部ストラップ１５０の厚さに等しく、オスコネクタ４００２およびメスコネクタ４００４の厚さにも等しい厚さＴを有する。すなわち、オーバーモールド継手４００６の厚さＴは、頭部４０５０の厚さＴ1および中心領域４０４４の厚さＴ3に等しい。したがって、オーバーモールド継手４００６と頂部ストラップ１４０および底部ストラップ１５０との厚さが等しいことにより、ストラップ１４０、１５０の長さを通して連続した厚さと、ストラップ１４０、１５０の間の接続および遷移とが提供され、ヘッドギアの審美性および快適さが向上する。
【０２５３】
位置合せポストを備えた接合タブ
図８１Ａ〜図８１Ｃは、底部ストラップ半体１５０Ａ、１５０Ｂの２つの空のテキスタイルケーシング２２０を合せて型内成形することによって形成される底部ストラップ１５０を示す。ストラップ半体１５０Ａ、１５０Ｂの接合を、底部ストラップ１５０に関して例示するが、それは、底部ストラップの形成に限定されず、任意のヘッドギアを形成するために使用することができる。底部ストラップ１５０は、単一の射出成型ショットを用いて複数のテキスタイルケーシング２２０を合せて型内成形して単体ストラップ１５０を形成することによって形成される。テキスタイルケーシング２２０は、両ケーシング２２０内に形成される単体のプラスチックコア材料２１０によって接続される。接合タブ４００８が、ケーシング２２０の自由端部４０２６の間に配置され、プラスチックコア材料２１０から形成されている。接合タブ４００８は、２つのストラップ半体１５０Ａ、１５０Ｂの間に延在し、ストラップ半体にプラスチックコア材料２１０を射出するための中心射出点４０１０を提供する。接合タブ４００８、ストラップ半体１５０Ａ、１５０Ｂの間の整然としかつ耐久性のある継手を提供するようにオーバーモールドさせるように構成されている。オーバーモールドする前に、射出点に形成されたいかなる過剰な材料またはスプルーもトリミングされる。
【０２５４】
接合タブ４００８の端部は、接合タブ４００８の上面４０１８および下面４０２８から反対方向（たとえば、厚さ方向）に突出し延在する一対の位置合せポスト４０７８を含む。位置合せポスト４０７８は、接合タブ４００８の上面４０１８および下面４０２８の幅を横切って延在する矩形状突起として示すが、それに限定されない。位置合せポスト４０７８は、ストラップ半体１５０Ａ、１５０Ｂの端部４０２６がオーバーモールド金型内で（たとえば、ストラップの厚さ方向に）位置合せされるように、オーバーモールド金型の金型キャビティの内面と当接するように構成されている。
【０２５５】
図８１Ｃは、接合タブ４００８の上面４０１８および下面４０２８から延在する位置合せポスト４０７８を示す。接合タブ４００８は、厚さＴ6を有するように示す。位置合せポスト４０７８を含む接合タブ４００８の領域は、厚さＴ5を有する。位置合せポスト４０７８を含む領域の厚さＴ5は、位置合せポスト４０７８のない領域の厚さＴ6より大きい。位置合せポスト４０７８はまた、接合タブ４００８の上面４０１８および下面４０２８と、金型キャビティの内面との間の隙間もまた維持することができ、それにより、オーバーモールドプラスチックが接合タブ４００８の上に流れて頑強な継手を提供することができる。
【０２５６】
図８１Ｄおよび図８１Ｅは、接合タブ４００８がオーバーモールドされた後のストラップ半体１５０Ａ、１５０Ｂを示す。図示するように、接合タブ４００８の上に、オーバーモールド４０８０が形成されている。オーバーモールド４０８０は、底部ストラップ１５０と同じ材料（たとえば、プラスチックコア材料２１０）から形成される場合もあれば、異なる材料から形成される場合もある。いくつかの実施形態では、オーバーモールド４０８０は、オーバーモールド４０８０と患者の頭部との間に可撓性のあるかつ快適な接触を提供するように、エラストマー材料を含むことができる。オーバーモールドは、使用時に患者の頭部から離れる方向に面するように構成された外面４０８２と、使用時に患者の頭部と接触するように構成された内面４０８４とを備える。
【０２５７】
図８１Ｄは、患者の頭部から離れる方向に面するオーバーモールド４０８０の上面４０８２を示す、オーバーモールド４０８０の上面図である。図８１Ｅは、患者の頭部に面するオーバーモールド４０８０の底面４０８４を示す、オーバーモールド４０８０の底面図である。オーバーモールド４０８０の面４０８２、４０８４の中または上に、位置合せポスト４０７８の位置を示す確認マーク４０８８を形成することができる。オーバーモールド４０８０の厚さが位置合せポスト４０７８の厚さＴ5と等しいため、確認マーク４０８８は面４０８２、４０８４を通して可視である。他の構成では、位置合せポスト４０７８がオーバーモールド４０８０の面４０８２、４０８４を通して可視でないように、オーバーモールド４０８０の厚さは、位置合せポスト４０７８の厚さＴ5より大きい場合もある。すなわち、位置合せポスト４０７８の位置を示す確認マーク４０８８が可視でないように、オーバーモールド４０８０の外面４０８２は平滑であり連続している場合がある。
【０２５８】
オーバーモールド４０８０の外面４０８２の中または上に、製品ラベルまたはロゴ４０８６もまた形成することができる。ロゴ４０８６は、オーバーモールドプロセス中に面４０８２内に成形される。いくつかの構成では、位置合せポスト４０７８は、ロゴ４０８６の一部を形成するように構成することができる。たとえば、図示する構成では、一方の位置合せポスト４０７８が文字「Ｆ」からなる形状を有することができ、他方の位置合せポストが文字「Ｐ」からなる形状を有する。位置合せポスト４０７８が面４０８２上で可視であるように、位置合せポスト４０７８および／またはオーバーモールド４０８０の厚さを変更することができる。他の構成では、仕上げプロセス（たとえば、彫刻、成形、打抜き加工等）によりロゴ４０８６を形成することができる。
【０２５９】
いくつかの実施形態では、オーバーモールドする前に、位置合せポスト４０７８の間で接合タブ４００８をトリミングすることができる。これにより、位置合せポスト４０７８の間の間隔、したがってオーバーモールドの長さを増減させることにより、底部ストラップ１５０の全長を調整することができる。すなわち、いくつかの構成では、（たとえば、底部ストラップ１５０の長さ方向における）位置合せポスト４０７８間の距離を短くするかまたは長くして、底部ストラップ１５０の全長を短くするかまたは長くすることができる。この手法を用いて、同じ底部ストラップ構成要素を使用して異なるヘッドギアサイズを提供することができる。
【０２６０】
射出ハウジング
図８２Ａ〜図８３Ｅは、ストラップ端部継手ハウジング４０９０を示し、その中で、空の底部ストラップ半体１５０Ａ、１５０Ｂの端部４０２６が挿入され、型内成形されて単体の底部ストラップ１５０が形成される。ストラップ半体１５０Ａ、１５０Ｂの接合を、底部ストラップ１５０に関して例示するが、それは底部ストラップの形成に限定されず、任意のヘッドギアストラップを形成するために使用することができる。底部ストラップ１５０は、単一の射出成型ショットを用いて複数のテキスタイルケーシング２２０を合せて型内成形して単体ストラップを形成することにより、形成される。したがって、テキスタイルケーシング２２０は、両ケーシング２２０内に形成されかつそれを通して延在する単体のプラスチックコア材料２１０によって接続される。
【０２６１】
ハウジング４０９０は、２つのテキスタイルケーシング２２０の開放端部４０２６を受け入れるように構成された内部チャンバ４０９２を有する。ハウジング４０９０は、ハウジング４０９０が型内成形金型内で確実な嵌合を有するように、型内成形金型の内部キャビティ内の領域の形状、サイズおよび幾何学的形態に対応する形状、サイズおよび幾何学的形態を有することができる。したがって、ハウジング４０９０は、型内成形金型に対して位置合せすることができ、それにより、テキスタイルケーシング２２０の端部４０２６を、型内金型内にあるときにハウジング４０９０によって位置合せすることができる。ハウジング４０９０は、矩形の形状または幾何学的形態に限定されない。
【０２６２】
ハウジング４０９０は、ハウジング４０９０の少なくとも１つの側面に、ゲートを提供する射出開口部４０９４を有し、そのゲートを通して、型内成形プラスチック材料２１０が射出されその中を流れることができる。いくつかの構成では、ハウジング４０９０の複数の側面に射出開口部４０９４を配置することができる。図８３Ｅは、ハウジング４０９０の対向する側面に位置する射出開口部４０９４を示す。プラスチックコア材料２１０を両開口部４０９４内に同時に射出することができ、または別法として、一方の開口部４０９４を、プラスチック材料２１０が他方の開口部４０９４内に射出されている間、遮断することができる。
【０２６３】
図８３Ｄに示すように、射出開口部４０９４は、テキスタイルケーシング２２０の開放端部４０２６を受け入れる内部チャンバ４０９２に流体的に接続される。テキスタイルケーシング２２０の端部４０２６は、テキスタイルケーシング２２０の内部空洞が射出開口部４０９４と流体連通するように、射出開口部４０９４に向かって開放している。型内成形プロセス中、ハウジング４０９０の開口部４０９４内に射出されるプラスチックコア材料２１０を型内成形することにより、テキスタイルケーシング２２０内にプラスチックが射出される。型内成形プラスチックコア材料２１０は、開口部４０９４から内部チャンバ４０９２内に、かつ内部チャンバ４０９２からテキスタイルケーシング２２０内に流れ込む。ハウジング４０９０は、テキスタイルケーシング２２０を型内成形するための中心射出点を提供する。いくつかの構成では、ハウジング４０９０は、テキスタイルケーシング２２０の端部の上へのオーバーモールド継手のオーバーモールドに対する代替物を提供することができる。したがって、テキスタイルケーシング２２０の余った糸端部は、ハウジング４０９０内に封入されかつ収容され、それにより、ヘッドギアの審美性および耐久性が向上する。
【０２６４】
内部チャンバ４０９２は、ハウジング４０９０の中心領域に位置する内部空洞領域４０９２Ａを有する。内部空洞領域４０９２Ａは、射出開口部４０９４に向かって開放しかつその中に通じる１つの端部を有し、外部空洞領域４０９２Ｂに向かって開放しかつその中に通じる第２端部を有する。すなわち、内部空洞領域４０９２Ａは、射出開口部４０９４と外部空洞領域４０９２Ｂとの間に配置される。射出開口部４０９４は、射出されるプラスチック材料２１０を内部チャンバ４０９２の内部空洞領域４０９２Ａ内に向ける。ケーシング２２０の端部は、外部空洞領域４０９２Ｂの内壁に当接し、それにより、射出されるプラスチック材料２１０が射出開口部４０９４からテキスタイルケーシング２２０内に流れ込むように、射出開口部４０９４からケーシング２２０のキャビティ内に流体路が提供される。
【０２６５】
内部空洞領域４０９２Ａは、外部空洞領域４０９２Ｂの高さＤ2より低い高さＤ1を有する。内部空洞領域４０９２Ａの高さＤ1および外部空洞領域４０９２Ｂの高さＤ2の差により、内部チャンバ４０９２内に階段状の輪郭が形成され、それにより、テキスタイルケーシング２２０の端部４０２６を、ハウジング４０９０内に配置されたときに間隔を空けて配置することができる。内部空洞領域４０９２Ａの高さＤ1は、テキスタイルケーシング２２０を通るコア材料２１０の厚さに実質的に等しくすることができる。
【０２６６】
いくつかの構成では、（図８３Ｄに示すような）内部空洞領域４０９２Ａの長さＬは、同じテキスタイルケーシング２２０から異なる長さの底部ストラップ１５０を形成することができるように、変更することができる。すなわち、ハウジング４０９０の長さを変更することにより、固定長を有するテキスタイルケーシング２２０から、さまざまな長さの底部ストラップを形成することができる。内部空洞領域４０９２Ａの長さＬは、テキスタイルケーシング２２０の端部４０２６の間隔を近づけるかまたはさらに離し、それにより、ストラップ１５０の完成した長さが増減する。たとえば、いくつかの構成では、同じ長さのテキスタイルケーシング２２０と、異なる長さＬの内部空洞領域４０９２Ａを有するハウジング４０９０とを用いて、中サイズヘッドギアおよび中−大サイズヘッドギア用の底部ストラップ１５０を形成することができる。すなわち、中サイズおよび中−大サイズの底部ストラップ１５０の長さの差は、内部空洞領域４０９２Ａの長さＬの差によって提供される。
【０２６７】
ストラップ断面
図８４Ａおよび図８４Ｂは、テキスタイルケーシング２２０がプラスチックコア材料２１０で充填される型内成形プロセスの結果としての頂部ストラップ１４０および底部ストラップ１５０の断面図を示す。頂部ストラップ１４０および底部ストラップ１５０両方が、内面４０６６および外面４０６８を有し、内面４０６６は患者の頭部と接触するように構成され、外面４０６８は患者の頭部から離れる方向に面するように構成される。この実施形態では、ストラップ１４０、１５０のプラスチックコア材料２１０は実質的にＤ字型の断面を有し、それにより、外面４０６８は凸状湾曲を有し、内面４０６６は、実質的に平坦な、平面の、または直線状の輪郭を有する。いくつかの構成では、内面４０６６は凹状湾曲を有することができる。
【０２６８】
内面４０６６の平坦な輪郭は、（凸状輪郭より）ヘッドギアにおけるいかなる荷重も患者の頭部にわたってより均一に分散させるように、患者の頭部と増大した接触領域を有するように構成される。これにより、ヘッドギアの安定性および患者に対する快適さが向上する。外面４０６８の凸状湾曲は、ストラップに対してある程度の剛性を与え、ヘッドギアに対して柔らかいまたは審美的に魅力的な外観を与える。
【０２６９】
ストラップの柔らかい縁
図８４Ａは、テキスタイルケーシング２２０の外縁部を充填するフランジ部４０３６を含む、プラスチックコア材料２１０を備えた頂部ストラップ１４０および底部ストラップ１５０を示す。フランジ部４０３６は、頂部ストラップ１４０および底部ストラップ１５０に対して硬く剛性の縁処理を提供する。図８４Ｂは、内部にプラスチックコア材料２１０がないことによって形成されている柔らかい縁部４０３８を有する頂部ストラップ１４０および底部ストラップ１５０を示す。柔らかい縁部４０３８は、テキスタイルケーシング２２０が柔軟かつ曲げやすいままであるように、プラスチックコア材料２１０で充填されていない、ケーシング２２０の部分である。その結果、柔らかい縁部２２２は、頂部ストラップ１４０および底部ストラップ１５０に対して、使用者の皮膚に対して快適でありかつ審美的に好ましくもある柔らかいかまたはクッション性のある縁を提供する。
【０２７０】
いくつかの構成では、柔らかい縁部４０３８は、プラスチックコア材料２１０の射出の前に管状ケーシング２２０の縁を圧着することにより形成され、それにより、プラスチックコア材料２１０は、圧着されるケーシング２２０の部分の中に流れ込まないように阻止または制限される。縁は、金型キャビティに隣接する成形金型の部分によって圧着される。成形金型による頂部ストラップ１４０および底部ストラップ１５０の圧着の深さは、頂部ストラップ１４０および底部ストラップ１５０の長さに沿って変更することができ、それにより、頂部ストラップ１４０および底部ストラップ１５０の長さに沿って、プラスチックコア材料２１０の幅（図８４Ａおよび図８４Ｂでは水平方向）を変更することができる。したがって、頂部ストラップ１４０および底部ストラップ１５０の異なる領域においてプラスチックコア材料２１０の幅をより広くすることにより、それらの領域を補強しかつそれらの領域に対して追加の強度を提供することができる。同様に、いくつかの構成では、頂部ストラップ１４０および底部ストラップ１５０の長さに沿ったいくつかの領域においてプラスチックコア材料２１０の幅をより狭くすることにより、それらの相対的に狭い領域に対して可撓性を提供することができる。当業者であれば、プラスチックコア材料の形状および幾何学的形態は、所望の方向において頂部ストラップ１４０および底部ストラップ１５０に対して強度および剛性を提供するように変更することができることが理解されるはずである。
【０２７１】
図８５は、頂部ストラップ１４０が、長さに沿って設けられた柔らかい縁部４０３８を有する底部ストラップ１５０に接合された状態を示す。底部ストラップ１５０は、使用されているとき、使用者の耳の上方に位置決めされる耳アーチ４０１６を形成するように輪郭が付けられた湾曲形状を有する。図示するように、耳アーチ４０１６における柔らかい縁部４０３８は、底部ストラップ１５０の残りの部分における柔らかい縁部４０３８の幅Ｗ2より大きい幅Ｗ1を有する。耳アーチ４０１６における柔らかい縁部４０３８は、使用中に耳アーチが患者の耳と接触するべきである場合に増大した柔らかさ／クッション性および快適さを提供するように、底部ストラップ１５０の他の部分に対して増大した幅を有する。使用者の耳の弓状部は敏感な領域であり、接触が不快感をもたらす可能性がある。
【０２７２】
いくつかの構成では、ヘッドギアは、上部サイドストラップおよび／または下部サイドストラップ（または他の構成）を有する、４点接続構成を備えることができる。こうした構成では、使用時に患者の耳に近接するいかなるストラップも、増大した柔らかい縁の幅を含むことができる。
【０２７３】
オーバーモールド接続部を有する結合された頂部および後部ストラップ
図８６は、単一のハローまたは後部ヘッドギアループストラップ５００２として一体的に形成されている後部ストラップ部１５０および頂部ストラップ部１４０からなるヘッドギア構成５０００を示す。ヘッドギアループストラップ５００２は、オーバーモールド継手５００６を介して前部ストラップ５００４に接続される。前部ストラップ５００４は、ヘッドギアループストラップ５００２から別個に形成され、その後、オーバーモールド接続部により後部ヘッドギアループ５０１０に接続される。前部ストラップ５００４は、型内成形ストラップ部、ロック機構のための編組フィラメントハウジング、または両方の組合せを備えることができる。一実施形態では、ヘッドギア構成５０００の前部ストラップ５００４は、ロック機構およびフィラメントを備えるサイズ調整機構を含むように構成することができる。これは、フィラメントを収容する編組ストラップを個々の構成要素として製造しかつ試験することができるため、有利である。これにより、これらの構成要素を製造する複雑さが低減し、ロック機構の公差または動作が損なわれかつ／または不良である場合に、ヘッドギアまたはヘッドギアのより大きい部分の損失を防止することができる。すなわち、前部ストラップ５００４がヘッドギアループストラップ５００２から別個に形成されるため、欠陥があるかまたは不良のロック機構によりヘッドギア全体を廃棄する必要がない。
【０２７４】
ヘッドギアループストラップ５００２の端部がオーバーモールド継手５００８によって互いに接合されて、患者の頭部の後部をカップのように入れるかまたは受け入れる（破線によって示す）後部ヘッドギアループ５０１０が形成される。オーバーモールド継手５００８は、使用中、患者の頭部の頂部に位置する。患者の頭部の頂部にオーバーモールド継手５００８を位置決めすることは、使用者の頭部の頂部がベッドまたは枕に接触しないため（接触することにより、継手５００８に力が加わり、継手が患者の頭部に食い込む可能性がある）、有利な位置である。すなわち、患者の頭部の頂部にオーバーモールド継手５００８を位置決めすることは、患者に対してより快適である可能性がある。
【０２７５】
図８７Ａに図示するように、ヘッドギアループストラップ５００２は、頂部ストラップ１４０および後部ストラップ１５０を結合する単一の型内成形部材から形成されている。ヘッドギアループストラップ５００２は、プラスチックコア材料２１０で充填される１本のテキスタイルケーシング材料２２０から形成されている。ヘッドギアループストラップ５００２は、頂部ストラップ部１４０の自由端部に形成されかつそこから延在する位置合せタブ５０２０を含む。ヘッドギアループストラップ５００２はまた、頂部ストラップ部１４０と底部ストラップ部１５０との間に配置された突破りタブ５０３０も含む。
【０２７６】
位置合せタブ５０２０は、図８１Ａ〜図８１Ｅの接合タブ４００８と実質的に同様である。位置合せタブ５０２０は、プラスチックコア材料２１０から形成され、頂部ストラップ部１４０の間にオーバーモールド継手を形成するオーバーモールド金型内でヘッドギアループストラップ５００２の端部を位置合せするように構成されている。頂部ストラップ形態１４０の端部の接合により、後部ヘッドギアループ５０１０の閉ループが形成される。
【０２７７】
位置合せタブ５０２０は、オーバーモールド金型内で頂部ストラップ部１４０の端部を位置合せするように構成される位置合せポスト５０２２を含む。図８８Ａおよび図８８Ｂに図示するように、位置合せポスト５０２２はまた、隆起した当接面５０２４も有し、それは、オーバーモールド金型キャビティの内壁と当接し、係合し、かつ／または接触するように、かつ、金型内で位置合せタブ５０２０を（たとえば、ヘッドギアループストラップ５００２の厚さ、幅および／または長さ方向において）位置合せするように構成されている。接合タブ４００８と同様に、位置合せタブ５０２０がオーバーモールド金型内で位置合せされると、位置合せタブ５０２０は、ヘッドギアループストラップ５００２の端部を接合するようにオーバーモールドされる。
【０２７８】
ヘッドギアループストラップ５００２は、前部ストラップ５００４の端部とオーバーモールドされるように構成されている２つの突破りタブ５０３０を含む。突破りタブ５０３０は、先の実施形態のオスコネクタ４００２と実質的に同様である。図８９Ａおよび図８９Ｂに図示するように、突破りタブ５０３０は、ヘッドギアループストラップ５００２および前部ストラップ５００４が接続されるように、オーバーモールド接続部５００６の特徴と係合し噛み合う頭部５０３２を含む。頭部５０３２は、隆起した当接面５０３４を形成する突起から構成されている。当接面５０３４は、オーバーモールド金型キャビティの内壁と当接し、係合しかつ／または接触するように、かつ、金型内で突破りタブ５０３０を（たとえば、ヘッドギアループストラップ５００２の厚さ、幅および／または長さ方向において）位置合せするように構成されている。当接面５０３４は、オーバーモールド継手５００６の外面５００８と同一平面にあって、ヘッドギアループストラップ５００２と前部ストラップ５００４との間の平滑な遷移をもたらす。
【０２７９】
ヘッドギアループストラップ５００２および前部ストラップ５００４は、突破りタブ５０３０と前部ストラップ５００４の端部との上にオーバーモールド継手５００６をオーバーモールドすることにより接合される。いくつかの構成では、ヘッドギアループストラップ５００２の内部コアを形成するために使用されるものと同じプラスチックコア材料２１０から、オーバーモールド継手４００６を形成することができる。他の構成では、エラストマー等の異なる材料からオーバーモールド継手５００６を形成することができる。
【０２８０】
図８９Ａおよび図８９Ｂに図示するように、突破りタブ５０３０の頭部５０３２は、オーバーモールド継手５００６によって包囲されかつその中に保持されている。オーバーモールド継手５００６内に締付開口部５０３６が形成され、それらは、前部ストラップ５００４を適所に締め付けるように構成されている。締付開口部５０３６は、オーバーモールド金型キャビティの内壁から突出する突起により、オーバーモールド継手５００６内に形成されている。
【０２８１】
いくつかの構成では、ヘッドギアループストラップ５００２および前部ストラップ５００４は、突破りタブ５０３０と前部ストラップ５００４の端部との上に締め付けられるコネクタによって接合することができる。したがって、コネクタは、ヘッドギアループストラップ５００２および前部ストラップ５００４が接合されるように、前部ストラップ５００４の端部を締め付けながら、突破りタブ５０３０の頭部５０３２と係合することができる。
【０２８２】
位置合せポスト、ピンホールおよびくぼみ
図９０Ａ〜図９２Ｄは、テキスタイルケーシング２２０を通って突出する位置合せポスト５１０２と、テキスタイルケーシング２２０内に凹状に形成される位置合せ凹部またはピンホール５１０４とを備える、型内成形された頂部ストラップ１４０および底部ストラップ１５０を示す。位置合せポスト５１０２は、オスコネクタ頭部４００２および位置合せタブ５０２０と同様に、オーバーモールド金型キャビティの内面と当接するように構成されている。位置合せポスト５１０２は、オーバーモールド金型内でストラップの端部を位置合せしかつ位置決めする。位置合せポスト５１０２は、頂部ストラップ１４０および底部ストラップ１５０の上面５１１２および底面５１１４のうちの少なくとも一方から突出する。位置合せポスト５１０２は、テキスタイルケーシング２２０を通って突出する。位置合せポスト５１０２は、頂部ストラップ１４０および底部ストラップ１５０の型内成形中にテキスタイルケーシング２２０内に形成される。図９０Ｂおよび図９０Ｄは、突破りタブ５１２０に形成された位置合せポスト５１０２を示す。突破りタブ５１２０の位置合せポスト５１０２は、プラスチックコア材料２１０から形成され、位置合せタブ５０２０の位置合せポスト５０２２と実質的に同様である。
【０２８３】
使用者に面する面すなわち底面５１１４は、ストラップ１４０、１５０の厚さ内に部分的に凹状に形成されるピンホール５１０４を備える。ピンホール５１０４は、たとえば、オーバーモールド金型の内部キャビティの面から突出するピンを受け入れるように構成されている。ピンおよびピンホール５１４０は、図７９Ａ〜図７９Ｃの凹部４０７０および位置決めピン４０７２と実質的に同様である。ピンはピンホール５１０４と係合して、オーバーモールド金型内の所定の位置および位置合せでストラップ１４０、１５０を保持し、オーバーモールドプラスチックが射出されるとき、型内成形ストラップ１４０、１５０がオーバーモールド型内部で移動するのを阻止する。ピンホール５１０４は、使用者が装着するときに可視でないように、底面５１１４に形成されている。いくつかの構成では、ピンホール５１０４は、頂部ストラップ１４０および底部ストラップ１５０の上面５１１２および底面５１１４の一方または両方に形成することができる。いくつかの構成では、ピンホール５１０４は、頂部ストラップ１４０および底部ストラップ１５０の厚さより小さい深さを有することができる。いくつかの構成では、ピンホール５１０４は、頂部ストラップ１４０および底部ストラップ１５０の厚さと等しい深さを有することができる。
【０２８４】
突破りタブ５１２０と頂部ストラップ１４０および底部ストラップ１５０の端部とは、ともに、内面５１１２および外面５１１４にくぼみを含む。くぼみ５１０６は、突破りタブ５１２０のプラスチックコア材料２１０内に、かつ頂部ストラップ１４０および底部ストラップ１５０の端部においてテキスタイルケーシング２２０内に凹状に形成されている。図９２Ａ〜図９２Ｄに図示するように、くぼみ５１０６は、オーバーモールド継手５１３０のくぼみ係合領域において増大する厚さを提供し、オーバーモールド継手５１３０とストラップ１４０、１５０との間の機械的接続を形成するように増大した表面積を提供するように構成されている。くぼみ５１０６によって提供される増大した表面積により、オーバーモールド継手５１３０の強度が増大する。
【０２８５】
図９２Ａ〜図９２Ｄは、オーバーモールド継手５１３０が突破りタブ５１２０と頂部ストラップ１４０および底部ストラップ１５０の端部との上にオーバーモールドされた後の頂部ストラップ１４０および底部ストラップ１５０を示す。オーバーモールド継手５１３０は、頂部ストラップ１４０および底部ストラップ１５０の上に永久的なオーバーモールド接続を提供する。オーバーモールド継手５１３０は、上述したオーバーモールド継手と同様に形成される。位置合せポスト５１０２は、オーバーモールド継手５１３０と同じ厚さを有する結果として、オーバーモールド継手５１３０に確認マークが形成されるようにすることができる。いくつかの構成では、オーバーモールド継手５１３０内にロゴ５１５０を形成することができる。図９２Ｃおよび図９２Ｄは、くぼみ５１０６によって提供されるオーバーモールド継手材料の増大した厚さを示す。オーバーモールド継手５１３０はまた、頂部ストラップ１４０と底部ストラップ１５０との間の継手の強度を増大させるように、底部ストラップ１５０の縁にオーバーラップする。
【０２８６】
いくつかの構成では、ストラップ１４０、１５０のいずれかの自由端部にオーバーモールドコネクタ５１４０を設けることができる。オーバーモールドコネクタ５１４０は、オーバーモールド継手５１３０と同様に形成され、ストラップ１４０、１５０の位置合せポスト５１０２およびくぼみ５１０６と係合することができる。コネクタ５１４０は、別のヘッドギアまたはマスク構成要素に接続するように構成されたループまたはクリップを備えることができる。
【０２８７】
以下の開示は、患者または使用者に呼吸療法を送達するように構成された患者インタフェース８００２用のヘッドギアアセンブリ８０００に関する。図９３Ａ〜図９３Ｃは、ヘッドギアアセンブリ８０００およびマスクアセンブリ８００４の非限定的な実施形態を含む患者インタフェース８００２の非限定的な例示的な実施形態を示す。マスクアセンブリ８００４は、患者または使用者の気道に呼吸ガスの流れを送達する任意の好適な構成であり得る。マスクアセンブリ８００４は、本体と１つまたは複数の封止クッションとを含むことができる。いくつかの構成では、本体は、封止クッションより剛性が高い。いくつかの構成では、本体およびクッションは、一体的にまたは単体で形成されている。封止クッションは、患者または使用者の鼻および口の一方または両方とシールを形成するように構成されている。マスクアセンブリ８００４は、たとえば、限定なしに、フルフェイス鼻上マスク、フルフェイス鼻下マスク、鼻マスク、鼻ピローまたは鼻カニューレであり得る。したがって、マスクアセンブリ８００４は、図において破線ブロックによって表す。
【０２８８】
ヘッドギアアセンブリ８０００は、ヘッドピース８００６と少なくとも１つのコネクタ８００８とを含む。図示する構成では、少なくとも１つのコネクタ８００８は、第１コネクタ８００８および第２コネクタ８００８（図示せず）を備える。ヘッドギアアセンブリ８０００は、使用者の矢状面を中心に実質的に対称である。したがって、第２コネクタ８００８は、図示する第１コネクタ８００８の鏡像とすることができ、第２コネクタ８００８には第１コネクタ８００８の説明を等しく適用することができる。同様に、ヘッドピース８００６の（患者または使用者の観点から）左側は、右側の鏡像であり得る。第１コネクタ８００８および第２コネクタ８００８は各々、前部８００８ａにおいてマスクアセンブリ８００４に接続し、後部８００８ｂにおいてヘッドピース８００６に接続する。いくつかの構成では、第１コネクタ８００８および第２コネクタ８００８を互いに結合することができ、または、一体的なもしくは単体構造とすることができる。
【０２８９】
ヘッドピース８００６は、頂部または垂直ストラップ８０１０、前方または前頭部ストラップ８０１２、後部または後頭部ストラップ８０１４および耳ループ８０１６のうちの１つまたは複数を含むことができる。前方ストラップ８０１２は、実質的に使用者の頭部の前部の上にわたる。すなわち、前方ストラップ８０１２は、前頭部等、頭部の頂部の前方に位置することができる。頂部ストラップ８０１０は、実質的に、使用者の頭部の頂部の上にわたる。頂部ストラップ８０１０および前方ストラップ８０１２は、接合部８０２０で集まる。接合部８０２０は、耳ループ８０１６の一部に結合するかまたはそれを形成することができる。後部ストラップ８０１４は、実質的に、使用者の頭部の後部の周りを通る。すなわち、後部ストラップ８０１４は、頭部の頂部の後方に位置することができる。いくつかの構成では、後部ストラップ８０１４の端部は、耳ループ８０１６の一部を形成する。耳ループ８０１６は、使用者の耳を部分的にまたは完全に取り囲む。図示する構成では、耳ループ８０１６は、使用者の耳を完全に取り囲み、閉ループを形成する。ヘッドピース８００６が第１コネクタ８００８および／または第２コネクタ８００８に接続することができるように、耳ループ８０１６は少なくとも１つのコネクタ接続面８０２２を含む。
【０２９０】
第１コネクタ８００８および／または第２コネクタ８００８は、マスクアセンブリ８００４とヘッドピース８００６との間に延在する少なくとも１つのストラップまたは他の構造を含む。図示する構成では、第１コネクタ８００８および／または第２コネクタ８００８のうちの一方または両方は、第１ストラップ８０２４および第２ストラップ８０２６を含む。ストラップ８０２６は、本明細書では下部ストラップ８０２６と呼ぶ。ストラップ８０２４は、本明細書では、下部ストラップ８０２６と前方ストラップ８０１２および／または頂部ストラップ８０１０との間に垂直に配置されるため、中部ストラップ８０２４と呼ぶ。中部ストラップ８０２４は、使用するとき、第１部８００８ａおよびマスクアセンブリ８００４から、使用者の耳の上方および後方に延在する。下部ストラップ８０２６は、使用するとき、前部８００８ｂおよびマスクアセンブリ８００４から使用者の耳の下方および後方に延在する。中部ストラップ８０２４は、後部８００８ｂにおいて下部ストラップ８０２６と一緒になる。図示する構成では、中部ストラップ８０２４および下部ストラップ８０２６は一体的に形成されている。
【０２９１】
少なくとも１つの実施形態では、第１コネクタ８００８および／または第２コネクタ８００８は、ストラップ８０２４、８０２６の代わりにまたはそれに加えて中間ストラップを備えることができる。中間ストラップは、前部８００８ａおよびマスクアセンブリ８００４から使用者の耳の上方および後方に延在することができる。少なくとも１つの実施形態では、中間ストラップは、前部８００８ａおよびマスクアセンブリ８００４から使用者の耳の下方および後方に延在することができる。少なくとも１つの実施形態では、中間ストラップは、前部８００８ａおよびマスクアセンブリ８００４から延在して、使用者の耳の上方および後方ならびに下方および後方の両方に延在するように分岐する。
【０２９２】
図９３Ｂは、第１コネクタ８００８がヘッドピース８００６から分離されているヘッドギアアセンブリ８０００の斜視図を示す。使用時、第１コネクタ８００８をヘッドピース８００６から分離して、耳の周囲で外向きに伸ばして、使用者の顔面からマスクアセンブリ８００４を解除することができる。第２コネクタ８００８（図示せず）を同様に分離して、マスクアセンブリ８００４を完全に分離することができる。いくつかの実施形態では、第１コネクタ８００８および／または第２コネクタ８００８の前部８００８ａは、取り外した後のマスクアセンブリ８００４に接続されたままにすることができる。
【０２９３】
マスクアセンブリ８００４およびコネクタ８００８がヘッドピース８００６から分離されると、使用者は、マスクアセンブリ８００４を接続することが必要になる前に、ヘッドピース８００６を独立して装着することができる。すなわち、ヘッドピース８００６は、好ましくは、少なくとも、使用者の頭部が比較的直立している間、適所にあり続けるためにマスクアセンブリ８００４および／またはコネクタ８００８に頼ることなく、使用者の頭部に安定して支持されるように構成されている。マスクアセンブリ８００４を再度接続するために、第１コネクタ８００８および／または第２コネクタ８００８のうちの一方が、関連する耳ループ８０１６においてヘッドピース８００６に接続される。マスクアセンブリ８００４は、所望の位置に配置される。そして、第１コネクタ８００８および／または第２コネクタ８００８のうちの他方が、他方の耳ループ８０１６においてヘッドピース８００６に接続される。
【０２９４】
図９３Ｃは、第１コネクタ８００８がヘッドピース８００６に接続されているヘッドギアアセンブリ８０００の斜視図を示す。第１コネクタ８００８および／または第２コネクタ８００８上のヘッドピース接続面８０３０を用いて、第１コネクタ８００８および／または第２コネクタ８００８のヘッドピース８００６との接続が容易になる。上述したように、ヘッドピース８００６上のコネクタ接続面８０２２を用いて、ヘッドピース８００６の第１コネクタ８００８および／または第２コネクタ８００８との接続が容易になる。コネクタ接続面８０２２およびヘッドピース接続面８０３０により、第１コネクタ８００８および／または第２コネクタ８００８をヘッドピース８００６に取外し可能に接続することができる。ヘッドピース接続面８０３０およびコネクタ接続面８０２２は、協働するまたは相補的な形状を有する。いくつかの構成では、ヘッドピース接続面８０３０およびコネクタ接続面８０２２の各々の一部が、同一の形状、またはヘッドピース８００６およびコネクタ８００８の両方が適切に位置決めされるときに互いにオーバーラップするように構成された形状を有する。例として図９３Ｃを参照すると、ヘッドピース８００６のコネクタ接続面８０２２は、耳ループ８０１６の一部に沿って湾曲している。ヘッドピース接続面８０３０は、第１コネクタ８００８上の協働する湾曲部である。コネクタ接続面８０２２およびヘッドピース接続面８０３０は、協働して、第１コネクタ８００８およびヘッドピース８００６を接続する。
【０２９５】
いくつかの実施形態では、第１コネクタ８００８および第２コネクタ８００８は、接続システムを使用することによりヘッドピース８００６に接続する。少なくとも１つの実施形態では、これは、面ファスナを含むフックおよびループ接続システムである。接続システムの一方の構成要素は、ヘッドピース接続面８０３０に位置し、他方は、コネクタ接続面８０２２に位置する。フックおよびループ接続システムは、患者インタフェース８００２が使用されるときにヘッドピース接続面８０３０を使用者の耳の周囲の適所に保持するように構成されている。接続システムにより、使用者が所望するときに、マスクアセンブリ８００４、第１コネクタ８００８および／または第２コネクタ８００８の容易な分離が可能になる。さらに、所望のときに、マスクアセンブリ８００４、第１コネクタ８００８および／または第２コネクタ８００８をヘッドピース８００６に容易に再接続することができる。
【０２９６】
ヘッドギアアセンブリ８０００の他の構成は、ヘッドピース８００６とコネクタ８００８との間に磁気接続システムを含む。いくつかの構成は、コネクタ接続面８０２２の近くまたはその上に１つまたは複数の磁石を含む。これらの構成では、ヘッドピース接続面８０３０は、１つまたは複数の鉄金属構造を含むことができる。したがって、図示するような、コネクタ接続面８０２２およびヘッドピース接続面８０３０は、磁気接続システムの構成要素を表すことができる。したがって、コネクタ８００８およびヘッドピース８００６は、コネクタ接続面８０２２の磁石とヘッドピース接続面８０３０の鉄構造との間の磁力によって接続される。別法として、ヘッドピース接続面８０３０が１つまたは複数の磁石を提供することができ、コネクタ接続面８０２２が１つまたは複数の鉄金属構造を提供することができる。
【０２９７】
代替構成では、第１コネクタ８００８および／または第２コネクタ８００８は、ヘッドピース接続面８０３０の近くにまたはその上に１つまたは複数の磁石を含むことができ、ヘッドピース８００６は、コネクタ接続面８０２２の近くにまたはその上に１つまたは複数の磁石を含むことができる。コネクタ接続面８０２２上の１つまたは複数の磁石は、それらの極性がヘッドピース接続面８０３０上の磁石の磁性とおよそ逆であるように配向することができる。この構成により、磁力の反発により間違った取付が示されることが確実になる。
【０２９８】
磁気接続システムは、主に自己整列する。これは、使用者がヘッドピース８００６と第１コネクタ８００８および／または第２コネクタ８００８とを同じ場所で接続するのに（それが試行される度に）役立つ。したがって、磁気接続システムにより、マスクアセンブリ８００４およびコネクタ８００８の容易な着脱が可能になる。
【０２９９】
少なくとも１つの実施形態では、コネクタ接続面８０２２およびヘッドピース接続面８０３０は、接続されるときにオーバーラップする。少なくとも１つの実施形態では、コネクタ接続面８０２２およびヘッドギア接続面８０３０は、それらの面が相補的であるように当接する。たとえば、ヘッドピース接続面９０３０およびコネクタ接続面９０２２は、Ｃ字型であり使用者の耳の上方から下方に延在することができる接続領域に沿ってオーバーラップすることができる。
【０３００】
少なくとも１つの実施形態では、第１コネクタ８００８および／または第２コネクタ８００８の中部ストラップ８０２４および下部ストラップ８０２６は、マスクアセンブリ８００４に調整可能に接続されている。中部ストラップ８０２４および下部ストラップ８０２６は、マスクアセンブリ８００４の対応する穴を通過し、それ自体または互いにの上に折り返して、調整可能に適所に固定することができる。少なくとも１つの実施形態では、中部ストラップ８０２４および下部ストラップ８０２６は、マスクアセンブリ８００４に固定して接続されている。少なくとも１つの実施形態では、中部ストラップ８０２４はマスクアセンブリ８００４に固定して接続され、下部ストラップ８０２６はマスクアセンブリ８００４に調整可能に接続されている。少なくとも１つの実施形態では、下部ストラップ８０２６はマスクアセンブリ８００４に固定して接続され、中部ストラップ８０２４はマスクアセンブリ８００４に調整可能に接続されている。
【０３０１】
第１コネクタ８００８および／または第２コネクタ８００８を用いてヘッドピース８００６からマスクアセンブリ８００４を分離することにより、ヘッドギアアセンブリ８０００のサイズを調整することなく、マスクアセンブリ８００４を取り外すことができる。サイズを調整する必要なしに、第１コネクタ８００８および／または第２コネクタ８００８を介して、マスクアセンブリ８００４を適所に再度固定することができる。これにより、着脱プロセスが簡略化する。
【０３０２】
ヘッドギアアセンブリ８０００のいくつかの構成では、頂部ストラップ８０１０、前方ストラップ８０１２、後部ストラップ８０１４またはこれらの任意の組合せは、調整機構８０４０を含む。調整機構は、たとえば、バックル等、任意の好適な構成であり得る。ストラップ８０１０、８０１２、８０１４の対向する側部が、バックルを通過し、それら自体の上に折り重なることができる。たとえば、面ファスナ等の好適な締結具により、ストラップ８０１０、８０１２、８０１４の自由端部をストラップ８０１０、８０１２、８０１４の残りの部分に固定することができる。
【０３０３】
少なくとも１つの実施形態では、頂部ストラップ８０１０および前方ストラップ８０１２は。耳ループ８０１６の独立した部分を形成する。頂部ストラップ８０１０および前方ストラップ８０１２によって画定される耳ループ８０１６の部分は、使用者の耳の下方および／または上方で互いに結合することができる。
【０３０４】
少なくとも１つの実施形態では、ヘッドピース８００６は、使用者の頭部の頂部にわたる頂部ストラップ８０１０と、使用者の頭部の後部にわたる後部ストラップ８０１４とを含む。
【０３０５】
少なくとも１つの実施形態では、ヘッドピース８００６に第１コネクタ８００８を固定して接続することができる。この構成では、ヘッドピース８００６から第２コネクタ８００８を分離して、マスクアセンブリ８００４を取り外すことができる。少なくとも１つの実施形態では、ヘッドピース８００６に第２コネクタ８００８を固定して接続することができる。この構成では、ヘッドピース８００６から第１コネクタ８００８を分離してマスクアセンブリ８００４を取り外すことができる。
【０３０６】
図９４Ａ〜図９４Ｃは、ヘッドギアアセンブリ９０００およびマスクアセンブリ９００４を含む患者インタフェース９００２の斜視図を示す。ヘッドギアアセンブリ９０００は、ヘッドピース９００６、第１コネクタ９００８および第２コネクタ９００８（図示せず）を含む。図９３Ａ〜図９３Ｃの実施形態におけるように、ヘッドギアアセンブリ９０００は、使用者の矢状面を中心に対称であり得る。明示的に開示しないヘッドギアアセンブリ９０００の詳細は、ヘッドギアアセンブリ８０００の対応する要素と同じかもしくは同様であり得るか、または別の好適な構成であり得る。この実施形態では、ヘッドギアアセンブリ９０００は、部分耳ループ９０１６（図９４Ｃ）を含む。第１コネクタ９００８および第２コネクタ９００８は、各々、前部９００８ａにおいてマスクアセンブリ９００４に接続し、後部９００８ｂにおいてヘッドピース９００６に接続する。
【０３０７】
ヘッドピース９００６は、頂部または垂直ストラップ９０１０と、前方または前頭部ストラップ９０１２と、後部または後頭部ストラップ９０１４とを含む。前方ストラップ９０１２は、実質的に使用者の頭部の前部の上にわたる。頂部ストラップ９０１０は、実質的に使用者の頭部の頂部の上にわたる。後部ストラップ９０１４は、実質的に使用者の頭部の後部の周りを通る。ヘッドピース９００６は、第１コネクタ９００８および／または第２コネクタ９００８に接続することができるように、コネクタ接続面９０２２を含む。
【０３０８】
第１コネクタ９００８および／または第２コネクタ９００８は、中部ストラップ９０２４および下部ストラップ９０２６を含む。中部ストラップ９０２４は、前部９００８ａおよびマスクアセンブリ９００４から使用者の耳の上方および後方に延在する。下部ストラップ９０２６は、前部９００８ａおよびマスクアセンブリ９００４から使用者の耳の下方および後方に延在する。中部ストラップ９０２４は、後部９００８ｂにおいて下部ストラップ９０２６と接する。図示する構成では、中部ストラップ９０２４および下部ストラップ９０２６は一体的に形成されている。
【０３０９】
少なくとも１つの実施形態では、第１コネクタ９００８および／または第２コネクタ９００８は中間ストラップを備えることができる。中間ストラップは、前部９００８ａおよびマスクアセンブリ９００４から使用者の耳の上方および後方に延在することができる。少なくとも１つの実施形態では、中間ストラップは、前部９００８ａおよびマスクアセンブリ９００４から使用者の耳の下方および後方に延在することができる。少なくとも１つの実施形態では、中間ストラップは、前部９００８ａおよびマスクアセンブリ９００４から延在し、使用者の耳の上方および後方ならびに下方および後方の両方に延在するように分岐する。
【０３１０】
図９４Ｂは、第１コネクタ９００８がヘッドピース９００６から分離されているヘッドギアアセンブリ９０００の斜視図を示す。使用時、コネクタ９００８のうちの一方または両方をヘッドピース９００６から分離して、耳の周囲で外向きに伸ばして、使用者の顔面からマスクアセンブリ９００４を解除することができる。
【０３１１】
第１コネクタ９００８および／または第２コネクタ９００８上のヘッドピース接続面９０３０を用いて、第１コネクタ９００８および／または第２コネクタ９００８のヘッドピース９００６との接続が容易になる。ヘッドピース９００６上のコネクタ接続面９０２２を用いて、ヘッドピース９００６の第１コネクタ９００８および／または第２コネクタ９００８との接続が容易になる。コネクタ接続面９０２２およびヘッドピース接続面９０３０により、第１コネクタ９００８および／または第２コネクタ９００８をヘッドピース９００６に取外し可能に接続することができる。ヘッドピース接続面９０３０およびコネクタ接続面９０２２は、協働するまたは相補的な形状を有する。図９４Ａ〜図９４Ｃの図示する実施形態では、ヘッドピース接続面９０３０およびコネクタ接続面９０２２の両方とも、実質的にサイズが縮小している。ヘッドピース接続面９０３０およびコネクタ接続面９０２２は、使用者の耳（たとえば、上方）から後方にかつ垂直に変位し、たとえば、直線状であるかまたはわずかに湾曲し得る接続線に沿って接続する。いくつかの構成では、ヘッドピース接続面９０３０とコネクタ接続面９０２２との間の接続部全体が、使用者の耳の最下限度の上方に位置する。
【０３１２】
少なくとも１つの実施形態では、ヘッドピース９００６に第１コネクタ９００８を固定して接続することができる。この構成では、ヘッドピース９００６から第２コネクタ９００８を分離してマスクアセンブリ９００４を取り外すことができる。少なくとも１つの実施形態では、ヘッドピース９００６に第２コネクタ９００８を固定して接続することができる。この構成では、ヘッドピース９００６から第１コネクタ９００８を分離してマスクアセンブリ９００４を取り外すことができる。
【０３１３】
少なくとも１つの実施形態では、第１コネクタ８００８、９００８および／または第２コネクタ８００８、９００８は、プラスチックコアとともに連続した柔らかい布製カバーから製造される。いくつかの構成では、プラスチックコアは型内成形プラスチックコアとすることができ、そこでは、溶融プラスチックが、布地部分または層の間または中の空間に導入され、冷却される。他の実施形態では、硬質ポリマー材料を用いて、第１コネクタ８００８、９００８および／または第２コネクタ８００８、９００８を製造することができる。少なくとも１つの実施形態では、シリコーン等の軟質ポリマー材料を用いて、第１コネクタ８００８、９００８および／または第２コネクタ８００８、９００８を製造することができる。少なくとも１つの実施形態では、少なくとも１種の硬質ポリマー材料と少なくとも１種の軟質ポリマー材料とを用いて、第１コネクタ８００８、９００８および／または第２コネクタ８００８、９００８を製造することができる。いくつかの実施形態は、布材料の使用を含むことができる。少なくとも１つの実施形態では、第１コネクタ８００８、９００８および／または第２コネクタ８００８、９００８は、硬質ポリマー材料、軟質ポリマー材料、セラミック材料、布材料、フォーム材料および／または金属材料の組合せを含むことができる。少なくとも１つの実施形態では、フォームおよび布の複合材料から、第１コネクタ８００８、９００８および／または第２コネクタ８００８、９００８を製造することができる。
【０３１４】
閉ループヘッドギア
図９５および図９６は、ヘッドギア９１０２、マスクアセンブリ９１０４およびコネクタ９１０６を含む患者インタフェース９１００の正面斜視図および背面斜視図を示す。ヘッドギア９１０２は、ヘッドギア９１０２およびマスクアセンブリ９１０４のループに中断のない閉ループヘッドギア設計である。図に図示するように、上部サイドストラップ９１０８および下部サイドストラップ９１１０は、単一の連続ストラップから形成されている。したがって、上部サイドストラップ９１０８および下部サイドストラップ９１１０は、患者インタフェース９１００の着脱のプロセスを通して破断されない、ヘッドギア９１０２とマスクアセンブリ９１０４との間に生成される閉ループまたは連続接続をもたらす。
【０３１５】
閉ループヘッドギア９１０２設計は、ヘッドギア９１０２のストラップがプラスチックコア材料で充填されるテキスタイルケーシングから形成される型内成形（すなわち、突破り）プロセスによって形成することができる。テキスタイルケーシングは、ストラップに柔らかくかつ快適な接触面を提供し、一方でプラスチックコア材料は、ヘッドギア９１０２がその形状を保持するように形状に対して剛性および構造を提供する。
【０３１６】
コネクタ概要
図９５に図示するように、上部サイドストラップ９１０８および下部サイドストラップ９１１０は、マスクアセンブリ９１０４の各側面におけるコネクタ９１０６を介してマスクアセンブリ９１０４に接続されている。いくつかの構成では、ストラップ９１０８、９１１０は、コネクタ９１０６の一部を形成することができる。コネクタ９１０６は、マスクアセンブリ９１０４とヘッドギア９１０２との間の閉ループを維持しながら、マスクアセンブリ９１０４を使用者の顔面に固定する機構として作用するように構成されている。
【０３１７】
図９７および図９８に図示するように、コネクタ９１０６は、閉ループの有効長が増大するように、マスクアセンブリ９１０４とヘッドギア９１０２との間で閉ループを破断することなく、マスクアセンブリ９１０４から分離される（すなわち、開放されるかまたははずされる）ように構成されている。図９７は、コネクタ９１０６が最初にマスクアセンブリ９１０４から分離されている状態の第１斜視図を示す。図９８は、図９７のコネクタ９１０６がマスクアセンブリ９１０４からさらに分離され拡張され、コネクタ９１０６の分離によって達成されるヘッドギアループ長の有効な増大を例示する第２斜視図を示す。好ましくは、コネクタ９１０６の分離および拡張により、ヘッドギアループの長さが最低４０ｍｍ増大する。こうしたヘッドギアループの増大により、患者が、ヘッドギア９１０２を容易に着脱することができる。いくつかの構成では、長さの最低の増大は、ヘッドギア９１０２がある程度の弾性を有する場合、４０ｍｍ未満であり得る。
【０３１８】
したがって、ヘッドギア９１０２、マスクアセンブリ９１０４およびコネクタ構成９１０６は、マスクアセンブリ９１０４に対する対称接続機構を含む閉ループヘッドギア設計を提供する。言い換えれば、患者インタフェース９１００の着脱のプロセスを通して、マスクアセンブリ９１０４とヘッドギア９１０２との間の閉ループは破断されないままであり、それにより、使用者の顔面上で中心合わせするときに、マスク９１０４を変位させることなく、使用者がヘッドギア９１０２およびコネクタ９１０６と相互作用することにより、マスク９１０４を適所に固定することができる容易さが向上する。閉ループヘッドギア設計では、患者インタフェース９１００を装着するために「頭上（ｏｖｅｒ  ｔｈｅ  ｈｅａｄ）」法が必要であり、それにより、患者がインタフェース９１００を装着しているときに混乱するか、または正しく装着しない可能性が低減する。すなわち、閉ループヘッドギア設計およびコネクタ構成により、快適であり、有効であり、着脱が直観的な患者インタフェースヘッドギア９１０２が提供される。さらに、閉ループヘッドギア設計およびコネクタ構成により、ヘッドギア９１０２を着脱しているときに、患者インタフェースシールが顔面の中心にあり続けることが確実になる。
【０３１９】
プラスチックリビングヒンジ
図９９Ａは、マスクコネクタ部材９１１２、ヘッドギアコネクタ部材９１１４、第１マスクヒンジ９１１６、第２マスクヒンジ９１１８、第１コネクタヒンジ９１２０および第２コネクタヒンジ９１２２を含むプラスチックリビングヒンジコネクタ９１０６を示す。コネクタ９１０６は、マスクコネクタ部材９１１２およびヘッドギアコネクタ部材９１１４がマスクアセンブリ９１０４に隣接している（すなわち、上に重なっている、上でつぶされる等）かまたはマスクアセンブリ９１０４の上に付着している閉鎖位置にあるか、またはそれらが伸長位置にある開放位置にあり得る。いくつかの構成では、コネクタ９１０６は、閉鎖位置でマスクアセンブリ９１０４に対して締結されかつ固定され、それにより、コネクタ９１０６は移動も回転もしない。プラスチックリビングヒンジコネクタ９１０６の利点は、締結システムが自動位置決め式であり、システムは誤用され難い、ということである。
【０３２０】
ヘッドギアコネクタ部材９１１４は、実質的に「Ｕ字型」形状であり、ヘッドギアコネクタ部材９１１４の横方向端部の各々にヘッドギア接続点９１２４が位置している。ヘッドギアコネクタ部材９１１４は、単一部品として成形される。ヘッドギアコネクタ部材９１１４は、型内成形プラスチックコア９１１４ｂとともに柔らかい布製カバー９１１４ａから作製することができる（たとえば、図１０１Ｂを参照）。別法として、ヘッドギアコネクタ部材９１１４は、一方の側に布地層がある成形プラスチック構成要素から作製することができる。いくつかの構成では、布地層は、ヘッドギアコネクタ部材９１１４の外面にあり得る。他の構成では、布地層は、部材９１１４の内面にあり得る。
【０３２１】
マスクコネクタ部材９１１２もまたプラスチックから形成される。図示する実施形態では、２つの独立したマスクコネクタ部材９１１２があり、第１マスクコネクタ部材は第２マスクコネクタ部材から垂直方向に変位している。すなわち、垂直面に対して第２マスクコネクタ部材９１１２の上方に第１マスクコネクタ部材９１１２を位置決めすることができる。
【０３２２】
一端において、マスクコネクタ部材９１１２は、マスクアセンブリ９１０４のマスクフレーム９１２６に接続されている。他端において、マスクコネクタ部材９１１２は、ヘッドギアコネクタ部材９１１４に接続されている。マスクコネクタ部材９１１２は、ヘッドギアコネクタ部材９１１４と一体的に形成することができ、または、接着結合、ＲＦ溶着、超音波溶着、オーバーモールド、スナップフィット機構、機械的縫合等、別の方法を用いて接続することができる。マスクコネクタ部材９１１２はまた、マスクアセンブリ９１０４のフレーム９１２６とも一体的に形成することができる。別法として、上述した方法等の別の方法を用いて、マスクコネクタ部材９１１２を接続することができる。
【０３２３】
閉鎖位置において、図示するコネクタ９１０６は、矢印によって示すように、マスクアセンブリ９１０４のフレーム９１２６と接触するように位置決めされる。フレーム９１２６に凹状チャネル９１２８が設けられ、それは、マスク接続部材９１１２およびヘッドギア接続部材９１１４に対応する形状および輪郭を有する。閉鎖位置では、マスク接続部材およびヘッドギア接続部材９１１４は、凹状チャネル９１２８内に嵌まる。これにより、フレーム９１２６上でのコネクタ９１０６の外形とマスクアセンブリ９１０４の全体的な外形とが縮小する。
【０３２４】
コネクタ９１０６が閉鎖位置にあるとき、マスクアセンブリ９１０４は使用者の顔面に固定される。コネクタ９１０６と凹状チャネル９１２８との間の摩擦嵌合を用いて、閉鎖位置にあるときにフレーム９１２６に対してかつ凹部チャネル９１２８内でコネクタ９１０６を保持することができる。別法として、スナップフィット、フックおよびポストクリップ、磁石、ベルクロ（登録商標）接続システム、ラッチ機構または他の任意の接続システムを使用することができる。
【０３２５】
開放位置では、図示するコネクタ９１０６は、示している矢印とは反対方向に回転する。開放している間、コネクタ９１０６は、マスクヒンジ９１１８およびコネクタヒンジ９１２２両方を中心に回転する。すなわち、コネクタ９１０６は、フレーム９１２６および凹状チャネル９１２８から離れる方向に回転する。図示する実施形態では、マスクヒンジ９１１８およびコネクタヒンジ９１２２はリビングヒンジ（すなわち、マスクコネクタ部材と同じ材料から作製された薄い可撓性ヒンジ）である。図９９Ｂに図示するように、いくつかの構成では、リビングヒンジは、単一部品構造として作製することができる。
【０３２６】
図１００は、マスクコネクタ部材９１１２内に組み込むことができるある種のリビングヒンジ９１３０の上面図を示す。リビングヒンジ９１３０は、厚さが縮小した部分を含み、そこを中心に、リビングヒンジ９１３０が回転を提供する。示している領域の厚さを縮小することにより、局所可撓性が向上する。これにより、厚さが縮小した領域が、ヒンジ点、すなわち「リビングヒンジ」９１３０として作用することができる。いくつかの構成では、リビングヒンジ９１３０は、依然として回転を提供する可撓性を有していながら、その長さに沿って一定の厚さを有することができる。
【０３２７】
図１０１Ａは、プラスチックリビングヒンジマスクコネクタ部材構成９１０６の組立分解図を示す。ヒンジ作用を可能にするマスクコネクタ部材９１１２の領域は、図１００に図示するような輪郭、またはリビングヒンジ構成を可能にする別の輪郭を有することができる。この構成では、マスクコネクタ部材９１１２は突起９１３２を含み、それは、ヘッドギアコネクタ部材９１１４の対応する穴９１３４内に嵌まって２つの構成要素を嵌合させる。図１０１Ｂに図示するように、突起９１３２は、マスクコネクタ部材９１１２に一体的に形成されている。いくつかの構成では、突起９１３２は、コネクタ部材９１１２と一体的に形成されない場合がある。他の構成では、ヘッドギアコネクタ部材９１１４は突起９１３２を含むことができ、マスクコネクタ部材９１１２は穴９１３４を含むことができる。マスクコネクタ部材９１１２とマスクアセンブリ９１０４との間に同様の接続機構を使用することができ、または異なる接続機構を使用することができる。
【０３２８】
図１０２Ａは、単一のマスクヒンジ９１１６、単一のコネクタヒンジ９１２２、凹状チャネル９１２８および凹状面９１３６を有するリビングヒンジコネクタ９１０６を示す。凹状面９１３６は、コネクタ９１０６が閉鎖位置にあるときにマスクコネクタ部材９１１２を受け入れるように構成され、凹状チャネル９１２８は、ヘッドギアコネクタ部材９１１４を受け入れるように構成されている。
【０３２９】
図１０２Ｂに、ヘッドギアコネクタ部材９１１４のコア９１１４ｂおよびマスクコネクタ部材９１１２を示す断面もまた示す。この構成では、ヘッドギアコネクタ部材９１１４およびマスクコネクタ部材９１１２は、１つの連続した成形プラスチック構成要素９１１４ｂから形成される。マスクヒンジは、マスクコネクタ部材９１１２の垂直長さにわたり、マスクヒンジがマスクアセンブリ９１０４に隣接するより広い表面積を提供する。さらに、マスクコネクタアセンブリ９１１２のより大きい長さは、コネクタヒンジを含む。ヒンジの長さが増大することにより、コネクタ９１０６の耐久性が向上する。
【０３３０】
フックおよびポスト保持システム
図１０３Ａおよび図１０３Ｂは、フックおよびポスト保持システム９１４０を有するプラスチックリビングヒンジコネクタ構成９１０６を示す。図１０３Ａおよび図１０３Ｂのコネクタ９１０６は、フックおよびポスト保持システム９１４０により閉鎖位置で保持される。マスクアセンブリ９１０４上に隆起したポスト９１４０ａが一体的に形成され、マスクコネクタ部材９１１２上に対応するフック９１４０ｂが位置している。フック９１４０ｂは、ポスト９１４０ａを閉鎖位置で封入し、スナップフィットまたは締まり嵌め接続等を介して、コネクタ９１０６を閉鎖位置で保持する。いくつかの実施形態では、隆起したポスト９１４０ａは、マスクコネクタ部材９１１２に一体的に形成され、対応するフック９１４０ｂはマスクアセンブリ９１０４に位置する。
【０３３１】
他の実施形態では、磁気保持システムを使用することにより、図１０３Ａおよび図１０３Ｂのコネクタを閉鎖位置で保持することができる。コネクタ９１０６の上に１つまたは複数の磁石を配置することができ、マスクアセンブリ９１０４の上に１つまたは複数の鉄金属構造を配置することができる。磁石と鉄構造との間の磁力は、コネクタ９１０６を閉鎖位置で保持するように作用する。
【０３３２】
コネクタ９１０６の他の構成は、たとえば、コネクタ９１０６上の１つまたは複数のマッシュルーム形突起と、マスクアセンブリ９１０４上の対応する凹部とを含む、押込み嵌めを使用することができる。図１０３Ｂのマスクヒンジ９１１６およびコネクタヒンジ９１２２は、上述したリビングヒンジ設計のうちの任意のものに置き換えることができるため、破線ボックスによって囲んでいる。他の実施形態では、フックおよびポスト保持器９１４０は、別法として、コネクタを閉鎖位置で保持する他の任意の適切な方法と置き換えることができる。
【０３３３】
布製リビングヒンジ
図１０４Ａおよび図１０４Ｂは、剛性を向上させるようにプラスチック支持体が含められている、コネクタ９１０６が本来は厚い布地である、布製リビングヒンジコネクタ構成９１４２を示す。布製リビングヒンジコネクタ９１４２は、マスクコネクタ部材９１１２、ヘッドギアコネクタ部材９１１４、２つのマスクヒンジ９１１６およびコネクタヒンジ９１２２を含む。マスクコネクタ部材９１１２は、ヘッドギアコネクタ部材９１１４のように実質的に「Ｕ」字型である。マスクコネクタ部材９１１２およびヘッドギアコネクタ部材９１１４は、同じ連続した１枚の布地から作製される（すなわち、１枚の布地は、「Ｕ」の底部で接合される２つの「Ｕ」字形状からなる）。
【０３３４】
「Ｕ」字型マスクコネクタ部材９１１２およびヘッドギアコネクタ部材９１１４は、各々、それらの剛性を向上させるようにプラスチック支持体を含むが、コネクタヒンジ９１２２の近くにこのプラスチック支持体がないことは、ヒンジ運動を容易にするために布地の本来の可撓性で十分であることを意味する。布製リビングヒンジコネクタ９１４２は、複数の実施形態のうちの少なくとも１つから製造することができ、それらのうちの２つについて記載する。
【０３３５】
第１実施形態では、布製リビングヒンジコネクタ９１４２は、マスクコネクタ部材９１１２およびヘッドギアコネクタ部材９１１４の「Ｕ」字形を組み込んだ１枚のシート状の布地を含む。このコネクタ９１０６は、マスクコネクタ部材９１１２を再度補強する「Ｕ」字形プラスチック補強材と、ヘッドギアコネクタ部材９１１４を再度補強する別の「Ｕ」字形プラスチック補強材とをさらに含む。２つのコネクタ部材９１１２、９１１４の間でのリビングヒンジを容易にするために、コネクタヒンジ９１２２における２つのプラスチック補強材の間に空間が存在する。さらに、マスクコネクタ部材９１１２のプラスチック補強材は、マスクアセンブリ９１０４とマスクコネクタ部材９１１２との間での布製リビングヒンジを容易にするために、マスクヒンジ９１１６の直前で止まる。
【０３３６】
第２実施形態では、布製リビングヒンジコネクタ９１４２は、２枚のシート状の布地を含み、それらの各々は、１枚のシートとしてマスクコネクタ部材９１１２およびヘッドギアコネクタ部材９１１４の両方を組み込む。これらの２枚の布地は位置合せされ、２つの「Ｕ」字形プラスチック支持体が２つの布地層の間に挟挿されるようにする。そして、２つの布地片の中でプラスチック支持体が封止される。布地片は、縫合、ＲＦ溶着、接着結合、または他の任意の関連する接続機構を使用して接続することができる。第１実施形態と同様に、プラスチック支持体は、ヘッドギアコネクタ部材９１１４およびマスクコネクタ部材９１１２の「Ｕ」字形に剛性を提供する一方で、布地がマスクヒンジ９１１６およびコネクタヒンジ９１２２においてリビングヒンジとして作用するのを可能にする。
【０３３７】
布製リビングヒンジコネクタ９１４２の好ましい実施形態が、２つのヘッドギア接続点９１２４を含むことが留意されるべきである。代替実施形態では、異なる数のヘッドギア接続点が可能であるように、保持部材が、ヘッドギアコネクタ部材９１１４の上部アームおよび下部アームを接合することができる。
【０３３８】
シリコンヒンジ
図１０５Ａ〜図１０７Ｂは、シリコン部を有するコネクタ構成９１０６を示す。マスクコネクタ部材９１１２は、シリコン（または、ＴＰＥ、ＴＰＵ、ＴＰＶ等の他の軟質ポリマー）から形成され、ヘッドギアコネクタ部材９１１４は剛性ポリマーから形成される。
【０３３９】
図１０５Ａおよび図１０５Ｂは、マスクヒンジ９１１６を介してマスクアセンブリ９１０４に枢動可能に接続されているマスクコネクタ部材９１１２の第１端部を有するシリコンヒンジを示す。マスクコネクタ部材９１１２の第２端部は、コネクタヒンジ９１２２を介してヘッドギアコネクタ部材９１１４に枢動可能に接続されている。図示する実施形態では、マスクコネクタ部材９１１２は、マスクアセンブリ９１０４に接続された中央ピンを中心に回転し、マスクヒンジ９１１６を形成する。さらに、マスクコネクタ９１１２は、ヘッドギアコネクタ部材９１１４が結合されているコネクタヒンジ９１２２の上の中央ピンを中心に回転する。これにより、コネクタ９１０６に対して広範囲の運動が可能になる。
【０３４０】
図示する構成はまた、マスクコネクタ部材９１１２上の凹状中心部９１４４も含む。これは、部材９１１２の厚さが縮小する領域９１４４である。この領域９１４４は、マスクコネクタ部材９１１２の剛性を低下させ、凹状中心部９１４４がない場合に可能であるより大きい程度までマスクコネクタ部材９１１２がたわむのを可能にする。
【０３４１】
図示するマスクコネクタ部材９１１２は、マスクコネクタ部材９１１２の対応する穴と嵌合するマスク上の突起を介して、マスクアセンブリ９１０４に閉鎖位置で保持される。他の実施形態では、マスクコネクタ部材９１１２は突起を含むことができ、マスクアセンブリ９１０４は対応する穴を含むことができる。さらなる実施形態は、任意の適切な保持機構（磁石、ベルクロ（登録商標）等）を含むことができる。
【０３４２】
図１０６Ａおよび図１０６Ｂは、代替的なシリコンヒンジ構成を示す。マスクヒンジとしてピボットヒンジを使用する代わりに、開放プロセス中にシリコンがたわんで折れ曲がるように、マスクヒンジ点９１１６は固定されている。したがって、コネクタ９１０６は、コネクタ９１０６を閉鎖するために必要な方向に付勢力を有する。これにより、マスクアセンブリ９１０４を使用者の顔面に固定するプロセスが簡略化される。
【０３４３】
図１０７Ａおよび図１０７Ｂは、代替的なシリコンヒンジ構成を有するマスクコネクタ部材９１１２を示す。この構成のマスクコネクタ部材９１１２は、第１厚さの第１部９１１２ａと第２厚さの第２部９１１２ｂとを含む。第１部９１１２ａは、第２部９１１２ｂより大きい厚さを有する。第１部９１１２ａは、マスクヒンジ９１１８およびコネクタヒンジ９１２２の提供を含む。第２部９１１２ｂは、コネクタヒンジ９１２２の提供を含む。マスクヒンジ９１１８は、マスクアセンブリ９１０４にポストを含み、マスクコネクタ部材９１１２はそれを中心に回転する。コネクタヒンジ９１２２は、示しているような軸を中心に同様にマスクヒンジ９１１８を中心に回転する。
【０３４４】
第１部９１１２ａは、第２部９１１２ｂより大きい厚さを有し、コネクタ９１０６が開放位置にあるときの第１部９１１２ａ内でのたわみを最小限にする。マスクアセンブリ９１０４のフレーム９１２６は、この部分９１１２ａの増大した厚さに適応する穴９１４８を含む。
【０３４５】
第２部９１１２ｂは、第２部９１１２ｂ内の許容可能なたわみを増大させるように、縮小した厚さを有する。第２部９１１２ｂ内のたわみを可能にすることにより、開放プロセス中にコネクタ９１０６に対して必要以上の力がかけられたときのコネクタ９１０６の弾性を向上させる。マスクコネクタ部材９１１２の第２部９１１２ｂは、コネクタ９１０６が閉鎖位置にあるときにマスクアセンブリ９１０４の保持突起９１５２と嵌合するように構成されている保持空洞９１５０を含む。
【０３４６】
ヘッドギアコネクタ部材９１１４は、剛性ポリマーから製造される。ヘッドギアコネクタ９１１４の中心部は、コネクタ９１０６が閉鎖位置にあるときにマスクコネクタ部材９１１４を収容するようなサイズである空洞９１５４を含む。この空洞９１５４により、コネクタ９１０６の外形が最小限になることが確実になる。
【０３４７】
マスクコネクタ部材９１１２およびヘッドギアコネクタ部材９１１４に対するコネクタヒンジ９１２２の位置は、上述したコネクタ構成とは異なる。コネクタヒンジ９１２２は、図１０７Ｂにおいて破線によって示すように、マスクコネクタ部材９１１２およびヘッドギアコネクタ部材９１１４の両方の端部からずれている。このヒンジ９１２２をずらすことの利点は、コネクタ９１０６の最大伸長時に機械的ハードストップが生成されるということである。このハードストップは、ヘッドギアコネクタ部材９１１４の前方縁がマスクコネクタ部材９１１２の内面に衝突するかまたは接触する結果である。ハードストップは、使用者が、ヘッドギアコネクタ部材９１１４を、コネクタヒンジ９１２２におけるマスクコネクタ部材９１１２に対して過剰に回転させ、コネクタ９１０６を反転させることができないようにするため、有益である。さらに、ハードストップは、開放するときにコネクタ９１０６を広く保持するように作用する。これにより、使用者の耳の上にわたってヘッドギア９１０２をより容易に通すことができるため、着脱中のヘッドギア９１０２およびマスクアセンブリ９１０４の有用性が向上する。
【０３４８】
いくつかの構成では、マスクコネクタ部材９１１２は、コネクタ９１０６が閉鎖位置にあるとき、マスクコネクタ部材９１１２とヘッドギアコネクタ部材９１１４の中心空洞９１５４との間に締まり嵌めが形成されるようなサイズとすることができる。これは、マスクコネクタ部材９１１４をヘッドギアコネクタ部材９１１４の空洞９１５４よりわずかに大きいサイズとすることによって達成される。マスクコネクタ部材９１１２がシリコン（または、別の軟質ポリマー）であるため、コネクタ９１０６が閉鎖されると、ヘッドギアコネクタ部材９１１４がマスクコネクタ部材９１１２の上に押圧されるときに締まり嵌めが形成され、マスクコネクタ部材９１１２が圧縮される。締まり嵌めは、コネクタ９１０６が閉鎖位置にあるときにヘッドギアコネクタ部材９１１４を垂直方向に安定させるのに役立つ。代替実施形態では、マスクコネクタ部材９１１２は剛性ポリマーから製造することができる。
【０３４９】
ヘッドギア接続
図１０８Ａ〜図１０８Ｃは、コネクタ９１０６をヘッドギア９１０２に接続するために使用されるヘッドギア接続構成を示す。コネクタ９１０６の横方向端部は、各々、ヘッドギア接続部９１２４を含む。このヘッドギア接続部９１２４は、ヘッドギア９１０２のストラップを受け入れるように構成された穴を有する環状剛性構造の形態である。ヘッドギア９１０２のストラップは、ヘッドギア接続部９１２４を通ってそれ自体の上に折り返され、後に開示する複数の方法のうちの１つによって適所に固定されるように設計されている。ヘッドギア接続部９１２４は、コネクタ９１０６の型内成形コア９１１４ｂと一体的に形成することができる。
【０３５０】
ヘッドギア固定機構
図１０９Ａおよび図１０９Ｂは、ストラップ９１０８、９１１０の長さを固定するために使用されるヘッドギア保持機構９１６０を示す。図示するように、ヘッドギア９１０２は、それ自体の上に戻るように輪になった後、面ファスナ機構９１６０ａ、押込み嵌め機構９１６０ｂまたは磁気保持システム９１６０ｃを使用して固定長で適所に保持することができる。いくつかの構成では、代替的な締結機構を使用することができる。
【０３５１】
図１１０Ａおよび図１１０Ｂは、ストラップ９１０８、９１１０の長さを固定するために使用される押込み嵌めヘッドギア保持機構９１６２を示す。押込み嵌め構成要素（たとえば、突起９１６２ａおよび開口部９１６２ｂ）は、縦の外形より長い横方向の外形を有する。
【０３５２】
オーバーセンター式クリップコネクタ
図１１１Ａおよび図１１１Ｂは、オーバーセンター式クリップ設計を有する代替的なコネクタ構成９１７０を示す。図示する構成は、ピボット、ヒンジおよびプラスチック構成要素の組合せを用いて、オーバーセンター式ロックを達成する。コネクタ９１０６は、マスクコネクタ部材９１１２、ヘッドギアコネクタ部材９１１４、マスクヒンジ９１１８およびコネクタヒンジ９１２２を含む。オーバーセンター式コネクタは、シリコンヒンジと同様に動作するが、マスクコネクタ部材９１１２は剛性がある。剛性部材により、図１７Ｂに示すようにマスクヒンジ９１１８にハードストップを生成することができる。このハードストップは、コネクタ９１０６が動作中に受けることができる回転を最大限にするように作用する。この利点は、コネクタ９１０６が、動作位置にあるときにヘッドギア９１０２を広く保持し、着脱するときにヘッドギア９１０２が耳をより容易に通過することができるように、ハードストップの位置を調整することができる、ということである。ヘッドギアコネクタ部材９１１４は、２つのヘッドギア接続点９１２４を含む。
【０３５３】
伸縮式ピボットコネクタ
図１１２Ａ、図１１２Ｂおよび図１１２Ｃは、伸縮式ピボットクリップを含むコネクタ構成９１８０を示す。図示する構成は、マスクコネクタ部材９１１２およびヘッドギアコネクタ部材９１１４を含み、それらは、ヘッドギアコネクタ部材９１１４がマスクコネクタ部材９１１２に対してそれらの共通の軸に沿って移動することができるように、同軸状に位置合せされかつ構成されている。マスクコネクタ部材９１１２は、マスクヒンジ９１１８に対して垂直に突出する。閉鎖位置では、クリップは、コネクタ９１０６をマスクアセンブリ９１０４に保持する。開放するために、使用者は、クリップ上でマスクアセンブリに横方向に力を加えてクリップを分離する。マスクコネクタ部材９１１２およびヘッドギアコネクタ部材９１１４は、その後、マスクヒンジ９１１８を中心に外向きに回転する（図１１２Ｂ）。開放するように枢動すると、マスクコネクタ部材９１１２を、入れ子式運動でマスクアセンブリ９１０４から離れるように外向きに引っ張ることができ、コネクタ９１０６の長さを延長することができる（図１１２Ｃ）。この構成は、ヘッドギアループの長さを増大させることに加えて、ヘッドギア９１０２を使用者の耳から離して、取外しプロセスを簡略化するのに役立つ。
【０３５４】
摺動ストラップハードストップコネクタ
図１１３Ａおよび図１１３Ｂは、ハードストップ摺動ストラップコネクタ構成９１９０を有するコネクタ構成を示す。この構成では、ヘッドギア９１０２の外側部分は、使用者の頬と接触し、コネクタ９１０６に組み込まれる。マスクアセンブリ９１０４上のコネクタストラップインタフェース９１９２が、ヘッドギアストラップ９１０８、９１１０のための固定点として作用する。図示する構成では、２つのヘッドギアストラップ９１０８、９１１０が、コネクタ９１０６に組み込まれている。コネクタストラップインタフェース９１９２における各ヘッドギアストラップ９１０８、９１１０に対する接続機構は限定されない。すなわち、コネクタ構成は、種々のタイプの接続機構を含むことができる。図示する構成では、ストラップ９１０８、９１１０は、マスクアセンブリ９１０４の開口部を通ってそれ自体の上に戻るように輪になる。ストラップ９１０８、９１１０は、マスクアセンブリ９１０４を通って輪になると、それら自体に、たとえば縫合により固定して取り付けることができ、または、面ファスナ接続システムを介してそれら自体に取り付けることができる。
【０３５５】
各ストラップ９１０８、９１１０は、ヘッドギア９１０２に位置する第１反転点９１９３ａを通過する。ストラップ９１０８、９１１０は、第１反転点９１９３ａを通過して、第２反転点９１９３ｂまで延在し、そこで再び、それ自体の上に戻るように輪になって適所に固定される。図示する構成では、ストラップ９１０８、９１１０は、面ファスナ接続システムを介して、第２反転点９１９３ｂの後にそれ自体に固定される。固定システムは、面ファスナ接続システムに限定されず、他の接続システムを含むことができる。第２反転点９１９３ｂを介してストラップ長を調整することは、使用者が、この構成でヘッドギア９１０２の締まりを調整することができる１つの方法である。
【０３５６】
第２反転点９１９３ｂは、クリップ９１９４上に位置する。このクリップ９１９４は、コネクタ９１０６に対する保持機構の一部として作用する。マスクアセンブリ９１０４の上に保持点９１９６が位置し、それは、クリップ９１９４と相互作用してコネクタ９１０６を保持する。図示する構成では、保持点９１９６は、マスクアセンブリ９１０４から突出し、クリップ９１９４は保持点９１９６の正面にわたって配置される。そして、ヘッドギア９１０２およびコネクタアセンブリ９１０６における張力は、図１１３Ａに図示するように、保持点に対してクリップ９１９４を引っ張るように作用する。クリップ９１９４および保持点９１９６を含む保持機構９１９０は、特に限定されず、他の保持機構を含むことができる。保持機構は、フックおよびポスト接続機構または他の任意の機構であり得る。
【０３５７】
ストラップ端部ハードストップコネクタ
図１１４Ａおよび図１１４Ｂは、摺動ストラップハードストップ９２００を有するコネクタ構成を示す。この構成では、各ヘッドギアストラップ９１０８、９１１０は、コネクタストラップインタフェース９１９２を通ってそれ自体の上で輪になり、その後、ヘッドギアストラップ端部における保持機構（たとえば、面ファスナ）によって適所に保持される。しかしながら、ヘッドギアストラップ端部９２０２は、各ストラップがコネクタストラップインタフェース９１９２において通される穴より大きい輪郭を有する。その結果、ヘッドギアストラップ端部９１０８、９１１０は、解除されると、コネクタストラップインタフェース９１９２を通って後退することにより、ヘッドギアループを伸長することができるが、マスクアセンブリ９１０４を通って容易に通過することはできない。これにより、使用者は、ヘッドギア／マスクアセンブリループを破断せずにヘッドギア９１０２を取り外すことができない。上部ストラップ９１０８および下部ストラップ９１１０を相互接続して、一度に両方を調整することができる。
【０３５８】
ブレークフィット磁石およびテザーコネクタ
図１１５Ａおよび図１１５Ｂは、２つのクリップ９２１２ａ、９２１２ｂ、磁気接続部９２１４およびテザー９２１６を組み込んだコネクタアセンブリ９２１０を示す。図１１５Ａに図示するような閉鎖位置では、磁気接続部９２１４の２つの構成要素は互いに接触しており、第１クリップ９２１２ａおよび第２クリップ９２１２ｂはマスクアセンブリ９１０４に固定されている。第１クリップ９２１２ａおよび第２クリップ９２１２ｂは、フックおよびポストクリップ、磁石アセンブリまたは他の任意の関連機構を使用してマスクアセンブリ９１０４に取り付けることができる。
【０３５９】
図１１５Ｂに図示するように、ヘッドギア９１０２の耳ループ上の磁気接続部９２１４の位置により、使用者は、マスクアセンブリ９１０４を取り外したいときに、第２クリップ９２１２ｂを外し、磁気接続部を破断することができる。テザー９２１６が含まれ、一端が磁気接続部９２１４の各点に固定されており、それにより、磁気接続部９２１４が破断されたとき、テザー９２１６は、ヘッドギア９１０２の下方部分が完全に落下するのを防止するブリッジとして作用する。磁気接続部９２１４が破断されると、使用者の耳の下方のヘッドギアループ９１０２の長さが長くなり、使用者が、次にマスクアセンブリ９１０４を使用したいときにヘッドギア９１０２を再調整する必要なしに、ヘッドギア９１０２を取り外すことができる。いくつかの構成では、磁気接続部９２１４の間のテザー９２１６が含められない場合もある。
【０３６０】
ブレークフィットクリップおよびテザーコネクタ
図１１６Ａおよび図１１６Ｂは、図示するように、フックまたはクリップ９２２２、ポスト９２２４およびテザー９２２６を組み込んだコネクタアセンブリ９２２０を示す。閉鎖位置では、フック９２２２は、マスクアセンブリ９１０４上のポスト９２２４に接続される。開放位置では、使用者は、フックまたはクリップ９２２２を解除して、ヘッドギアループを長くする。テザー９２２６は、フックまたはクリップ９２２２とマスクアセンブリ９１０４上の保持部材またはポスト９２２４との間のブリッジとして作用する。これにより、ヘッドギア９１０２の閉ループが保持される一方で、ヘッドギア９１０２が使用者によって快適に取り外すことができることを確実にするのに十分にヘッドギアループが長くなる。
【０３６１】
クリップおよび連続テザーコネクタ
図１１７Ａおよび図１１７Ｂは、フックまたはクリップ９２３２と、ポスト９２３４と、マスクアセンブリ９１０４の上で両コネクタ９２３０を連結する連続テザー９２３６とを組み込んだクリップおよび連続テザーコネクタ９２３０を示す。この構成では、２つのコネクタ９２３０の各々は、共通のテザー９２３６によって連結される。テザー９２３６は、マスクアセンブリ９１０４の上に位置するテザーチャネル９２３８を通過する。テザー９２３６は、好ましくは弾性材料から製造されている。閉鎖位置では、クリップ９２３２は、マスクアセンブリ９１０４のポスト９２３４に固定される。使用者は、コネクタ９２３０を開放したとき、クリップ９２３２をはずして引っ張る。テザー９２３６は、ヘッドギア９１０２の閉ループを維持する一方で、ヘッドギアループ長がその弾性により増大するのを可能にする。これにより使用者は、マスクアセンブリ９１０４を有効に取り外すことができる。
【０３６２】
図１１８Ａおよび図１１８Ｂは、第１テザー９２３６ａおよび第２テザー９２３６ｂを組み込んだ代替的なクリップおよび連続テザーコネクタ９２３０を示す。第１テザー９２３６ａは、第２テザー９２３６ｂに対して垂直方向に変位している。第１テザー９２３６ａは、第１テザーチャネル９２３８ａを通過する。第２テザー９２３６ｂは、第２テザーチャネル９２３８ｂを通過する。テザー９２３６ａ、９２３６ｂは、およそ互いに平行に移動することができる。クリップ９２３２は、第１実施形態と同様に動作する。第１テザー９２３６ａおよび第２テザー９２３６ｂを含める結果、着脱中にクリップ９２３２の自動的に整列する傾向が増大する。これは、２つのテザー９２３６ａ、９２３６ｂの結果である弾性の向上によることができる。
【０３６３】
クリップおよび剛性テザーコネクタ
図１１９Ａおよび図１１９Ｂは、各々が側方ヘッドギアストラップを保持するようにクリップ９２３２と一対の剛性テザー９２３６とを有するコネクタアセンブリ９２３０を示す。この構成では、コネクタ９２３０は、クリップおよび剛性テザーシステムを含む。先のコネクタ９２３０のように、クリップ９２３２は、ヘッドギア９１０２をマスクアセンブリ９１０４に保持するために使用され、フックおよびポストであり得る。しかしながら、さらに、２つの剛性テザー９２３６がマスクアセンブリに統合される。側方ヘッドギアストラップ９１０８、９１１０は、各々、初期ヘッドギア設定中に剛性テザー９２３６のスライダ穴を通して送られ、それにより、外側ヘッドギアストラップ９１０８、９１１０は、固定されると、剛性テザー９２３６のスライダ９２４０を通って摺動することができる。コネクタ９２３０が開放位置に押し込まれると、ヘッドギア９１０２は、剛性テザースライダを通って摺動し、ヘッドギアループのサイズを増大させることができる。しかしながら、スライダ９２４０は、クリップ９２３２に達するとハードストップとして作用することにより、ヘッドギアループの最大伸長を制限する。
【０３６４】
フックおよびポストループコネクタ
図１２０Ａおよび図１２０Ｂは、フックおよびポストループコネクタを有するコネクタアセンブリ９２５０を示す。図示するコネクタ９２５０は、固定コネクタ点９２５２、クリップ９２５４および材料部分９２５６を含む。固定コネクタ点９２５２は、マスクアセンブリ９１０４の上部に位置する。この箇所で、材料部分９２５６は、ループを通過し、それ自体の上に折り返し、（たとえば、面ファスナまたは磁気接続を用いて）適所に調整可能に固定される。材料部分９２５６は、第１小穴ループ９２５８を通過し、そこで、第２小穴ループ９２６０に方向が変えられる。材料または布地部分９２５６の端部はクリップ９２５４を含み、それにより、布地部分９２５６の端部をマスクアセンブリ９１０４に取外し可能に接続することができる。
【０３６５】
コネクタ９２５０を開放するために、クリップ９２５４はマスクアセンブリ９１０４から分離される。図示する実施形態では、クリップ９２５４はフックおよびポストクリップである。クリップ９２５４は、別法として、磁気、押込み嵌めまたは別のクリップ構成であり得る。クリップ９２５４を解除することにより、ヘッドギアループの長さが増大し、患者は、図示するようにヘッドギア９１０２を着脱することができる。クリップ９２５４は、第２小穴ループ９２６０におけるハードストップとして作用し、それにより、ヘッドギアループを増大させることができる最大長さを制限することができる。材料部分９２５６の有効長は、固定コネクタ点９２５２およびクリップ９２５４の両方で調整することができる。
【０３６６】
材料部分９２５６は、ｂｒｅａｔｈ−ｏ−ｐｒｅｎｅ、皮革または合成皮革、布地、これらの任意の組合せまたは他の任意の適切な材料等、可撓性材料から製造することができる。
【０３６７】
図１２１Ａおよび図１２１Ｂは、図１２０Ａおよび図１２０Ｂのコネクタ９２５０と同様の代替的なフックおよびポストループコネクタ９２５０を示す。図１２１Ａおよび図１２１Ｂでは、クリップ９２５４は、図１２０Ａおよび図１２０Ｂのクリップ９２５４に対して変更されている。他の点では、図１２１Ａおよび図１２１Ｂのコネクタ９２５０は、図１２０Ａおよび図１２０Ｂのコネクタ９２５０と同じかまたは実質的に同様であり得る。
【０３６８】
別段文脈が明確に必要としない限り、明細書および特許請求の範囲を通して、「備える」、「含む」（「ｃｏｍｐｒｉｓｅ」、「ｃｏｍｐｒｉｓｉｎｇ」）等の用語は、排他的なまたは網羅的な意味とは対照的に包括的な意味で、すなわち、「限定されないが、〜を含む」という意味で解釈されるべきである。特に、「できる」、「可能性がある」、「あり得る」（「ｃａｎ」、「ｃｏｕｌｄ」、「ｍｉｇｈｔ」または「ｍａｙ」）、「たとえば」等、本明細書で用いる条件付きの文言は、具体的に別段の定めのない限り、または使用される文脈内で他の意味で理解されない限り、概して、いくつかの実施形態は、いくつかの特徴、要素および／または状態を含むが、他の実施形態は含まないということを意味するように意図されている。したがって、こうした条件付きの文言は、概して、特徴、要素および／または状態が、１つまたは複数の実施形態に対して何らかの形で必要とされること、または、１つもしくは複数の実施形態が、著者の入力または入力促進があってもなくても、これらの特徴、要素および／または状態が任意の特定の実施形態に含まれるかまたはそこで実行されるべきであるか否かを判断するためのロジックを必然的に含むことを、意味するようには意図されていない。
【０３６９】
「複数」という用語は、項目の２つ以上を指す。量、寸法、サイズ、配合、パラメータ、形状および他の特徴の列挙は、量、寸法、サイズ、配合、パラメータ、形状または他の特徴の前に「約」または「およそ」という用語があるかのように解釈されるべきである。「約」または「およそ」という用語は、量、寸法、サイズ、配合、パラメータ、形状および他の特徴が、厳密であることが必須ではなく、許容可能な公差、変換係数、丸め、測定誤差等および当業者であれば既知である他の要素を反映して、要求に応じて近似されかつ／またはより大きいかもしくは小さい場合があることを意味する。量、寸法、サイズ、配合、パラメータ、形状および他の特徴の列挙は、量、寸法、サイズ、配合、パラメータ、形状および他の特徴の前に「実質的に」という用語があるかのようにも解釈されるべきである。「実質的に」という用語は、列挙された特徴、パラメータまたは値が厳密に達成されることが必須ではなく、たとえば、公差、測定誤差、測定精度限界および当業者であれば既知である他の要素を含む偏差または変動が、その特徴が提供するように意図された効果を排除しない量で発生する可能性があることを意味する。
【０３７０】
数値データは、本明細書では、範囲形式で表されまたは提示されている場合がある。範囲形式は、単に便宜上および明確にするために使用され、したがって、範囲の限界として明示的に列挙された数値のみを含むのではなく、その範囲内に包含される個々の数値または部分範囲のすべてを、各数値および部分範囲が明示的に列挙されているかのように含むようにも柔軟に解釈されるべきであることが理解されるべきである。例示として、「１〜５」という数値範囲は、約１〜約５という明示的に列挙された値のみを含むように解釈されるべきではなく、示された範囲内の個々の値および部分範囲も含むようにも解釈されるべきである。したがって、この数値範囲には、２、３および４等の個々の値、ならびに「１〜３」、「２〜４」および「３〜５」等の部分範囲が含まれる。この同じ原理は、１つの数値のみを列挙する範囲（たとえば、「１より大きい」）にも適用され、記載されている範囲または特徴の広さに関わらず適用されるべきである。
【０３７１】
複数の項目が、便宜上共通のリストに提示されている場合がある。しかしながら、これらのリストは、リストの各要素が別個のかつ一意の要素として個々に識別されているかのように解釈されるべきである。したがって、こうしたリストのいかなる個々の要素も、反対の指示がなければ、共通のグループにおけるそれらの提示にのみ基づいて、同じリストの他の任意の要素の事実上の均等物として解釈されるべきではない。さらに、「および」および「または」という用語が項目のリストとともに使用される場合、列挙された項目のうちの任意の１つまたは複数が単独でまたは他の列挙された項目と組み合わせて使用することができるという意味で、それらは広く解釈されるべきである。「別法として」という用語は、２つ以上の代替物の選択を指し、文脈において明確な別段の指示がない限り、それらの列挙された代替物のみに、または一度に、列挙された代替物のうちの１つにのみ選択を限定するようには意図されていない。
【０３７２】
本明細書におけるいかなる先行技術への言及も、その先行技術が、世界中のいかなる国においても努力傾注分野における共通の一般知識の一部を形成するという認識またはいかなる形態の示唆でもなく、かつそのように解釈されるべきではない。
【０３７３】
上述した記載において、既知の均等物を有する完全体または構成要素について言及したが、それらの完全体は、本明細書において、個々に示されているかのように組み込まれている。
【０３７４】
本発明はまた、本出願の明細書において個々にまたはまとめて言及するかまたは示す部分、要素および特徴に（前記部分、要素または特徴のうちの２つ以上の任意のまたはすべての組合せで）あると広義に言うことも可能である。
【０３７５】
本明細書に記載した現時点で好ましい実施形態に対するさまざまな変形および変更は、当業者であれば明らかとなるであろうということが留意されるべきである。こうした変形および変更は、本発明の趣旨および範囲から逸脱することなくかつその付随する利益を減ずることなく行うことができる。たとえば、さまざまな構成要素は、要求に応じて再配置することができる。したがって、こうした変形および変更は本発明の範囲内に含まれることが意図されている。さらに、特徴、態様および利点のすべてが必ずしも本発明を実施するために必要であるとは限らない。したがって、本発明の範囲は、以下の特許請求の範囲によってのみ定義されるように意図されている。
【図１Ａ】
2019509128.tif 000003
【図１Ｂ】
2019509128.tif 000004
【図２Ａ】
2019509128.tif 000005
【図２Ｂ】
2019509128.tif 000006
【図３】
2019509128.tif 000007
【図４】
2019509128.tif 000008
【図５】
2019509128.tif 000009
【図６】
2019509128.tif 000010
【図７】
2019509128.tif 000011
【図８Ａ】
2019509128.tif 000012
【図８Ｂ】
2019509128.tif 000013
【図９Ａ】
2019509128.tif 000014
【図９Ｂ】
2019509128.tif 000015
【図１０Ａ】
2019509128.tif 000016
【図１０Ｂ】
2019509128.tif 000017
【図１１Ａ】
2019509128.tif 000018
【図１１Ｂ】
2019509128.tif 000019
【図１１Ｃ】
2019509128.tif 000020
【図１１Ｄ】
2019509128.tif 000021
【図１１Ｅ】
2019509128.tif 000022
【図１２Ａ】
2019509128.tif 000023
【図１２Ｂ】
2019509128.tif 000024
【図１３Ａ】
2019509128.tif 000025
【図１３Ｂ】
2019509128.tif 000026
【図１３Ｃ】
2019509128.tif 000027
【図１３Ｄ】
2019509128.tif 000028
【図１４Ａ】
2019509128.tif 000029
【図１４Ｂ】
2019509128.tif 000030
【図１４Ｃ】
2019509128.tif 000031
【図１４Ｄ】
2019509128.tif 000032
【図１５Ａ】
2019509128.tif 000033
【図１５Ｂ】
2019509128.tif 000034
【図１５Ｃ】
2019509128.tif 000035
【図１５Ｄ】
2019509128.tif 000036
【図１６Ａ】
2019509128.tif 000037
【図１６Ｂ】
2019509128.tif 000038
【図１６Ｃ】
2019509128.tif 000039
【図１６Ｄ】
2019509128.tif 000040
【図１７】
2019509128.tif 000041
【図１８】
2019509128.tif 000042
【図１９】
2019509128.tif 000043
【図２０】
2019509128.tif 000044
【図２１】
2019509128.tif 000045
【図２２】
2019509128.tif 000046
【図２３】
2019509128.tif 000047
【図２４】
2019509128.tif 000048
【図２５】
2019509128.tif 000049
【図２６】
2019509128.tif 000050
【図２７】
2019509128.tif 000051
【図２８】
2019509128.tif 000052
【図２９】
2019509128.tif 000053
【図３０】
2019509128.tif 000054
【図３１】
2019509128.tif 000055
【図３２】
2019509128.tif 000056
【図３３】
2019509128.tif 000057
【図３４】
2019509128.tif 000058
【図３５】
2019509128.tif 000059
【図３６】
2019509128.tif 000060
【図３７】
2019509128.tif 000061
【図３８】
2019509128.tif 000062
【図３９】
2019509128.tif 000063
【図４０】
2019509128.tif 000064
【図４１】
2019509128.tif 000065
【図４２】
2019509128.tif 000066
【図４３Ａ】
2019509128.tif 000067
【図４３Ｂ】
2019509128.tif 000068
【図４４Ａ】
2019509128.tif 000069
【図４４Ｂ】
2019509128.tif 000070
【図４５Ａ】
2019509128.tif 000071
【図４５Ｂ】
2019509128.tif 000072
【図４６Ａ】
2019509128.tif 000073
【図４６Ｂ】
2019509128.tif 000074
【図４６Ｃ】
2019509128.tif 000075
【図４７Ａ】
2019509128.tif 000076
【図４７Ｂ】
2019509128.tif 000077
【図４８Ａ】
2019509128.tif 000078
【図４８Ｂ】
2019509128.tif 000079
【図４９Ａ】
2019509128.tif 000080
【図４９Ｂ】
2019509128.tif 000081
【図５０Ａ】
2019509128.tif 000082
【図５０Ｂ】
2019509128.tif 000083
【図５１Ａ】
2019509128.tif 000084
【図５１Ｂ】
2019509128.tif 000085
【図５２Ａ】
2019509128.tif 000086
【図５２Ｂ】
2019509128.tif 000087
【図５２Ｃ】
2019509128.tif 000088
【図５３Ａ】
2019509128.tif 000089
【図５３Ｂ】
2019509128.tif 000090
【図５４Ａ】
2019509128.tif 000091
【図５４Ｂ】
2019509128.tif 000092
【図５４Ｃ】
2019509128.tif 000093
【図５５Ａ】
2019509128.tif 000094
【図５５Ｂ】
2019509128.tif 000095
【図５５Ｃ】
2019509128.tif 000096
【図５６Ａ】
2019509128.tif 000097
【図５６Ｂ】
2019509128.tif 000098
【図５７Ａ】
2019509128.tif 000099
【図５７Ｂ】
2019509128.tif 000100
【図５７Ｃ】
2019509128.tif 000101
【図５８Ａ】
2019509128.tif 000102
【図５８Ｂ】
2019509128.tif 000103
【図５９Ａ】
2019509128.tif 000104
【図５９Ｂ】
2019509128.tif 000105
【図５９Ｃ】
2019509128.tif 000106
【図６０Ａ】
2019509128.tif 000107
【図６０Ｂ】
2019509128.tif 000108
【図６１Ａ】
2019509128.tif 000109
【図６１Ｂ】
2019509128.tif 000110
【図６１Ｃ】
2019509128.tif 000111
【図６２Ａ】
2019509128.tif 000112
【図６２Ｂ】
2019509128.tif 000113
【図６３Ａ】
2019509128.tif 000114
【図６３Ｂ】
2019509128.tif 000115
【図６３Ｃ】
2019509128.tif 000116
【図６４Ａ】
2019509128.tif 000117
【図６４Ｂ】
2019509128.tif 000118
【図６５】
2019509128.tif 000119
【図６６Ａ】
2019509128.tif 000120
【図６６Ｂ】
2019509128.tif 000121
【図６７】
2019509128.tif 000122
【図６８Ａ】
2019509128.tif 000123
【図６８Ｂ】
2019509128.tif 000124
【図６８Ｃ】
2019509128.tif 000125
【図６８Ｄ】
2019509128.tif 000126
【図６９】
2019509128.tif 000127
【図７０】
2019509128.tif 000128
【図７１】
2019509128.tif 000129
【図７２】
2019509128.tif 000130
【図７３】
2019509128.tif 000131
【図７４Ａ】
2019509128.tif 000132
【図７４Ｂ】
2019509128.tif 000133
【図７５Ａ】
2019509128.tif 000134
【図７５Ｂ】
2019509128.tif 000135
【図７６Ａ】
2019509128.tif 000136
【図７６Ｂ】
2019509128.tif 000137
【図７６Ｃ】
2019509128.tif 000138
【図７７Ａ】
2019509128.tif 000139
【図７７Ｂ】
2019509128.tif 000140
【図７７Ｃ】
2019509128.tif 000141
【図７８Ａ】
2019509128.tif 000142
【図７８Ｂ】
2019509128.tif 000143
【図７９Ａ】
2019509128.tif 000144
【図７９Ｂ】
2019509128.tif 000145
【図７９Ｃ】
2019509128.tif 000146
【図８０Ａ】
2019509128.tif 000147
【図８０Ｂ】
2019509128.tif 000148
【図８０Ｃ】
2019509128.tif 000149
【図８１Ａ】
2019509128.tif 000150
【図８１Ｂ】
2019509128.tif 000151
【図８１Ｃ】
2019509128.tif 000152
【図８１Ｄ】
2019509128.tif 000153
【図８１Ｅ】
2019509128.tif 000154
【図８２Ａ】
2019509128.tif 000155
【図８２Ｂ】
2019509128.tif 000156
【図８３Ａ】
2019509128.tif 000157
【図８３Ｂ】
2019509128.tif 000158
【図８３Ｃ】
2019509128.tif 000159
【図８３Ｄ】
2019509128.tif 000160
【図８３Ｅ】
2019509128.tif 000161
【図８４Ａ】
2019509128.tif 000162
【図８４Ｂ】
2019509128.tif 000163
【図８５】
2019509128.tif 000164
【図８６】
2019509128.tif 000165
【図８７Ａ】
2019509128.tif 000166
【図８７Ｂ】
2019509128.tif 000167
【図８７Ｃ】
2019509128.tif 000168
【図８８Ａ】
2019509128.tif 000169
【図８８Ｂ】
2019509128.tif 000170
【図８９Ａ】
2019509128.tif 000171
【図８９Ｂ】
2019509128.tif 000172
【図９０Ａ】
2019509128.tif 000173
【図９０Ｂ】
2019509128.tif 000174
【図９０Ｃ】
2019509128.tif 000175
【図９０Ｄ】
2019509128.tif 000176
【図９１Ａ】
2019509128.tif 000177
【図９１Ｂ】
2019509128.tif 000178
【図９１Ｃ】
2019509128.tif 000179
【図９１Ｄ】
2019509128.tif 000180
【図９２Ａ】
2019509128.tif 000181
【図９２Ｂ】
2019509128.tif 000182
【図９２Ｃ】
2019509128.tif 000183
【図９２Ｄ】
2019509128.tif 000184
【図９３Ａ】
2019509128.tif 000185
【図９３Ｂ】
2019509128.tif 000186
【図９３Ｃ】
2019509128.tif 000187
【図９４Ａ】
2019509128.tif 000188
【図９４Ｂ】
2019509128.tif 000189
【図９４Ｃ】
2019509128.tif 000190
【図９５】
2019509128.tif 000191
【図９６】
2019509128.tif 000192
【図９７】
2019509128.tif 000193
【図９８】
2019509128.tif 000194
【図９９Ａ】
2019509128.tif 000195
【図９９Ｂ】
2019509128.tif 000196
【図１００】
2019509128.tif 000197
【図１０１Ａ】
2019509128.tif 000198
【図１０１Ｂ】
2019509128.tif 000199
【図１０２Ａ】
2019509128.tif 000200
【図１０２Ｂ】
2019509128.tif 000201
【図１０３Ａ】
2019509128.tif 000202
【図１０３Ｂ】
2019509128.tif 000203
【図１０４Ａ】
2019509128.tif 000204
【図１０４Ｂ】
2019509128.tif 000205
【図１０５Ａ】
2019509128.tif 000206
【図１０５Ｂ】
2019509128.tif 000207
【図１０６Ａ】
2019509128.tif 000208
【図１０６Ｂ】
2019509128.tif 000209
【図１０７Ａ】
2019509128.tif 000210
【図１０７Ｂ】
2019509128.tif 000211
【図１０８Ａ−１０８Ｃ】
2019509128.tif 000212
【図１０９Ａ−１０９Ｂ】
2019509128.tif 000213
【図１１０Ａ】
2019509128.tif 000214
【図１１０Ｂ】
2019509128.tif 000215
【図１１１Ａ】
2019509128.tif 000216
【図１１１Ｂ】
2019509128.tif 000217
【図１１２Ａ】
2019509128.tif 000218
【図１１２Ｂ】
2019509128.tif 000219
【図１１２Ｃ】
2019509128.tif 000220
【図１１３Ａ】
2019509128.tif 000221
【図１１３Ｂ】
2019509128.tif 000222
【図１１４Ａ】
2019509128.tif 000223
【図１１４Ｂ】
2019509128.tif 000224
【図１１５Ａ】
2019509128.tif 000225
【図１１５Ｂ】
2019509128.tif 000226
【図１１６Ａ】
2019509128.tif 000227
【図１１６Ｂ】
2019509128.tif 000228
【図１１７Ａ】
2019509128.tif 000229
【図１１７Ｂ】
2019509128.tif 000230
【図１１８Ａ】
2019509128.tif 000231
【図１１８Ｂ】
2019509128.tif 000232
【図１１９Ａ】
2019509128.tif 000233
【図１１９Ｂ】
2019509128.tif 000234
【図１２０Ａ】
2019509128.tif 000235
【図１２０Ｂ】
2019509128.tif 000236
【図１２１Ａ】
2019509128.tif 000237
【図１２１Ｂ】
2019509128.tif 000238
【国際調査報告】
2019509128.tif 000239
2019509128.tif 000240
2019509128.tif 000241
2019509128.tif 000242
2019509128.tif 000243
2019509128.tif 000244
2019509128.tif 000245
2019509128.tif 000246
2019509128.tif 000247
2019509128.tif 000248
2019509128.tif 000249
2019509128.tif 000250
2019509128.tif 000251
2019509128.tif 000252
2019509128.tif 000253
2019509128.tif 000254